(57)【要約】  本出願は、フィードバック情報送信方法および通信デバイスを提供する。本方法は、端末デバイスによって、時間ユニットセットにおいて少なくとも1つのダウンリンク情報を受信するステップと、端末デバイスによって、少なくとも1つのダウンリンク情報に対応するフィードバック情報を運ぶために使用される第2の時間ユニットを決定するステップであって、時間ユニットセットと第2の時間ユニットとの間に第1のアソシエーション関係がある、ステップと、端末デバイスによって、第1のコードブックを決定することであって、時間ユニットサブセットにおける第1のダウンリンク情報がプリセット条件を満たす場合、第1のコードブックが第1のダウンリンク情報に対応するフィードバック情報を含み、第1のコードブックが、時間ユニットサブセットにおける特定の時間ユニットに対応するフィードバック情報を含まず、プリセット条件が第1の条件を含み、第1の条件は、第1のダウンリンク情報の数が第1のプリセット値に等しいことであり、時間ユニットサブセットと第2の時間ユニットとの間に第2のアソシエーション関係がある、ステップと、端末デバイスによって、第2の時間ユニットにおいて第1のコードブックを送信するステップとを含む。本出願の実施形態における技術的解決策によれば、フィードバック情報を運ぶアップリンク制御チャネルのリソース利用効率が改善され得る。
2021513820.tif 000002
【特許請求の範囲】
【請求項１】
端末デバイスによって、時間ユニットセットにおける少なくとも1つの第1の時間ユニットにおいて少なくとも1つのダウンリンク情報を受信するステップであって、前記時間ユニットセットが、前記端末デバイスのために構成された少なくとも1つの周波数領域ユニットに対応する少なくとも1つの第1の時間ユニットのセットである、ステップと、
前記端末デバイスによって、第2の時間ユニットを決定するステップであって、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ステップと、
前記端末デバイスによって、第1のコードブックを決定することであって、時間ユニットサブセットにおける第1のダウンリンク情報がプリセット条件を満たす場合、前記第1のコードブックが前記第1のダウンリンク情報に対応するフィードバック情報を含み、前記第1のコードブックが、前記時間ユニットセットにおける特定の時間ユニットに対応するフィードバック情報を含まず、前記特定の時間ユニットが、前記第1のダウンリンク情報が配置されている第1の時間ユニット以外の前記時間ユニットセットにおける少なくとも1つの第1の時間ユニットであり、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ステップと、
前記端末デバイスによって、前記第2の時間ユニットにおいてアップリンク制御情報を送信するステップであって、前記アップリンク制御情報が前記第1のコードブックを運ぶ、ステップと
を含む、フィードバック情報送信方法。
【請求項２】
前記プリセット条件が第2の条件をさらに含み、前記第2の条件は、前記第1のダウンリンク情報を動的にスケジューリングするためのダウンリンク制御チャネル上の指示情報の値が第2のプリセット値であることである、請求項1に記載の方法。
【請求項３】
前記プリセット条件が第3の条件をさらに含み、前記第3の条件は、前記第1のダウンリンク情報が配置されている前記第1の時間ユニットが前記時間ユニットセットにおける特定の時間領域位置における第1の時間ユニットであることである、請求項1に記載の方法。
【請求項４】
前記プリセット条件が第4の条件をさらに含み、前記第4の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項1から3のいずれか一項に記載の方法。
【請求項５】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項1に記載の方法。
【請求項６】
前記指示情報の前記値が、前記時間ユニットサブセットに関連する事前定義された規則に従って設定される、請求項2に記載の方法。
【請求項７】
前記少なくとも1つの周波数領域ユニットのそれぞれに対応し、前記第1の時間ユニットサブセットにある少なくとも1つの第1の時間ユニットについて、前記事前定義された規則が時間ユニットの順序で累計を実行する、または
前記少なくとも1つの周波数領域ユニットに対応し、前記第1の時間ユニットサブセットにある少なくとも1つの第1の時間ユニットについて、前記事前定義された規則が、まず周波数領域の順序で、次に時間領域の順序で累計を実行する、請求項6に記載の方法。
【請求項８】
前記少なくとも1つのダウンリンク情報が第2のダウンリンク情報をさらに含み、前記第2のダウンリンク情報をスケジューリングするためのダウンリンク制御チャネルが、半永続スケジューリングのためのダウンリンク制御チャネルであり、前記第1のコードブックが、前記第2のダウンリンク情報に対応するフィードバック情報をさらに含む、請求項1から7のいずれか一項に記載の方法。
【請求項９】
前記第1のアソシエーション関係が、標準に従って事前定義される、かつ／または無線リソース制御RRCシグナリングを使用することによりネットワークデバイスによって前記端末デバイスのために構成される、請求項1から8のいずれか一項に記載の方法。
【請求項１０】
前記第2のアソシエーション関係が、前記第1のダウンリンク情報を動的にスケジューリングするための前記ダウンリンク制御チャネルに基づいて決定される、請求項1から8のいずれか一項に記載の方法。
【請求項１１】
前記端末デバイスによって第1のコードブックを決定する、前記ステップの前に、前記方法は、
前記端末デバイスによって、複数の候補コードブックモードから半永続コードブックモードを決定するステップであって、前記複数の候補コードブックモードが、半永続コードブックモードと動的コードブックモードとを含む、ステップ
をさらに含む、請求項1から10のいずれか一項に記載の方法。
【請求項１２】
前記第1のプリセット値が1以上であり、前記第1のプリセット値が1より大きい場合、数が前記第1のプリセット値に等しい第1のダウンリンク情報が同じトランスポートブロック情報を運ぶ、請求項1から11のいずれか一項に記載の方法。
【請求項１３】
数が前記第1のプリセット値に等しい前記第1のダウンリンク情報が、1つのダウンリンク制御チャネルによってスケジューリングされる、請求項12に記載の方法。
【請求項１４】
前記第1のプリセット値が第3のプリセット値以下であり、前記第3のプリセット値が、上位層シグナリングを使用することにより構成されるダウンリンクアグリゲーションパラメータに基づいて決定される、請求項12に記載の方法。
【請求項１５】
ネットワークデバイスによって、時間ユニットセットにおける少なくとも1つの第1の時間ユニットにおいて少なくとも1つのダウンリンク情報を端末デバイスに送信するステップであって、前記時間ユニットセットが、前記端末デバイスのために構成された少なくとも1つの周波数領域ユニットに対応する少なくとも1つの第1の時間ユニットのセットである、ステップと、
前記ネットワークデバイスによって、第2の時間ユニットを決定するステップであって、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ステップと、
前記ネットワークデバイスによって、前記第2の時間ユニットにおいて、前記端末デバイスによって送信されたアップリンク制御情報を受信するステップであって、前記アップリンク制御情報が第1のコードブックを運び、前記第1のコードブックが、時間ユニットサブセットにおける第1のダウンリンク情報がプリセット条件を満たす場合の第1のコードブックであり、前記第1のコードブックが前記第1のダウンリンク情報に対応するフィードバック情報を含み、前記第1のコードブックが、前記時間ユニットセットにおける特定の時間ユニットに対応するフィードバック情報を含まず、前記特定の時間ユニットが、前記第1のダウンリンク情報が配置されている第1の時間ユニット以外の前記時間ユニットセットにおける少なくとも1つの第1の時間ユニットであり、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ステップと
を含む、フィードバック情報送信方法。
【請求項１６】
前記プリセット条件が第2の条件をさらに含み、前記第2の条件が、前記第1のダウンリンク情報を動的にスケジューリングするためのダウンリンク制御チャネル上の指示情報の値が第2のプリセット値であることである、請求項15に記載の方法。
【請求項１７】
前記プリセット条件が第3の条件をさらに含み、前記第3の条件は、前記第1のダウンリンク情報が配置されている前記第1の時間ユニットが前記時間ユニットセットにおける特定の時間領域位置における第1の時間ユニットであることである、請求項15に記載の方法。
【請求項１８】
前記プリセット条件が第4の条件をさらに含み、前記第4の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項15から17のいずれか一項に記載の方法。
【請求項１９】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項15に記載の方法。
【請求項２０】
前記指示情報の前記値が、前記時間ユニットサブセットに関連する事前定義された規則に従って設定される、請求項16に記載の方法。
【請求項２１】
前記少なくとも1つの周波数領域ユニットのそれぞれに対応し、前記第1の時間ユニットサブセットにある少なくとも1つの第1の時間ユニットについて、前記事前定義された規則が時間ユニットの順序で累計を実行する、または
前記少なくとも1つの周波数領域ユニットに対応し、前記第1の時間ユニットサブセットにある少なくとも1つの第1の時間ユニットについて、前記事前定義された規則が、まず周波数領域の順序で、次に時間領域の順序で累計を実行する、請求項20に記載の方法。
【請求項２２】
前記少なくとも1つのダウンリンク情報が第2のダウンリンク情報をさらに含み、前記第2のダウンリンク情報をスケジューリングするためのダウンリンク制御チャネルが、半永続スケジューリングのためのダウンリンク制御チャネルであり、前記第1のコードブックが、前記第2のダウンリンク情報に対応するフィードバック情報をさらに含む、請求項15から21のいずれか一項に記載の方法。
【請求項２３】
前記第1のアソシエーション関係が、標準に従って事前定義される、かつ／または無線リソース制御RRCシグナリングを使用することにより前記ネットワークデバイスによって前記端末デバイスのために構成される、請求項15から22のいずれか一項に記載の方法。
【請求項２４】
前記第2のアソシエーション関係が、前記第1のダウンリンク情報を動的にスケジューリングするための前記ダウンリンク制御チャネルによって指示される、請求項15から22のいずれか一項に記載の方法。
【請求項２５】
前記ネットワークデバイスによって、前記第2の時間ユニットにおいて、前記端末デバイスによって送信されたアップリンク制御情報を受信する、前記ステップの前に、前記方法は、
前記ネットワークデバイスによって、複数の候補コードブックモードから半永続コードブックモードを決定するステップであって、前記複数の候補コードブックモードが、半永続コードブックモードと動的コードブックモードとを含む、ステップと、
前記ネットワークデバイスによって、シグナリングを使用することにより前記端末デバイスのために前記半永続コードブックモードを構成するステップと
をさらに含む、請求項15から24のいずれか一項に記載の方法。
【請求項２６】
前記第1のプリセット値が1以上であり、前記第1のプリセット値が1より大きい場合、数が前記第1のプリセット値に等しい第1のダウンリンク情報が同じトランスポートブロック情報を運ぶ、請求項15から25のいずれか一項に記載の方法。
【請求項２７】
数が前記第1のプリセット値に等しい前記第1のダウンリンク情報が、1つのダウンリンク制御チャネルによってスケジューリングされる、請求項26に記載の方法。
【請求項２８】
前記第1のプリセット値が第3のプリセット値以下であり、前記第3のプリセット値が、上位層シグナリングを使用することにより構成されるダウンリンクアグリゲーションパラメータに基づいて決定される、請求項26に記載の方法。
【請求項２９】
時間ユニットセットにおける少なくとも1つの第1の時間ユニットにおいて少なくとも1つのダウンリンク情報を受信し、前記時間ユニットセットが、端末デバイスのために構成された少なくとも1つの周波数領域ユニットに対応する少なくとも1つの第1の時間ユニットのセットである、ように構成された送受信機ユニットと、
第2の時間ユニットを決定し、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ように構成され、第1のコードブックを決定し、時間ユニットサブセットにおける第1のダウンリンク情報がプリセット条件を満たす場合、前記第1のコードブックが前記第1のダウンリンク情報に対応するフィードバック情報を含み、前記第1のコードブックが、前記時間ユニットサブセットにおける特定の時間ユニットに対応するフィードバック情報を含まず、前記特定の時間ユニットが、前記第1のダウンリンク情報が配置されている第1の時間ユニット以外の前記時間ユニットセットにおける少なくとも1つの第1の時間ユニットであり、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ように構成された処理ユニットと
を備える、フィードバック情報を送信するための通信デバイスであって、
前記送受信機ユニットが、前記第2の時間ユニットにおいてアップリンク制御情報を送信し、前記アップリンク制御情報が前記第1のコードブックを運ぶ、ように構成される、通信デバイス。
【請求項３０】
前記プリセット条件が第2の条件をさらに含み、前記第2の条件が、前記第1のダウンリンク情報を動的にスケジューリングするためのダウンリンク制御チャネル上の指示情報の値が第2のプリセット値であることである、請求項29に記載の通信デバイス。
【請求項３１】
前記プリセット条件が第3の条件をさらに含み、前記第3の条件は、前記第1のダウンリンク情報が配置されている前記第1の時間ユニットが前記時間ユニットセットにおける特定の時間領域位置における第1の時間ユニットであることである、請求項29に記載の通信デバイス。
【請求項３２】
前記プリセット条件が第4の条件をさらに含み、前記第4の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項29から31のいずれか一項に記載の通信デバイス。
【請求項３３】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項29に記載の通信デバイス。
【請求項３４】
前記指示情報の前記値が、前記時間ユニットサブセットに関連する事前定義された規則に従って設定される、請求項30に記載の通信デバイス。
【請求項３５】
前記少なくとも1つの周波数領域ユニットのそれぞれに対応し、前記第1の時間ユニットサブセットにある少なくとも1つの第1の時間ユニットについて、前記事前定義された規則が時間ユニットの順序で累計を実行する、または
前記少なくとも1つの周波数領域ユニットに対応し、前記第1の時間ユニットサブセットにある少なくとも1つの第1の時間ユニットについて、前記事前定義された規則が、まず周波数領域の順序で、次に時間領域の順序で累計を実行する、請求項34に記載の通信デバイス。
【請求項３６】
前記少なくとも1つのダウンリンク情報が第2のダウンリンク情報をさらに含み、前記第2のダウンリンク情報をスケジューリングするためのダウンリンク制御チャネルが、半永続スケジューリングのためのダウンリンク制御チャネルであり、前記第1のコードブックが、前記第2のダウンリンク情報に対応するフィードバック情報をさらに含む、請求項29から35のいずれか一項に記載の通信デバイス。
【請求項３７】
前記第1のアソシエーション関係が、標準に従って事前定義される、かつ／または無線リソース制御RRCシグナリングを使用することによりネットワークデバイスによって前記端末デバイスのために構成される、請求項29から36のいずれか一項に記載の通信デバイス。
【請求項３８】
前記第2のアソシエーション関係が、前記第1のダウンリンク情報を動的にスケジューリングするための前記ダウンリンク制御チャネルに基づいて決定される、請求項29から36のいずれか一項に記載の通信デバイス。
【請求項３９】
前記処理ユニットが、複数の候補コードブックモードから半永続コードブックモードを決定し、前記複数の候補コードブックモードが、半永続コードブックモードと動的コードブックモードとを含む、ようにさらに構成される、請求項29から38のいずれか一項に記載の通信デバイス。
【請求項４０】
前記第1のプリセット値が1以上であり、前記第1のプリセット値が1より大きい場合、数が前記第1のプリセット値に等しい第1のダウンリンク情報が同じトランスポートブロック情報を運ぶ、請求項29から39のいずれか一項に記載の通信デバイス。
【請求項４１】
数が前記第1のプリセット値に等しい前記第1のダウンリンク情報が、1つのダウンリンク制御チャネルによってスケジューリングされる、請求項40に記載の通信デバイス。
【請求項４２】
前記第1のプリセット値が第3のプリセット値以下であり、前記第3のプリセット値が、上位層シグナリングを使用することにより構成されるダウンリンクアグリゲーションパラメータに基づいて決定される、請求項40に記載の通信デバイス。
【請求項４３】
時間ユニットセットにおける少なくとも1つの第1の時間ユニットにお少なくとも1つのダウンリンク情報を端末デバイスに送信し、前記時間ユニットセットが、前記端末デバイスのために構成された少なくとも1つの周波数領域ユニットに対応する少なくとも1つの第1の時間ユニットのセットである、ように構成された送受信機ユニットと、
第2の時間ユニットを決定し、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ように構成された処理ユニットと
を備える、フィードバック情報を送信するための通信デバイスであって、
前記送受信機ユニットが、前記第2の時間ユニットにおいて、前記端末デバイスによって送信された第1のコードブックを受信し、前記第1のコードブックが、時間ユニットサブセットにおける第1のダウンリンク情報がプリセット条件を満たす場合の第1のコードブックであり、前記第1のコードブックが前記第1のダウンリンク情報に対応するフィードバック情報を含み、前記第1のコードブックが、前記時間ユニットサブセットにおける特定の時間ユニットに対応するフィードバック情報を含まず、前記特定の時間ユニットが、前記第1のダウンリンク情報が配置されている第1の時間ユニット以外の前記時間ユニットセットにおける少なくとも1つの第1の時間ユニットであり、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ように構成される、通信デバイス。
【請求項４４】
前記プリセット条件が第2の条件をさらに含み、前記第2の条件が、前記第1のダウンリンク情報を動的にスケジューリングするためのダウンリンク制御チャネル上の指示情報の値が第2のプリセット値であることである、請求項43に記載の通信デバイス。
【請求項４５】
前記プリセット条件が第3の条件をさらに含み、前記第3の条件は、前記第1のダウンリンク情報が配置されている前記第1の時間ユニットが前記時間ユニットセットにおける特定の時間領域位置における第1の時間ユニットであることである、請求項43に記載の通信デバイス。
【請求項４６】
前記プリセット条件が第4の条件をさらに含み、前記第4の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項43から45のいずれか一項に記載の通信デバイス。
【請求項４７】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項43に記載の通信デバイス。
【請求項４８】
前記指示情報の前記値が、前記時間ユニットサブセットに関連する事前定義された規則に従って設定される、請求項44に記載の通信デバイス。
【請求項４９】
前記少なくとも1つの周波数領域ユニットのそれぞれに対応し、前記第1の時間ユニットサブセットにある少なくとも1つの第1の時間ユニットについて、前記事前定義された規則が時間ユニットの順序で累計を実行する、または
前記少なくとも1つの周波数領域ユニットに対応し、前記第1の時間ユニットサブセットにある少なくとも1つの第1の時間ユニットについて、前記事前定義された規則が、まず周波数領域の順序で、次に時間領域の順序で累計を実行する、請求項48に記載の通信デバイス。
【請求項５０】
前記少なくとも1つのダウンリンク情報が第2のダウンリンク情報をさらに含み、前記第2のダウンリンク情報をスケジューリングするためのダウンリンク制御チャネルが、半永続スケジューリングのためのダウンリンク制御チャネルであり、前記第1のコードブックが、前記第2のダウンリンク情報に対応するフィードバック情報をさらに含む、請求項43から49のいずれか一項に記載の通信デバイス。
【請求項５１】
前記第1のアソシエーション関係が、標準に従って事前定義される、かつ／または無線リソース制御RRCシグナリングを使用することによりネットワークデバイスによって前記端末デバイスのために構成される、請求項43から50のいずれか一項に記載の通信デバイス。
【請求項５２】
前記第2のアソシエーション関係が、前記第1のダウンリンク情報を動的にスケジューリングするための前記ダウンリンク制御チャネルによって指示される、請求項43から50のいずれか一項に記載の通信デバイス。
【請求項５３】
前記処理ユニットが、
複数の候補コードブックモードから半永続コードブックモードを決定し、前記複数の候補コードブックモードが、半永続コードブックモードと動的コードブックモードとを含む、
ようにさらに構成され、
前記送受信機ユニットが、シグナリングを使用することにより、前記端末デバイスのための前記半永続コードブックモードを指示するように構成される、請求項43から52のいずれか一項に記載の通信デバイス。
【請求項５４】
前記第1のプリセット値が1以上であり、前記第1のプリセット値が1より大きい場合、数が前記第1のプリセット値に等しい第1のダウンリンク情報が同じトランスポートブロック情報を運ぶ、請求項43から53のいずれか一項に記載の通信デバイス。
【請求項５５】
数が前記第1のプリセット値に等しい前記第1のダウンリンク情報が、1つのダウンリンク制御チャネルによってスケジューリングされる、請求項54に記載の通信デバイス。
【請求項５６】
前記第1のプリセット値が第3のプリセット値以下であり、前記第3のプリセット値が、上位層シグナリングを使用することにより構成されるダウンリンクアグリゲーションパラメータに基づいて決定される、請求項54に記載の通信デバイス。
【請求項５７】
通信デバイスであって、
コンピュータプログラムを格納するように構成されたメモリと、
前記メモリに格納された前記コンピュータプログラムを実行して、それにより前記通信デバイスが請求項1から28のいずれか一項に記載の方法を実行する、ように構成されたプロセッサと
を備える、通信デバイス。
【請求項５８】
コンピュータプログラムを含み、前記コンピュータプログラムがコンピュータ上で実行されると、前記コンピュータが、請求項1から28のいずれか一項に記載の方法を実行できる、コンピュータ可読記憶媒体。
【請求項５９】
コンピュータプログラムを含むコンピュータプログラム製品であって、前記コンピュータプログラム製品がコンピュータ上で実行されると、前記コンピュータが、請求項1から14または請求項15から28のいずれか一項に記載の方法を実行できる、コンピュータプログラム製品。
【請求項６０】
請求項1から14のいずれか一項に記載の方法を実行するように構成された通信デバイスと、請求項15から28のいずれか一項に記載の方法を実行するように構成された通信デバイスとを備える通信システム。
【発明の詳細な説明】
【技術分野】
【０００１】
本出願は、2018年2月13日に中国国家知識産権局に出願された「FEEDBACK INFORMATION TRANSMISSION METHOD AND COMMUNICATIONS DEVICE」と題する中国特許出願第201810150623．5号および2018年4月4日に中国国家知識産権局に出願された「FEEDBACK INFORMATION TRANSMISSION METHOD AND COMMUNICATIONS DEVICE」と題する中国特許出願第201810302168．6号の優先権を主張するものであり、これらは両方ともその全体が参照により本明細書に組み込まれる。
【０００２】
本出願は、通信分野に関し、より具体的には、フィードバック情報送信方法および通信デバイスに関する。
【背景技術】
【０００３】
ロングタームエボリューション（Long Term Evolution、LTE）システムは半永続コードブック構成をサポートしている、すなわち、コードブックの決定は半永続ダウンリンクサブフレームセットにおけるダウンリンクサブフレームの数に基づいて行われる。例えば、肯定応答（Acknowledgement、ACK）情報／否定応答（Negative−acknowledgement、NACK）情報のコードブックは、半永続ダウンリンクサブフレームセットにおけるすべてのダウンリンクサブフレームに対応するフィードバック情報を含む。ダウンリンクサブフレームは、実際にスケジューリングされた物理ダウンリンク共有チャネル（Physical Downlink Shared Channel、PDSCH）のダウンリンクサブフレーム、または半永続スケジューリング（Semi−Persistent Scheduling、SPS）解放指示のダウンリンクサブフレームを含み、スケジューリングされていないダウンリンクサブフレームも含む。スケジューリングされていないダウンリンクサブフレームまたはスケジューリングシグナリングが端末デバイスによって受信されていないダウンリンクサブフレームに対応するコードブックの位置にNACKが設定される。
【０００４】
既存のLTEシステムでは、フォールバックスケジューリングおよびコードブックフォールバックが、半永続コードブック構成のためにサポートされている。将来の第5世代（5th Generation、5G）システムは、LTEシステムとは異なる。したがって、フィードバック情報を運ぶアップリンク制御チャネルのリソース利用効率を改善するためにコードブックフォールバックおよびフォールバックスケジューリングメカニズムを5Gシステムにどのように実装するかが、5Gシステムにおいて緊急に解決される必要がある技術的課題になる。
【発明の概要】
【０００５】
本出願は、フィードバック情報を運ぶアップリンク制御チャネルのリソース利用効率を改善するために、フィードバック情報送信方法および通信デバイスを提供する。
【課題を解決するための手段】
【０００６】
第1の態様によれば、端末デバイスによって、時間ユニットセットにおける少なくとも1つの第1の時間ユニットにおいて少なくとも1つのダウンリンク情報を受信するステップであって、時間ユニットセットが、端末デバイスのために構成された少なくとも1つの周波数領域ユニットに対応する少なくとも1つの第1の時間ユニットのセットである、ステップと、
端末デバイスによって、第2の時間ユニットを決定するステップであって、第2の時間ユニットが、少なくとも1つのダウンリンク情報に対応するフィードバック情報を運ぶために使用され、時間ユニットセットと第2の時間ユニットとの間に第1のアソシエーション関係がある、ステップと、
端末デバイスによって、第1のコードブックを決定することであって、時間ユニットサブセットにおける第1のダウンリンク情報がプリセット条件を満たす場合、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある、ステップと、
端末デバイスによって、第2の時間ユニットにおいてアップリンク制御情報を送信するステップであって、アップリンク制御情報が第1のコードブックを運ぶ、ステップと
を含む、フィードバック情報送信方法が提供される。
【０００７】
本出願の本実施形態の技術的解決策では、端末デバイスが、第1のアソシエーション関係に対応する時間ユニットセットにおける複数の時間ユニットにおいて複数のダウンリンク情報をスケジューリングする場合に、第2のアソシエーション関係に対応するダウンリンク情報の数が第1の条件を満たすとき、コードブックフォールバックが実行され得、それにより、フィードバック情報を運ぶアップリンク制御チャネルのリソースをシステムによって利用する効率を改善する。
【０００８】
第1の態様に関連して、第1の態様のいくつかの実装形態では、プリセット条件が第2の条件をさらに含み、第2の条件が、第1のダウンリンク情報を動的にスケジューリングするためのダウンリンク制御チャネル上の指示情報の値が第2のプリセット値であることである。
【０００９】
場合により、第2のプリセット値が、ダウンリンク割当指標（Downlink Assignment indicator、DAI）値であり得る。
【００１０】
第1の態様に関連して、第1の態様のいくつかの実装形態では、プリセット条件が第3の条件をさらに含み、第3の条件は、第1のダウンリンク情報が配置されている第1の時間ユニットが時間ユニットセットにおける特定の時間領域位置における第1の時間ユニットであることである。
【００１１】
第1の態様に関連して、第1の態様のいくつかの実装形態では、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【００１２】
第1の態様に関連して、第1の態様のいくつかの実装形態では、プリセット条件が、第1の条件に加えて、第2の条件、第3の条件、および第4の条件のうちのいずれか1つまたは複数をさらに含み得る。例えば、プリセット条件は、第1の条件に加えて、第2の条件および第3の条件をさらに含む。あるいは、プリセット条件は、第1の条件に加えて、第2の条件および第4の条件をさらに含む。このことは、本出願において限定されない。
【００１３】
第1の態様に関連して、第1の態様のいくつかの実装形態では、時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【００１４】
第1の態様に関連して、第1の態様のいくつかの実装形態では、指示情報の値が、時間ユニットサブセットに関連する事前定義された規則に従って設定される。
【００１５】
第1の態様に関連して、第1の態様のいくつかの実装形態では、少なくとも1つの周波数領域ユニットのそれぞれに対応し、第1の時間ユニットサブセットにある少なくとも1つの第1の時間ユニットについて、事前定義された規則が時間ユニットの順序で累計を実行する、または
少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【００１６】
本出願の本実施形態の技術的解決策では、コードブックフォールバックに起因して引き起こされ得る端末デバイスとネットワークデバイスとの間における一貫しない理解の問題が、時間ユニットサブセットにおける独立したDAI累計によって解決される。
【００１７】
第1の態様に関連して、第1の態様のいくつかの実装形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【００１８】
第1の態様に関連して、第1の態様のいくつかの実装形態では、第1のアソシエーション関係が、標準に従って事前定義される、かつ／または無線リソース制御（Radio Resource Control、RRC）シグナリングを使用することによりネットワークデバイスによって端末デバイスのために構成される。
【００１９】
第1の態様に関連して、第1の態様のいくつかの実装形態では、第2のアソシエーション関係が、第1のダウンリンク情報を動的にスケジューリングするためのダウンリンク制御チャネルに基づいて決定される。
【００２０】
第1の態様に関連して、第1の態様のいくつかの実装形態では、端末デバイスによって第1のコードブックを決定するステップの前に、本方法は、
端末デバイスによって、複数の候補コードブックモードから半永続コードブックモードを決定するステップであって、複数の候補コードブックモードが、半永続コードブックモードと動的コードブックモードとを含む、ステップ
をさらに含む。
【００２１】
第1の態様に関連して、第1の態様のいくつかの実装形態では、第1のプリセット値が1以上であり、第1のプリセット値が1より大きい場合、数が第1のプリセット値に等しい第1のダウンリンク情報が同じトランスポートブロック情報を運ぶ。
【００２２】
第1の態様に関連して、第1の態様のいくつかの実装形態では、数が第1のプリセット値に等しい第1のダウンリンク情報が、1つのダウンリンク制御チャネルによってスケジューリングされる。
【００２３】
第1の態様に関連して、第1の態様のいくつかの実装形態では、第1のプリセット値が第3のプリセット値以下であり、第3のプリセット値が、上位層シグナリングを使用することにより構成されるダウンリンクアグリゲーションパラメータに基づいて決定される。
【００２４】
第2の態様によれば、ネットワークデバイスによって、時間ユニットセットにおける少なくとも1つの第1の時間ユニットにおいて少なくとも1つのダウンリンク情報を端末デバイスに送信するステップであって、時間ユニットセットが、端末デバイスのために構成された少なくとも1つの周波数領域ユニットに対応する少なくとも1つの第1の時間ユニットのセットである、ステップと、
ネットワークデバイスによって、第2の時間ユニットを決定するステップであって、第2の時間ユニットが、少なくとも1つのダウンリンク情報に対応するフィードバック情報を運ぶために使用され、時間ユニットセットと第2の時間ユニットとの間に第1のアソシエーション関係がある、ステップと、
ネットワークデバイスによって、第2の時間ユニットにおいて、端末デバイスによって送信されたアップリンク制御情報を受信するステップであって、アップリンク制御情報が第1のコードブックを運び、第1のコードブックは、時間ユニットサブセットにおける第1のダウンリンク情報がプリセット条件を満たす場合の第1のコードブックであり、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある、ステップと
を含む、フィードバック情報送信方法が提供される。
【００２５】
本出願の本実施形態の技術的解決策では、ネットワークデバイスが、端末デバイスによって送信された第1のコードブックを受信する。時間ユニットサブセットにおける第1のダウンリンク情報がプリセット条件を満たす場合、コードブックフォールバックが第1のコードブックのために実行され、それにより、システムによる、フィードバック情報を運ぶアップリンク制御チャネルのリソースを利用する効率を改善する。
【００２６】
第2の態様に関連して、第2の態様のいくつかの実装形態では、プリセット条件が第2の条件をさらに含み、第2の条件が、第1のダウンリンク情報を動的にスケジューリングするためのダウンリンク制御チャネル上の指示情報の値が第2のプリセット値であることである。
【００２７】
第2の態様に関連して、第2の態様のいくつかの実装形態では、プリセット条件が第3の条件をさらに含み、第3の条件は、第1のダウンリンク情報が配置されている第1の時間ユニットが時間ユニットセットにおける特定の時間領域位置における第1の時間ユニットであることである。
【００２８】
第2の態様に関連して、第2の態様のいくつかの実施態様では、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【００２９】
第2の態様に関連して、第2の態様のいくつかの実装形態では、プリセット条件が、第1の条件に加えて、第2の条件、第3の条件、および第4の条件のうちのいずれか1つまたは複数をさらに含み得る。例えば、プリセット条件は、第1の条件に加えて、第2の条件および第3の条件をさらに含む。あるいは、プリセット条件は、第1の条件に加えて、第2の条件および第4の条件をさらに含む。このことは、本出願において限定されない。
【００３０】
第2の態様に関連して、第2の態様のいくつかの実装形態では、時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【００３１】
第2の態様に関連して、第2の態様のいくつかの実装形態では、指示情報の値が、時間ユニットサブセットに関連する事前定義された規則に従って設定される。
【００３２】
第2の態様に関連して、第2の態様のいくつかの実装形態では、少なくとも1つの周波数領域ユニットのそれぞれに対応し、第1の時間ユニットサブセットにある少なくとも1つの第1の時間ユニットについて、事前定義された規則が時間ユニットの順序で累計を実行する、または
少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【００３３】
本出願の本実施形態の技術的解決策では、コードブックフォールバックに起因して引き起こされ得る端末デバイスとネットワークデバイスとの間における一貫しない理解の問題が、時間ユニットサブセットにおける独立したDAI累計によって解決される。
【００３４】
第2の態様に関連して、第2の態様のいくつかの実装形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【００３５】
第2の態様に関連して、第2の態様のいくつかの実装形態では、第1のアソシエーション関係が、標準に従って事前定義される、かつ／または無線リソース制御RRCシグナリングを使用することによりネットワークデバイスによって端末デバイスのために構成される。
【００３６】
第2の態様に関連して、第2の態様のいくつかの実装形態では、第2のアソシエーション関係が、第1のダウンリンク情報を動的にスケジューリングするためのダウンリンク制御チャネルによって指示される。
【００３７】
第2の態様に関連して、第2の態様のいくつかの実装形態では、ネットワークデバイスによって第2の時間ユニットにおいて、端末デバイスによって送信されたアップリンク制御情報を受信するステップの前に、本方法は、
ネットワークデバイスによって、複数の候補コードブックモードから半永続コードブックモードを決定するステップであって、複数の候補コードブックモードが、半永続コードブックモードと動的コードブックモードとを含む、ステップと、
ネットワークデバイスによって、シグナリングを使用することにより端末デバイスのために半永続コードブックモードを構成するステップと
をさらに含む。
【００３８】
第2の態様に関連して、第2の態様のいくつかの実装形態では、第1のプリセット値が1以上であり、第1のプリセット値が1より大きい場合、数が第1のプリセット値に等しい第1のダウンリンク情報が同じトランスポートブロック情報を運ぶ。
【００３９】
第2の態様に関連して、第2の態様のいくつかの実装形態では、数が第1のプリセット値に等しい第1のダウンリンク情報が、1つのダウンリンク制御チャネルによってスケジューリングされる。
【００４０】
第2の態様に関連して、第2の態様のいくつかの実装形態では、第1のプリセット値が第3のプリセット値以下であり、第3のプリセット値が、上位層シグナリングを使用することにより構成されるダウンリンクアグリゲーションパラメータに基づいて決定される。
【００４１】
第1の態様および第2の態様に関連して、いくつかの可能な実装形態では、少なくとも1つのダウンリンク情報が、動的スケジューリングのダウンリンク情報であり、具体的には、半永続スケジューリングSPS解放指示または動的にスケジューリングされたダウンリンクデータチャネルを含み得る。動的にスケジューリングされたダウンリンクデータチャネルは、ダウンリンク制御チャネルを通じて動的にスケジューリングされ、動的スケジューリングは、ダウンリンクデータチャネルの各送信が、対応するダウンリンク制御チャネルを通じてスケジューリングされる必要があることを意味する。
【００４２】
半永続的にスケジューリングされたダウンリンクデータチャネルは、半永続ダウンリンク制御チャネルを通じてスケジューリングされる。半永続ダウンリンク制御チャネルを通じて制御情報が送信されると、対応する半永続ダウンリンクデータチャネルが、半永続ダウンリンク制御チャネルを毎回送信する必要なしに、事前構成された送信サイクルに従って常に送信され得る。半永続ダウンリンクスケジューリングは、特定のダウンリンク制御チャネルを通じて解放され得る。半永続ダウンリンクスケジューリングの解放指示を実施するために使用されるダウンリンク制御チャネルは、通常、ダウンリンクデータチャネルをスケジューリングするためには使用されない。しかしながら、端末デバイスはまた、ダウンリンク制御チャネルのためにACK／NACKフィードバック情報をフィードバックする必要がある。
【００４３】
第1の態様または第2の態様に関連して、いくつかの可能な実装形態では、時間ユニットが、スロット、ミニスロット、およびサブフレームのうちの少なくとも1つであり得る。
【００４４】
第1の態様または第2の態様に関連して、いくつかの可能な実装形態では、周波数領域ユニットが、キャリアまたはキャリア帯域幅部分（Bandwidth Part、BWP）であり得る。
【００４５】
第1の態様または第2の態様に関連して、いくつかの可能な実装形態では、第1の時間ユニットが、ダウンリンク時間ユニットまたは柔軟な時間ユニットである。
【００４６】
第1の態様または第2の態様に関連して、いくつかの可能な実装形態では、第2の時間ユニットが、アップリンク時間ユニットまたは柔軟な時間ユニットである。
【００４７】
第1の態様または第2の態様に関連して、いくつかの可能な実装形態では、フォールバックスケジューリングのためのダウンリンク制御チャネルが、以下の特徴、すなわち、
ダウンリンク制御チャネルが、RRC確立前に実行されるデータスケジューリングに使用されることと、制御チャネルにおけるすべてのフィールド、例えば、時間領域リソース割当フィールド、ダウンリンク割当指標（Downlink assignment indicator、DAI）フィールド、およびBWP指示フィールドの値のうちのいずれもRRC専用シグナリングを使用することにより構成されないことと
のうちの少なくとも1つを有する。
【００４８】
第1の態様または第2の態様に関連して、いくつかの可能な実装形態では、端末デバイスが、非フォールバックスケジューリングのためのダウンリンク制御チャネルを検出するように構成され得る。制御チャネルは、以下の特徴、すなわち、
ダウンリンク制御チャネルが、RRC確立後に実行されるデータスケジューリングに使用されることと、制御チャネルにおける少なくとも1つのフィールド、例えば、時間領域リソース割当フィールド、ダウンリンク割当指標（Downlink assignment indicator、DAI）フィールド、およびBWP指示フィールドの値がRRC専用シグナリングを使用することにより構成され得ることと
のうちの少なくとも1つを有する。
【００４９】
第1の態様または第2の態様に関連して、いくつかの可能な実装形態では、第1のダウンリンク情報を動的にスケジューリングするためのダウンリンク制御チャネルに含まれる第1の指示情報がDAIフィールドであり、プリセット値が、好ましくは、DAI＝1またはDAIフィールドの状態「00」によって指示された値である。
【００５０】
第1の態様または第2の態様に関連して、いくつかの可能な実装形態では、動的コードブックモードにおいて、端末デバイスがフィードバック情報の第2のコードブックを決定し、第2のコードブックが、時間ユニットセットにおける実際にスケジューリングされた第1の時間ユニットに対応するフィードバック情報を含む。
【００５１】
第1の態様または第2の態様に関連して、いくつかの可能な実装形態では、端末デバイスが第1のコードブックに基づいて第2の時間ユニットにおいてフィードバック情報を送信する前に、端末デバイスが、アップリンク制御チャネルのターゲットリソースセットを決定し、ターゲットリソースセットからアップリンク制御チャネルのターゲットリソースを決定する。端末デバイスは、第2の時間ユニットにおけるターゲットリソース上でアップリンク制御情報を送信し、アップリンク制御情報が第1のコードブックを運ぶ。
【００５２】
第1の態様または第2の態様に関連して、いくつかの可能な実装形態では、例えば、少なくとも1つのダウンリンク情報における第1のダウンリンク情報の数が第1のプリセット値（例えば、第1のプリセット値は1である）に等しい場合、または上述の他の条件が満たされた場合、つまり、この場合の第1のコードブックはフォールバックコードブックである場合、ターゲットリソースセットが第1のリソースセットであり、第1のリソースセットに対応する第1のコードブックのコードブックサイズが2以下である。
【００５３】
第1の態様または第2の態様に関連して、いくつかの可能な実装形態では、少なくとも1つのダウンリンク情報における第1のダウンリンク情報の数が第1のプリセット値ではない場合、ターゲットリソースセットが第2のリソースセットであり、第2のリソースセットに対応する第1のコードブックのコードブックサイズが2より大きい。この場合、第1のコードブックは、非フォールバックコードブックまたは通常の半永続コードブックである。この場合、端末デバイスは、第2のリソースセットにおける第2のターゲットリソース上でフィードバック情報の第1のコードブックを送信する。
【００５４】
第3の態様によれば、時間ユニットセットにおける少なくとも1つの第1の時間ユニットにおいて少なくとも1つのダウンリンク情報を受信し、時間ユニットセットが、端末デバイスのために構成された少なくとも1つの周波数領域ユニットに対応する少なくとも1つの第1の時間ユニットのセットである、ように構成された送受信機ユニットと、
第2の時間ユニットを決定し、第2の時間ユニットが、少なくとも1つのダウンリンク情報に対応するフィードバック情報を運ぶために使用され、時間ユニットセットと第2の時間ユニットとの間に第1のアソシエーション関係がある、ように構成され、第1のコードブックを決定し、時間ユニットサブセットにおける第1のダウンリンク情報がプリセット条件を満たす場合、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある、ように構成された処理ユニットと
を備える、フィードバック情報を送信するための通信デバイスであって、
送受信機ユニットが、第2の時間ユニットにおいてアップリンク制御情報を送信し、アップリンク制御情報が第1のコードブックを運ぶ、ように構成される、通信デバイスが提供される。
【００５５】
本出願の本実施形態の技術的解決策では、半永続コードブックモードにおいて、フィードバック情報を送信するための通信デバイスが、フィードバック情報を送信するために少なくとも1つの時間ユニットにおいて複数のダウンリンク情報をスケジューリングする場合に、具体的には、第1のアソシエーション関係に対応する時間ユニットセットにおける複数の時間ユニットにおいて複数のダウンリンク情報をスケジューリングする場合に、第2のアソシエーション関係に対応するダウンリンク情報の数が第1の条件を満たすとき、コードブックフォールバックが実行され得、それにより、システムによる、フィードバック情報を運ぶアップリンク制御チャネルのリソースを利用する効率を改善する。
【００５６】
第3の態様に関連して、第3の態様のいくつかの実装形態では、プリセット条件が第2の条件をさらに含み、第2の条件が、第1のダウンリンク情報を動的にスケジューリングするためのダウンリンク制御チャネル上の指示情報の値が第2のプリセット値であることである。
【００５７】
第3の態様に関連して、第3の態様のいくつかの実装形態では、プリセット条件が第3の条件をさらに含み、第3の条件は、第1のダウンリンク情報が配置されている第1の時間ユニットが時間ユニットセットにおける特定の時間領域位置における第1の時間ユニットであることである。
【００５８】
第3の態様に関連して、第3の態様のいくつかの実装形態では、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【００５９】
第3の態様に関連して、第3の態様のいくつかの実装形態では、時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【００６０】
第3の態様に関連して、第3の態様のいくつかの実装形態では、指示情報の値が、時間ユニットサブセットに関連する事前定義された規則に従って設定される。
【００６１】
第3の態様に関連して、第3の態様のいくつかの実装形態では、少なくとも1つの周波数領域ユニットのそれぞれに対応し、第1の時間ユニットサブセットにある少なくとも1つの第1の時間ユニットについて、事前定義された規則が時間ユニットの順序で累計を実行する、または
少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【００６２】
本出願の本実施形態の技術的解決策では、コードブックフォールバックに起因して引き起こされ得る端末デバイスとネットワークデバイスとの間における一貫しない理解の問題が、時間ユニットサブセットにおける独立したDAI累計によって解決される。
【００６３】
第3の態様に関連して、第3の態様のいくつかの実装形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【００６４】
第3の態様に関連して、第3の態様のいくつかの実装形態では、第1のアソシエーション関係が、標準に従って事前定義される、かつ／または無線リソース制御RRCシグナリングを使用することによりネットワークデバイスによって端末デバイスのために構成される。
【００６５】
第3の態様に関連して、第3の態様のいくつかの実装形態では、第2のアソシエーション関係が、動的スケジューリングのためのダウンリンク制御チャネルに基づいて決定される。
【００６６】
第3の態様に関連して、第3の態様のいくつかの実装形態では、処理ユニットが、複数の候補コードブックモードから半永続コードブックモードを決定し、複数の候補コードブックモードが、半永続コードブックモードと動的コードブックモードとを含む、ようにさらに構成される。
【００６７】
第3の態様に関連して、第3の態様のいくつかの実装形態では、第1のプリセット値が1以上であり、第1のプリセット値が1より大きい場合、数が第1のプリセット値に等しい第1のダウンリンク情報が同じトランスポートブロック情報を運ぶ。
【００６８】
第3の態様に関連して、第3の態様のいくつかの実装形態では、数が第1のプリセット値に等しい第1のダウンリンク情報が、1つのダウンリンク制御チャネルによってスケジューリングされる。
【００６９】
第3の態様に関連して、第3の態様のいくつかの実装形態では、第1のプリセット値が第3のプリセット値以下であり、第3のプリセット値が、上位層シグナリングを使用することにより構成されるダウンリンクアグリゲーションパラメータに基づいて決定される。
【００７０】
第4の態様によれば、時間ユニットセットにおける少なくとも1つの第1の時間ユニットにおいて少なくとも1つのダウンリンク情報を端末デバイスに送信し、時間ユニットセットが、端末デバイスのために構成された少なくとも1つの周波数領域ユニットに対応する少なくとも1つの第1の時間ユニットのセットである、ように構成された送受信機ユニットと、
第2の時間ユニットを決定し、第2の時間ユニットが、少なくとも1つのダウンリンク情報に対応するフィードバック情報を運ぶために使用され、時間ユニットセットと第2の時間ユニットとの間に第1のアソシエーション関係がある、ように構成された処理ユニットと
を備える、フィードバック情報を送信するための通信デバイスであって、
送受信機ユニットが、第2の時間ユニットにおいて、端末デバイスによって送信されたアップリンク制御情報を受信し、アップリンク制御情報が第1のコードブックを運び、第1のコードブックは、時間ユニットサブセットにおける第1のダウンリンク情報がプリセット条件を満たす場合の第1のコードブックであり、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある、ように構成される、通信デバイスが提供される。
【００７１】
本出願の本実施形態の技術的解決策では、ネットワークデバイスが、端末デバイスによって送信された第1のコードブックを受信する。時間ユニットサブセットにおける第1のダウンリンク情報がプリセット条件を満たす場合、コードブックフォールバックが第1のコードブックのために実行され、それにより、システムによる、フィードバック情報を運ぶアップリンク制御チャネルのリソースを利用する効率を改善する。
【００７２】
第4の態様に関連して、第4の態様のいくつかの実装形態では、プリセット条件が第2の条件をさらに含み、第2の条件が、第1のダウンリンク情報を動的にスケジューリングするためのダウンリンク制御チャネル上の指示情報の値が第2のプリセット値であることである。
【００７３】
第4の態様に関連して、第4の態様のいくつかの実装形態では、プリセット条件が第3の条件をさらに含み、第3の条件は、第1のダウンリンク情報が配置されている第1の時間ユニットが時間ユニットセットにおける特定の時間領域位置における第1の時間ユニットであることである。
【００７４】
第4の態様に関連して、第4の態様のいくつかの実装形態では、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【００７５】
第4の態様に関連して、第4の態様のいくつかの実装形態では、時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【００７６】
第4の態様に関連して、第4の態様のいくつかの実装形態では、指示情報の値が、時間ユニットサブセットに関連する事前定義された規則に従って設定される。
【００７７】
第4の態様に関連して、第4の態様のいくつかの実装形態では、少なくとも1つの周波数領域ユニットのそれぞれに対応し、第1の時間ユニットサブセットにある少なくとも1つの第1の時間ユニットについて、事前定義された規則が時間ユニットの順序で累計を実行する、または
少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【００７８】
本出願の本実施形態の技術的解決策では、コードブックフォールバックに起因して引き起こされ得る端末デバイスとネットワークデバイスとの間における一貫しない理解の問題が、時間ユニットサブセットにおける独立したDAI累計によって解決される。
【００７９】
第4の態様に関連して、第4の態様のいくつかの実装形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【００８０】
第4の態様に関連して、第4の態様のいくつかの実装形態では、第1のアソシエーション関係が、標準に従って事前定義される、かつ／または無線リソース制御RRCシグナリングを使用することによりネットワークデバイスによって端末デバイスのために構成される。
【００８１】
第4の態様に関連して、第4の態様のいくつかの実装形態では、第2のアソシエーション関係が、第1のダウンリンク情報を動的にスケジューリングするためのダウンリンク制御チャネルによって指示される。
【００８２】
第4の態様に関連して、第4の態様のいくつかの実装形態では、処理ユニットが、
複数の候補コードブックモードから半永続コードブックモードを決定し、複数の候補コードブックモードが、半永続コードブックモードと動的コードブックモードとを含む、
ようにさらに構成され、
送受信機ユニットが、シグナリングを使用することにより端末デバイスのために半永続コードブックモードを構成するようにさらに構成される。
【００８３】
第4の態様に関連して、第4の態様のいくつかの実装形態では、第1のプリセット値が1以上であり、第1のプリセット値が1より大きい場合、数が第1のプリセット値に等しい第1のダウンリンク情報が同じトランスポートブロック情報を運ぶ。
【００８４】
第4の態様に関連して、第4の態様のいくつかの実装形態では、数が第1のプリセット値に等しい第1のダウンリンク情報が、1つのダウンリンク制御チャネルによってスケジューリングされる。
【００８５】
第4の態様に関連して、第4の態様のいくつかの実装形態では、第1のプリセット値が第3のプリセット値以下であり、第3のプリセット値が、上位層シグナリングを使用することにより構成されるダウンリンクアグリゲーションパラメータに基づいて決定される。
【００８６】
第5の態様によれば、フィードバック情報を送信するための通信デバイスであって、メモリとプロセッサとを備え、メモリが、コンピュータプログラムを格納するように構成され、プロセッサが、メモリ内のコンピュータプログラムを呼び出して実行するように構成され、これにより、通信デバイスが、第1の態様および第1の態様の実装形態における方法、または第2の態様および第2の態様の実装形態における方法のいずれかを実行する、通信デバイスが提供される。
【００８７】
第6の態様によれば、通信システムであって、本システムが、第3の態様または第3の態様の任意の可能な実装形態における通信デバイスと、第4の態様または第4の態様の任意の可能な実装形態における通信デバイスとを備える、通信システムが提供される。
【００８８】
第7の態様によれば、チップシステムであって、メモリとプロセッサとを備え、メモリが、コンピュータプログラムを格納するように構成され、プロセッサが、メモリ内のコンピュータプログラムを呼び出して実行するように構成され、これにより、チップシステムを設けられた通信デバイスが、第1の態様および第1の態様の実装形態における方法、または第2の態様および第2の態様の実装形態における方法のいずれかを実行する、チップシステムが提供される。
【００８９】
第8の態様によれば、コンピュータプログラムコードを含み、コンピュータプログラムコードが、通信デバイス（例えば、端末デバイスまたはネットワークデバイス）のものである通信ユニットおよび処理ユニットまたは送受信機およびプロセッサによって実行されると、通信デバイスが、第1の態様および第1の態様の実装形態における方法、または第2の態様および第2の態様の実装形態における方法のいずれかを実行できる、コンピュータプログラム製品が提供される。
【００９０】
第9の態様によれば、プログラムを格納し、プログラムは、通信デバイス（例えば、端末デバイスまたはネットワークデバイス）が、第1の態様および第1の態様の実装形態における方法または第2の態様および第2の態様の実装形態における方法のいずれかを実行できるようにする、コンピュータ可読記憶媒体が提供される。
【図面の簡単な説明】
【００９１】
【図１】本出願の一実施形態による通信システムの概略図である。
【図２】本出願の一実施形態による、半永続コードブックに基づくLTEシステムにおける（例として単一のTDDキャリアが使用される）アソシエーション関係の概略図である。
【図３】本出願の一実施形態による、5Gシステムにおける（例として単一のTDDキャリアが使用される）アソシエーション関係の概略図である。
【図４】本出願の一実施形態による、端末デバイスによってフィードバック情報を送信する相互作用フローチャートである。
【図５】本出願の一実施形態による、1つのDCIを使用することにより複数のPDSCHをスケジューリングする概略図である。
【図６】本出願の一実施形態によるフィードバック情報フォールバックモードの概略図である。
【図７】本出願の一実施形態によるフィードバック情報フォールバックモードの概略図である。
【図８】本出願の一実施形態による通信デバイスの概略構成図である。
【図９】本出願の一実施形態による通信デバイスの概略構成図である。
【図１０】本出願の別の実施形態による通信デバイスの概略構成図である。
【図１１】本出願の別の実施形態による通信デバイスの概略構成図である。
【発明を実施するための形態】
【００９２】
以下、添付の図面を参照しながら本出願の技術的解決策を説明する。
【００９３】
本出願の実施形態の技術的解決策は、様々な通信システムに適用され得る、汎欧州デジタル移動電話方式（Global System for Mobile communications、GSM）システム、符号分割多元接続（Code Division Multiple Access、CDMA）システム、広帯域符号分割多元接続（Wideband Code Division Multiple Access、WCDMA（登録商標））システム、汎用パケット無線サービス（General Packet Radio Service、GPRS）システム、ロングタームエボリューション（Long Term Evolution、LTE）システム、LTE周波数分割複信（Frequency Division Duplex、FDD）システム、LTE時分割複信（Time Division Duplex、TDD）システム、ユニバーサルモバイルテレコミュニケーションズシステム（Universal Mobile Telecommunications System、UMTS）、ワールドワイド・インターオペラビリティ・フォー・マイクロウェーブ・アクセス（Worldwide Interoperability for Microwave Access、WiMAX）通信システム、将来の第5世代（5th Generation、5G）システム、またはnew radio（New Radio、NR）システムなどに適用され得る。
【００９４】
本出願の実施形態における端末デバイスは、ユーザ機器、アクセス端末、加入者ユニット、加入者局、移動局、モバイルコンソール、リモートステーション、リモート端末、モバイルデバイス、ユーザ端末、端末、無線通信デバイス、ユーザエージェント、またはユーザ通信デバイスと呼ばれる場合もある。あるいは、端末デバイスは、携帯電話、コードレス電話、セッション・イニシエーション・プロトコル（Session Initiation Protocol、SIP）電話、無線ローカルループ（Wireless Local Loop、WLL）局、携帯情報端末（Personal Digital Assistant、PDA）、無線通信機能を有するハンドヘルドデバイスもしくはコンピューティングデバイス、または無線モデムに接続された別の処理デバイス、車載デバイス、将来の5Gネットワークにおける端末デバイス、将来の発展型の公衆陸上携帯電話網（Public Land Mobile Network、PLMN）における端末デバイスなどであり得る。このことは、本出願の実施形態において限定されない。
【００９５】
本出願の実施形態では、端末デバイスは代替的にウェアラブルデバイスであってもよい。ウェアラブルデバイスはまた、ウェアラブルインテリジェントデバイスとも呼ばれる場合もあり、ウェアラブル技術を使用することによりデイリーウェアラブルのインテリジェントデザインを通じて開発されたウェアラブルデバイス、例えば、メガネ、手袋、時計、衣服、および靴の総称である。ウェアラブルデバイスは、身体に直接装着されるか、ユーザの衣服や装身具に組み込まれるポータブルデバイスである。ウェアラブルデバイスは、ハードウェアデバイスであるだけでなく、ソフトウェアサポート、データ交換、およびクラウドベースの相互作用を通じて強力な機能を実装する。広義では、ウェアラブルインテリジェントデバイスは、完全な機能を提供し、大型のサイズを有し、スマートフォンに依存せずにすべてまたは一部の機能を実装し得るデバイス、例えばスマートウォッチまたはスマートグラスを含み、また特定のタイプのアプリケーション機能のみに焦点を当て、スマートフォンなどの別のデバイスと組み合わせて使用される必要があるデバイス、例えば、バイタルサインの監視のための様々なスマートバンドおよびスマートジュエリーを含む。
【００９６】
加えて、本出願の実施形態では、端末デバイスは、代替的に、モノのインターネット（Internet of Things、IoT）システムにおける端末デバイスであってもよい。IoTは情報技術の将来の開発の重要な部分であり、IoTの主な技術的特徴は、通信技術を使用することによりモノをネットワークに接続し、それにより人と機械との間またはモノどうし間の相互接続のためのインテリジェントネットワークを実装することである。
【００９７】
本出願の実施形態では、IoT技術は、例えば狭帯域（Narrow Band）NB技術を使用することにより、大規模な接続、詳細なカバレッジ、および端末のための省電力を実装することができる。例えば、NBは1つのリソースブロック（Resource Block、RB）のみを含む。換言すれば、NBの帯域幅は180KBしかない。大規模な接続を実装するには、端末が離散アクセスを実行する必要がある。本出願の実施形態による通信方法により、IoT技術を使用することによりNBに基づいて大量の端末がネットワークにアクセスする際に発生する輻輳問題が効果的に解決され得る。
【００９８】
本出願の実施形態では、ネットワークデバイスは、アクセスネットワークデバイスまたはコアネットワークデバイスを含み得る。
【００９９】
アクセスネットワークデバイスは、モバイルデバイスと通信するように構成された、アクセスネットワークデバイスなどのデバイスであり得る。アクセスネットワークデバイスは、WLANにおけるアクセスポイント（Access Point、AP）、GSMまたはCDMAにおけるベーストランシーバ基地局（Base Transceiver Station、BTS）、WCDMA（登録商標）におけるNodeB（NodeB、NB）、new radio（New Radio、NR）システムにおけるgNB、LTEにおける発展型NodeB（Evolutional Node B、eNBまたはeNodeB）、リレーノード、アクセスポイント、車載デバイス、ウェアラブルデバイス、将来の5Gネットワークにおけるアクセスネットワークデバイス、将来の発展型のPLMNネットワークにおけるアクセスネットワークデバイスなどであり得る。
【０１００】
加えて、本出願の実施形態では、アクセスネットワークデバイスはセルにサービスを提供し、端末デバイスは、セルによって使用される送信リソース（例えば、周波数領域リソースまたはスペクトルリソース）を使用することによりアクセスネットワークデバイスと通信する。セルは、アクセスネットワークデバイス（例えば、基地局）に対応するセルであり得る。セルは、マクロ基地局、またはスモールセル（Small cell）に対応する基地局に属し得る。ここでのスモールセルは、メトロセル（Metro cell）、マイクロセル（Micro cell）、ピコセル（Pico cell）、フェムトセル（Femto cell）などを含み得る。これらのスモールセルは、小カバレッジおよび低送信電力を特徴とし、高速データ送信サービスを提供するのに適している。
【０１０１】
加えて、LTEシステムまたは5Gシステムにおけるキャリアでは、複数のセルが1つの周波数で動作する場合がある。いくつかの特別なシナリオでは、キャリアの概念がセルの概念と同等であると見なされ得る。例えば、キャリアアグリゲーション（Carrier Aggregation、CA）シナリオでは、セカンダリコンポーネントキャリアが端末デバイスのために構成されている場合、構成は、セカンダリコンポーネントキャリアのキャリアインデックスと、セカンダリコンポーネントキャリア上で動作するセカンダリサービングセルのセルアイデンティティ（Cell Identity、セルID）との両方を運ぶ。この場合、キャリアの概念がセルの概念と同等であると見なされ得る。例えば、端末デバイスがキャリアにアクセスすることは、端末デバイスがセルにアクセスすることと同等である。
【０１０２】
コアネットワークデバイスは、複数のアクセスネットワークデバイスに接続される場合があり、アクセスネットワークデバイスを制御するように構成され、ネットワーク側（例えば、インターネット）から受信されたデータをアクセスネットワークデバイスに配信し得る。
【０１０３】
端末デバイス、アクセスネットワークデバイス、およびコアネットワークデバイスの上に記載された機能および特定の実装形態は単なる例であり、本出願はそれに限定されないことを理解されたい。
【０１０４】
図1は、本出願の一実施形態における通信方法が適用可能なシステム100の概略図である。図1に示されるように、システム100はネットワークデバイス102を含み、ネットワークデバイス102は、1つまたは複数のアンテナ、例えば、アンテナ104、106、108、110、112、および114を備え得る。加えて、ネットワークデバイス102は、送信系および受信系をさらに備え得る。送信系および受信系がそれぞれ、信号の送信および受信に関連する複数のコンポーネント、（プロセッサ、変調器、マルチプレクサ、復調器、デマルチプレクサ、またはアンテナなど）を備え得ることを当業者であれば理解されよう。
【０１０５】
ネットワークデバイス102は、複数の端末デバイス（例えば、端末デバイス116および端末デバイス122）と通信することができる。ただし、ネットワークデバイス102は、端末デバイス116または端末デバイス122と同様の任意の数の端末デバイスと通信し得ることが理解されよう。端末デバイス116および122は、例えば、携帯電話、スマートフォン、ポータブルコンピュータ、ハンドヘルド通信デバイス、ハンドヘルドコンピューティングデバイス、衛星無線通信デバイス、全地球測位システム、PDA、および／またはシステム100において通信を実行するように構成された他の任意の適切なデバイスであり得る。
【０１０６】
図1に示されるように、端末デバイス116は、アンテナ112および114と通信する。アンテナ112および114は、フォワードリンク（ダウンリンクとも呼ばれ得る）118を介して端末デバイス116に情報を送信し、リバースリンク（アップリンクとも呼ばれ得る）120を介して端末デバイス116から情報を受信する。加えて、端末デバイス122は、アンテナ104および106と通信する。アンテナ104および106は、フォワードリンク124を介して端末デバイス122に情報を送信し、リバースリンク126を介して端末デバイス122から情報を受信する。
【０１０７】
例えば、周波数分割複信（Frequency Division Duplex、FDD）システムでは、フォワードリンク118で使用される周波数帯域は、リバースリンク120で使用される周波数帯域とは異なり得、フォワードリンク124で使用される周波数帯域は、リバースリンク126で使用される周波数帯域とは異なり得る。
【０１０８】
例えば、時分割複信（Time Division Duplex、TDD）システムまたは全二重（Full Duplex）システムでは、フォワードリンク118で使用される周波数帯域は、リバースリンク120で使用される周波数帯域と同じであり得、フォワードリンク124で使用される周波数帯域は、リバースリンク126で使用される周波数帯域と同じであり得る。
【０１０９】
通信のために設計されている各アンテナ（または複数のアンテナを含むアンテナグループ）のカバレッジエリアおよび／または送信エリアは、ネットワークデバイス102のセクタと呼ばれる。例えば、アンテナグループは、ネットワークデバイス102のセクタ、すなわちカバレッジエリアにおける端末デバイスと通信するように設計され得る。ネットワークデバイスは、単一のアンテナを使用することにより、またはマルチアンテナ送信ダイバーシチを介して、ネットワークデバイスに対応するセクタにおけるすべての端末デバイスに信号を送信し得る。ネットワークデバイス102が端末デバイス116および122とそれぞれフォワードリンク118および124を介して通信するプロセスでは、ネットワークデバイス102の送信アンテナは、ビームフォーミングによりフォワードリンク118および124の信号雑音比を高めることができる。加えて、ネットワークデバイスが、単一のアンテナを使用することによって、またはマルチアンテナ送信ダイバーシチを介して、ネットワークデバイスによってサービスを提供されるすべての端末デバイスに信号を送信する方式と比較して、ネットワークデバイス102が、ビームフォーミングにより、関連するカバレッジエリアにランダムに散在している端末デバイス116および122に信号を送信する場合、隣接するセルにおけるモバイルデバイスが被る干渉はより少ない。
【０１１０】
所与の期間内で、ネットワークデバイス102、端末デバイス116、または端末デバイス122は、無線通信送信通信デバイスおよび／または無線通信受信通信デバイスであり得る。データを送信するとき、無線通信送信通信デバイスは、送信のためにデータを符号化し得る。具体的には、無線通信送信通信デバイスは、チャネルを介して無線通信受信通信デバイスに送信される特定の数のデータビットを（例えば、生成することにより、別の通信デバイスから受信することにより、またはメモリに格納することにより）取得し得る。そのようなデータビットは、データのトランスポートブロック（または複数のトランスポートブロック）に含まれ得、トランスポートブロックは、複数のコードブロックを生成するためにセグメント化され得る。
【０１１１】
加えて、システム100は、PLMNネットワーク、端末間（Device−to−Device、D2D）ネットワーク、マシンツーマシン（Machine−to−Machine、M2M）ネットワーク、IoTネットワーク、または別のネットワークであり得る。図1は、単純化された概略図の例に過ぎない。ネットワークは、図1には示されていない別のネットワークデバイスをさらに含むことができる。
【０１１２】
ネットワークデバイスは、現在のネットワークにおけるネットワークデバイス、将来の発展型のPLMNネットワークにおけるネットワークデバイスなどであり得る。このことは、本出願の実施形態において限定されない。
【０１１３】
以下、本出願の実施形態における送信対象（すなわち、フィードバック情報）を詳細に説明する。
【０１１４】
本出願の実施形態では、フィードバック技術がダウンリンクデータ送信に使用され得る。限定ではなく例として、フィードバック技術は、例えば、ハイブリッド自動再送要求（Hybrid Automatic Repeat Request、HARQ）技術を含み得る。
【０１１５】
HARQ技術は、順方向誤り訂正（Forward Error Correction、FEC）符号化を自動再送要求（Automatic Repeat Request、ARQ）技術と組み合わせることにより形成された技術である。
【０１１６】
例えば、HARQ技術では、送信端からデータを受信した後、受信端は、データが正しく復号されているか否かを判定し得る。データが正しく復号されていない場合、受信端は否定応答（Negative−acknowledgement、NACK）情報を送信端にフィードバックすることができ、それにより送信端は、NACK情報に基づいて、受信端がデータを正しく受信していないことを判定でき、それにより再送信を実行することができる。データが正しく復号された場合、受信端は肯定応答（Acknowledgement、ACK）情報を送信端にフィードバックすることができ、それにより送信端は、ACK情報に基づいて、受信端がデータを正しく受信したことを判定でき、それにより、データ送信が完了したと判定できる。
【０１１７】
換言すれば、本出願の実施形態では、受信端は、正常な復号を実行すると、ACK情報を送信端に送信することができ、正常でない復号を実行するとNACK情報を送信端に送信することができる。
【０１１８】
限定ではなく例として、本出願の実施形態では、アップリンク制御情報が、HARQ技術におけるACK情報またはNACK情報を含み得る。
【０１１９】
LTEシステムでは、ダウンリンクスロットおよびアップリンクスロットは、直交周波数分割多元接続（Orthogonal Frequency Division Multiplexing Access、OFDMA）とシングルキャリア周波数分割多元接続（Single Carrier Frequency Division Multiplexing Access、SC−FDMA）にそれぞれ基づく。時間−周波数リソースが、時間領域次元においてOFDMまたはSC−FDMAシンボル（以下、時間領域シンボルと呼ばれる）に、また周波数領域次元においてサブキャリアに分割される。最小リソース粒度は、リソースエレメント（Resource Element、RE）と呼ばれ、時間領域における時間領域シンボルおよび周波数領域におけるサブキャリアを含む時間−周波数格子点を表す。
【０１２０】
LTEシステムにおけるサービス送信は、基地局によるスケジューリングに基づく。スケジューリングにおける基本時間ユニットは1サブフレームであり、1サブフレームは複数の時間領域シンボルを含む。具体的なスケジューリング手順は、基地局が、制御チャネル、例えば、物理ダウンリンク制御チャネル（Physical Downlink Control Channel、PDCCH）または拡張物理ダウンリンク制御チャネル（Enhanced Physical Downlink Control Channel、EPDCCH）を送信することである。制御チャネルは、物理下りリンク共有チャネル（Physical Downlink Shared Channel、PDSCH）または物理アップリンク共有チャネル（Physical Uplink Shared Channel、PUSCH）のスケジューリング情報を運ぶことができ、スケジューリング情報は、例えば、リソース割当情報および変調および符号化スキームなどの制御情報を含む。端末デバイスは、サブフレームにおける制御チャネルを検出し、検出された制御チャネル上で運ばれるスケジューリング情報に基づいて、ダウンリンクデータチャネル受信またはアップリンクデータチャネル送信を実行する。本出願の実施形態では、PDCCHがダウンリンク制御チャネルを説明するための例として使用され、PDSCHがダウンリンクデータチャネルを説明するための例として使用され、PUCCHがアップリンク制御チャネルを説明するための例として使用され、ACK／NACKがフィードバック情報を説明するための例として使用され、キャリアが周波数領域ユニットを説明するための例として使用され、サブフレームがLTEシステムにおける時間ユニットを説明するための例としてサブフレームが使用され、スロットが5Gシステムにおける時間ユニットを説明するための例として使用され、基地局がネットワークデバイスを説明するための例として使用される。本出願はこれに限定されない。
【０１２１】
LTEシステムは、FDDおよびTDDの2つの複信モードをサポートしている。FDDシステムでは、ダウンリンクサブフレームおよびアップリンクサブフレームが、異なるキャリア上での送信に使用される。TDDシステムでは、アップリンクサブフレームおよびダウンリンクサブフレームが、1つのキャリア上での異なる時間における送信に使用される。TDDのフレーム構造では、特別なサブフレームがダウンリンクサブフレームとして使用され得る。特別なサブフレームは、ダウンリンクデータを運ぶことができるが、アップリンクデータを運ぶことはできない。
【０１２２】
HARQメカニズムがLTEシステムについては使用され、ダウンリンク送信が例として使用される。端末デバイスがPDSCHを受信した後、PDSCHが正しく受信されている場合、端末デバイスは、PUCCH上でACKをフィードバックする。PDSCHが正しく受信されていない場合、端末デバイスはPUCCH上でNACKをフィードバックする。FDDでは、例えば、サブフレームn−4でPDSCHを受信した後、端末デバイスは、サブフレームnでACK／NACKをフィードバックする。TDDでは、例えば、PDSCHの受信と対応するACK／NACKフィードバックとの間のタイミング関係が表1に示されている。番号付きサブフレームはACK／NACKフィードバックに使用されるアップリンクサブフレームnであり、識別番号は、n−k（kはKに属する）個のダウンリンクサブフレームに対応するダウンリンクサブフレームセットにおけるPDSCHに対応するACK／NACKがアップリンクサブフレームnでフィードバックされる必要があることを指示する。
【０１２３】
例えば、表1に示されるように、アップリンク／ダウンリンク構成1におけるサブフレームn＝2に対応するK＝｛7，6｝は、サブフレームn＝2が、n−7およびn−6に対応する2つのダウンリンクサブフレームにおけるPDSCHに対応するACK／NACKをフィードバックするために使用されることを指示する。具体的には、n−7はダウンリンクサブフレーム5を指示し、n−6はダウンリンクサブフレーム6を指示する。
【０１２４】
【表１】
2021513820.tif 000003
【０１２５】
LTEシステムはCA技術もサポートしている。具体的には、基地局が、1つの端末デバイスに対してその端末デバイスのデータレートを上げるために複数のキャリアを構成する。CAの間、基地局によって送信された複数のキャリアは、時間的に同期される。端末デバイスは、各キャリアをスケジューリングするためのPDCCHと対応するPDSCHとを別々に検出することができ、各キャリアの具体的な検出手順は、上述の単一キャリアの場合と同様である。
【０１２６】
LTEシステムはまた、FDD CA、TDD CA、およびFDD＋TDD CAもサポートしている。CAモードでは、1つのプライマリコンポーネントキャリアおよび少なくとも1つのセカンダリコンポーネントキャリアがある。一般的な構成では、ACK／NACKを運ぶPUCCHは、端末デバイスのプライマリコンポーネントキャリア上でのみ送信される。CAモードにおけるPUCCH送信モードでは、PUCCHフォーマット3モードが通常使用される。PUCCHフォーマット3モードでは、DFT−S−OFDM送信構造が使用される。この構造は、最大20のACK／NACKビットの送信をサポートでき、5つのキャリアのTDD CAをサポートできる。
【０１２７】
例えば、現在のネットワークで主流のデプロイメントであるTDDアップリンク／ダウンリンク構成2が例として使用される。1つのキャリアに対応するアップリンクサブフレーム2は、4つのACK／NACKビットのフィードバックをサポートし得、TDDアップリンク／ダウンリンク構成2に対応する5つのキャリアのTDD CAは、20のACK／NACKビットに対応する。20ビットは、ACK／NACKコードブック、すなわち、順番に配置された符号化前の元のACK／NACKビットのビットストリームを形成する。
【０１２８】
フィードバック情報に含まれる上に記載の内容は、単に説明のための例として使用されており、本出願はそれに限定されないことを理解されたい。
【０１２９】
LTEシステムにおけるアップリンクACK／NACKコードブック構成は、半永続コードブック構成と動的コードブック構成とを含む。動的コードブック構成では、リアルタイムでスケジューリングされたPDSCHの数に基づいてコードブックが決定される。
【０１３０】
半永続コードブック構成では、コードブックは、半永続ダウンリンクサブフレームセットにおけるダウンリンクサブフレームの数に基づいて決定される。
【０１３１】
例えば、ACK／NACKコードブックは、半永続ダウンリンクサブフレームセットにおけるすべてのダウンリンクサブフレームに対応するフィードバック情報を含む。ダウンリンクサブフレームは、実際にスケジューリングされたPDSCHのダウンリンクサブフレーム、または半永続スケジューリング（Semi−Persistent Scheduling、SPS）解放指示のダウンリンクサブフレームを含み、スケジューリングされていないダウンリンクサブフレームも含む。スケジューリングされていないダウンリンクサブフレームまたはスケジューリングシグナリングが端末デバイスによって受信されていないダウンリンクサブフレームに対応するコードブックの位置にNACKが設定される。
【０１３２】
図2は、本出願の一実施形態によるLTEシステムにおける（例として単一のTDDキャリアが使用される）アソシエーション関係の概略図である。具体的には、図2は、LTEシステムにおける半永続コードブック構成に基づく第1のアソシエーション関係の概略図である。
【０１３３】
半永続コードブック構成では、ACK／NACKコードブックを運ぶPUCCHが存在するサブフレームは、半永続ダウンリンクサブフレームセットに対応する。
【０１３４】
例えば、5つのTDDキャリアがキャリアアグリゲーションのために端末デバイスのために構成されている場合（他のシナリオはこのシナリオの特定のケースと見なされ得る）、時間セットは、端末デバイスのために構成されたこれらのTDDキャリアに対応する複数のサブフレームを含み得る。
【０１３５】
TDDキャリアのアップリンク／ダウンリンクサブフレーム構成は同一であると仮定される。例えば、ACK／NACKコードブックを運ぶPUCCHが存在するアップリンクサブフレーム2は、これらのTDDキャリアのそれぞれにおけるダウンリンクサブフレームセット｛4，5，6，8｝に対応する。
【０１３６】
図2に示されるように（ここでは1つのキャリアが例として使用される）、ACK／NACKコードブックは、5つのTDDキャリアのそれぞれにおける4つのダウンリンクサブフレームに対応するフィードバック情報を含む。換言すれば、コードブックのサイズ、すなわち、ACK／NACKコードブックのビット数は20である。ここで、1つのダウンリンクサブフレームは1つのACK／NACKビットに対応すると仮定される。
【０１３７】
各キャリアに対応するアップリンクサブフレーム2とダウンリンクサブフレーム｛4，5，6，8｝との間にはアソシエーション関係がある。LTEシステムでは、アソシエーション関係は、標準に従って事前構成され得る。つまり、アソシエーション関係は、シグナリングを使用することにより端末デバイスに通知される必要はない。
【０１３８】
換言すれば、TDDアップリンク／ダウンリンク構成を取得した後、端末デバイスは、アップリンク／ダウンリンク構成に対応するアソシエーション関係を取得し、それにより、PDSCHを運ぶダウンリンクサブフレームと、ACK／NACKをフィードバックするための対応するアップリンクサブフレームとの間のタイミング関係を取得する。
【０１３９】
例えば、タイミング関係は、表1に示されるPDSCHの受信と対応するACK／NACKフィードバックとの間のタイミング関係であり得る。
【０１４０】
図2に示されるように、ダウンリンクサブフレーム｛4，5，6，8｝において、ダウンリンクサブフレーム｛6，8｝は、スケジューリングされたダウンリンクサブフレームであり得、ダウンリンクサブフレーム｛4，5｝は、スケジューリングされていないダウンリンクサブフレームであり得る。端末デバイスは、ダウンリンクサブフレーム｛6，8｝におけるデータが正しく復号されているか否かを判定し、アップリンクサブフレーム2においてACK／NACK情報を送信し得る。ダウンリンクサブフレーム｛4，5｝はスケジューリングされていないため、このダウンリンクサブフレームでは、NACKがアップリンクサブフレーム2で送信される必要がある。
【０１４１】
したがって、現在のLTEシステムでは、半永続コードブック構成におけるフィードバック情報の場合、フィードバック情報のコードブックは、半永続ダウンリンクサブフレームセットにおけるダウンリンクサブフレームの数に基づいて決定される。
【０１４２】
LTEシステムは、半永続コードブック構成においてフォールバックメカニズムをさらにサポートする。
【０１４３】
例えば、PUCCHフォーマット3、フォーマット4、またはフォーマット5のPUCCH送信モード（これらのフォーマットのPUCCHのそれぞれで2ビットを超えるACK／NACKが運ばれ得る）が端末デバイスのために構成されている場合、
コードブックおよびリソースフォールバックモードでは、端末デバイスがプライマリコンポーネントキャリア上でPDSCHをスケジューリングするためのプライマリPDCCHのみを受信し、プライマリPDCCH上のダウンリンク割当指標（Downlink Assignment indicator、DAI）フィールドが「1」として指示される場合、端末デバイスは、1ビット（単一のコードブックの場合）もしくは2ビット（2つのコードブックの場合）のACK／NACK情報をフィードバックするためにPUCCHフォーマット1a／1bを使用する、または
非フォールバックモードでは、端末デバイスがプライマリコンポーネントキャリア上でPDSCHをスケジューリングするためのプライマリPDCCHを受信し、プライマリPDCCH上のDAIフィールドにより指示される値が「1」より大きい場合、もしくは端末デバイスがセカンダリコンポーネントキャリア上でPDSCHをスケジューリングするためのセカンダリPDCCHを受信する場合、端末デバイスは、ACK／NACKをフィードバックするためにPUCCHフォーマット3を使用する。PUCCHフォーマット3のチャネルリソースは、1より大きいDAI値を含むプライマリPDCCHにおける2ビットフィールド、またはセカンダリPDCCH上の2ビットフィールドによって明示的に指示される。
【０１４４】
この場合、ACK／NACKコードブックは、半永続ダウンリンクサブフレームセットにおけるすべてのダウンリンクサブフレームに対応するフィードバック情報を含む。ダウンリンクサブフレームは、実際にスケジューリングされたPDSCHのダウンリンクサブフレーム、またはSPS解放指示のダウンリンクサブフレームを含み、スケジューリングされていないダウンリンクサブフレームも含む。スケジューリングされていないダウンリンクサブフレームまたはスケジューリングシグナリングが端末デバイスによって受信されていないダウンリンクサブフレームに対応するコードブックの位置にNACKが設定される。
【０１４５】
特別なフォールバックモード（半永続スケジューリングSPS PDSCHが考慮される）では、端末デバイスが、プライマリコンポーネントキャリア上でPDSCHをスケジューリングするためのプライマリPDCCHおよびSPS PDSCHのみを受信し、プライマリPDCCH上のDAIフィールドが「1」として指示されている場合、SPS PDSCHは、ほとんどの場合PDCCHを介して動的にスケジューリングされず、PUCCHフォーマット3リソースを指示するフィールドはプライマリPDCCH上に存在しない。
【０１４６】
したがって、この場合、PUCCHフォーマット1a／1bにロールバックすることはできず、PUCCHフォーマット3リソースは、非フォールバックコードブックを運ぶために使用できない。LTEシステムで使用される解決策は、特別なフォールバックモードである。具体的には、プライマリPDCCHにより決定される動的PUCCHフォーマット1a／1bリソースと、SPS PDSCHに対応する半永続PUCCHフォーマット1a／1bリソースとの間でチャネル選択が行われる。
【０１４７】
5Gシステムもまた、上述の半永続コードブック構成、フォールバックコードブック、およびフォールバックスケジューリングメカニズムをサポートしている。ただし、LTEシステムとは異なり、5Gシステムには第1のアソシエーション関係および第2のアソシエーション関係がある。以下、5Gシステムにおける第1のアソシエーション関係および第2のアソシエーション関係に基づく5Gシステムにおけるフォールバックコードブックおよびフォールバックスケジューリングメカニズムを説明する。
【０１４８】
5Gシステムにおける第1のアソシエーション関係および第2のアソシエーション関係がまず説明される。
【０１４９】
図3は、本出願の一実施形態による5Gシステムにおけるアソシエーション関係の概略図である。図3に示されるように、5Gシステムにおける半永続コードブック構成には2つのアソシエーション関係がある。
【０１５０】
本出願の本実施形態は半永続コードブック構成に主に関するものであり、以下の説明は半永続コードブック構成に主に基づいていることを理解されたい。
【０１５１】
第1のアソシエーション関係は、LTEシステムにおける上述のアソシエーション関係と同様であるが、より柔軟な構成をサポートする。
【０１５２】
例えば、第1のアソシエーション関係は、事前構成され得る、または無線リソース制御（Radio Resource Control、RRC）専用シグナリングを使用することにより端末デバイスに通知され得る。
【０１５３】
換言すれば、フォールバックPDCCHスケジューリングの場合、第1のアソシエーション関係が事前構成され得る。非フォールバックPDCCHスケジューリングの場合、第1のアソシエーション関係は、RRC専用シグナリングを使用することにより端末デバイスに通知され得る。
【０１５４】
端末デバイスが2つのタイプのPDCCHを検出する必要がある場合、第1のアソシエーション関係は、事前構成されたアソシエーション関係とシグナリングを使用することにより通知されたアソシエーション関係との和集合であり得る。
【０１５５】
例えば、アップリンクスロットnでフィードバックされる必要がある半永続コードブックは、ダウンリンクスロット｛n−1，n−2，n−3，n−4，n−5，n−6，n−7，n−8｝に対応し得、n−1からn−8は事前構成され得る、またはRRC専用シグナリングを使用することにより端末デバイスに通知され得る。
【０１５６】
加えて、第1のアソシエーション関係は、PDCCH検出スロットに関連し得る。
【０１５７】
例えば、第1のアソシエーション関係は、事前構成されたアソシエーション関係とRRCシグナリングを使用することにより通知されたアソシエーション関係との和集合と、PDCCH検出スロットとの間の共通集合であり得る。
【０１５８】
例えば、PDCCH検出スロットのサイクルは2スロットであり、つまり、PDCCHは、スロット｛n−1，n−3，n−5，n−7｝で検出される必要がある。この場合、第1のアソシエーション関係は、｛n−1，n−2，n−3，n−4，n−5，n−6，n−7，n−8｝と｛n−1，n−3，n−5，n−7｝との間の共通集合であり得る、つまり｛n−1，n−3，n−5，n−7｝であり得る。
【０１５９】
ただし、PDCCH検出スロットの構成は、代替的に、事前構成されてもよいし、RRC専用シグナリングを使用することにより端末デバイスに通知されてもよい。したがって、第1のアソシエーション関係は、事前構成されてもよいし、RRC専用シグナリングを使用することにより端末デバイスに通知されてもよい。
【０１６０】
第2のアソシエーション関係は、PDCCH上のタイミング指示情報に基づいて決定される。換言すれば、第2のアソシエーション関係は、PDCCH上のタイミング指示情報を使用することにより端末デバイスに指示される。
【０１６１】
例えば、PDCCHは、ダウンリンク制御チャネル（Downlink Control Information、DCI）上のタイミング指示などの3ビットのタイミング指示情報を含む。タイミング指示情報は、PDCCHを介してスケジューリングされたPDSCHが配置されているスロットとACK／NACKが配置されているスロットとの間のタイミング関係を指示するために使用される。
【０１６２】
例えば、第1のアソシエーション関係が｛n−1，n−2，n−3，n−4，n−5，n−6，n−7，n−8｝である場合、PDCCH上のタイミング指示情報は第1のアソシエーション関係における8つの値のうちの1つであり得る。
【０１６３】
図3に示されるように、アップリンクスロットiでは、第1のアソシエーション関係および第2のアソシエーション関係に対応するスロットセットは同じであり得る、すなわち、スロットセットのそれぞれが、ダウンリンクスロット1から8を含む。アップリンクスロットjでは、第1のアソシエーション関係に対応するスロットセットはダウンリンクスロット1から8のままであるが、第2のアソシエーション関係に対応するスロットセットはダウンリンクスロット1および2のみを含み得る。換言すれば、第2のアソシエーション関係に対応するスロットセットは、第1のアソシエーション関係に対応するスロットセットのサブセットであり得る。
【０１６４】
本出願の本実施形態では、LTEシステムとは異なり、5Gシステムには第1のアソシエーション関係および第2のアソシエーション関係がある。
【０１６５】
特定の例に関連して、以下、5Gシステムにおける第1のアソシエーション関係および第2のアソシエーション関係に基づくフォールバックコードブックおよびフォールバックスケジューリングメカニズムの実施形態を詳細に説明する。
【０１６６】
説明は、当業者が本出願の実施形態をよりよく理解するのを助けることを意図されているに過ぎず、本出願の実施形態の範囲を限定することを意図されていないことに留意されたい。
【０１６７】
本出願の実施形態では、第1のダウンリンク情報、第2のダウンリンク情報、第1のコードブック、第2のコードブック、「第1」、「第2」などは、異なる対象を指示するために使用されるに過ぎず、指示された対象に他の限定が課されることを意味しないことを理解されたい。
【０１６８】
図4は、本出願の一実施形態による、端末デバイスによってフィードバック情報を送信する相互作用フローチャートである。
【０１６９】
図4の端末デバイスは図1の任意の端末デバイスであってよく、図4のネットワークデバイスは図1のネットワークデバイスであってよい。このことは、本出願において限定されない。
【０１７０】
本出願の本実施形態では、ダウンリンク情報は、PDSCHであり得ることに留意されたい。これは、本出願では制限されない。
【０１７１】
S410：端末デバイスは、時間ユニットセットにおける少なくとも1つの第1の時間ユニットにおいて少なくとも1つのダウンリンク情報を受信し、時間ユニットセットが、端末デバイスのために構成された少なくとも1つの周波数領域ユニットに対応する少なくとも1つの第1の時間ユニットのセットである。
【０１７２】
換言すれば、ネットワークデバイスは、時間ユニットセットにおける少なくとも1つの第1の時間ユニットにおいて少なくとも1つのダウンリンク情報を端末デバイスに送信し、時間ユニットセットが、端末デバイスのために構成された少なくとも1つの周波数領域ユニットに対応する少なくとも1つの第1の時間ユニットのセットである。
【０１７３】
時間ユニットセットは、異なる周波数領域ユニットにおける少なくとも1つの第1の時間ユニットのセットであり得ることを理解されたい。第1の時間ユニットは、ダウンリンク時間ユニットまたは柔軟な時間ユニットであり得、ダウンリンク情報を受信するために使用される。第1の時間ユニットでは、1つのダウンリンク情報または複数のダウンリンク情報が受信され得る。このことは、本出願において限定されない。
【０１７４】
場合により、時間ユニットが、スロット、ミニスロット、およびサブフレームのうちの少なくとも1つであり得る。例えば、本出願の本実施形態では、スロットが説明のための例として使用され得る。
【０１７５】
場合により、周波数領域ユニットが、キャリアまたはキャリア帯域幅部分（Bandwidth Part、BWP）であり得る。例えば、本出願の本実施形態では、キャリアが説明のための例として使用され得る。
【０１７６】
S420：端末デバイスは、第2の時間ユニットを決定し、第2の時間ユニットが、少なくとも1つのダウンリンク情報に対応するフィードバック情報を運ぶために使用され、時間ユニットセットと第2の時間ユニットとの間に第1のアソシエーション関係がある。
【０１７７】
場合により、第2の時間ユニットは、アップリンク時間ユニットまたは柔軟な時間ユニットであり得る。例えば、本出願の本実施形態では、アップリンクスロットが説明のための例として使用され得る。
【０１７８】
場合により、第1のアソシエーション関係は、事前構成されてもよいし、RRC専用シグナリングを使用することにより端末デバイスに通知されてもよい。一般に、フォールバックPDCCHスケジューリングの場合、第1のアソシエーション関係が事前構成され得る。非フォールバックPDCCHスケジューリングの場合、第1のアソシエーション関係は、RRC専用シグナリングを使用することにより端末デバイスに通知され得る。
【０１７９】
S430：端末デバイスは第1のコードブックを決定し、時間ユニットサブセットにおける第1のダウンリンク情報がプリセット条件を満たす場合、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある。
【０１８０】
換言すれば、時間ユニットサブセットにおける第1のダウンリンク情報が、第1のダウンリンク情報の数が第1のプリセット値に等しいという条件を満たす場合、第1のコードブックが、第1のダウンリンク情報に対応するフィードバック情報のみを含み得る。
【０１８１】
具体的には、この解決策はまた、以下の場合にも適用され得る、すなわち、時間領域で重複しない複数のPDSCHが、1つの周波数領域ユニットに対応する1つの第1の時間ユニットにおいて1つの端末デバイスのためにスケジューリングされ得る。例えば、1つの第1の時間ユニットは14個の時間領域シンボルを含む。第1の時間ユニットにおける時間領域位置が、1番目から7番目の時間領域シンボルおよび8番目から14番目の時間領域のシンボルを含むことが事前構成される。時間領域位置のこれらの2つのグループは時間領域で重複せず、通常の非フォールバック半永続コードブックでは、第1の時間ユニットは2ビットのACK／NACKのフィードバックに対応する。
【０１８２】
事前構成は、RRCシグナリングを使用することにより実行される。具体的には、実際にスケジューリングされる時間領域位置は、PDCCH上の時間領域リソース割当指標フィールドにより指示される。例えば、PDCCH上の1ビットが、時間領域位置の上述の2つのグループのうちの1つを特に指示するために使用され得る。
【０１８３】
このシナリオでは、第1のコードブックは、第1のダウンリンク情報に対応するフィードバック情報を含む。第1のコードブックは、時間ユニットサブセットにおける特定の時間ユニットに対応するフィードバック情報を含まず、また第1のコードブックは、PDSCHが配置されている第1の時間ユニットにおける、PDSCHが配置されている時間領域位置以外の時間領域位置に対応するフィードバック情報を含まない。換言すれば、この場合、第1のコードブックは、第1のダウンリンク情報、すなわち、PDSCHに対応するフィードバック情報のみを含む。
【０１８４】
あるいは、上述のシナリオでは、異なる時間領域位置は、異なる第1の時間ユニットと見なされ得る。例えば、1番目から7番目の時間領域シンボルおよび8番目から14番目の時間領域シンボルは、それぞれ2つの第1の時間ユニットと見なされる。この場合、第1のコードブックは、第1のダウンリンク情報に対応するフィードバック情報を含み、第1のコードブックは、時間ユニットサブセットにおける特定の時間ユニットに対応するフィードバック情報を含まない。
【０１８５】
時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【０１８６】
例えば、第1のプリセット値が1であり得、ダウンリンクスロットセットが、ダウンリンクスロット1からダウンリンクスロット8を含み、すなわち、時間ユニットセットが、ダウンリンクスロット1から8を含む。アップリンクスロットに対応するダウンリンクスロットサブセットは、ダウンリンクスロット1およびダウンリンクスロット2を含み、すなわち、時間ユニットサブセットは、ダウンリンクスロット1およびダウンリンクスロット2を含む。
【０１８７】
ダウンリンクスロット1およびダウンリンクスロット2で受信されるPDSCHの数が1である場合、プリセット条件に含まれる第1の条件が満たされる。例えば、ダウンリンクスロット1におけるPDSCHのみが受信される。この場合、ACK／NACKコードブックは、ダウンリンクスロット1におけるPDSCHに対応するACK／NACKのみを含むことができ、ダウンリンクスロットセットにおける別のダウンリンクスロット、すなわちダウンリンクスロット1から8に対応するACK／NACKを含まない。
【０１８８】
ダウンリンクスロット1およびダウンリンクスロット2で受信されるPDSCHの数が1ではない場合、プリセット条件に含まれる第1の条件は満たされない。例えば、ダウンリンクスロット1におけるPDSCHおよびダウンリンクスロット2におけるPDSCHが受信される。この場合、ACK／NACKコードブックは、ダウンリンクスロットセット、すなわち、ダウンリンクスロット1から8におけるPDSCHに対応するACK／NACKを含む。換言すれば、コードブックフォールバックは実行されず、通常の半永続コードブックが代わりに使用される。このことは、本出願において限定されない。
【０１８９】
別の例では、第1のプリセット値は2であり得る。この場合、2つの動的にスケジューリングされたPDSCHが、1つのキャリアに対応する1つのダウンリンクスロットにおいて受信され得ると仮定される。例えば、複数の送信ポイントまたは基地局は、1つのキャリアに対応する1つのダウンリンクスロットにおいて1つの動的にスケジューリングされたPDSCHを端末デバイスにそれぞれ送信する。第1の条件は、ダウンリンクスロット1およびダウンリンクスロット2のうちの一方で受信されるPDSCHの数が2である場合、プリセット条件に含まれる第1の条件は満たされないことである。例えば、ダウンリンクスロット1における2つのPDSCHのみが受信される。この場合、ACK／NACKコードブックは、ダウンリンクスロット1における2つのPDSCHに対応するACK／NACKのみを含むことができ、ダウンリンクスロットセットにおける別のダウンリンクスロット、すなわちダウンリンクスロット1から8に対応するACK／NACKを含まない。ダウンリンクスロット1およびダウンリンクスロット2において受信されたPDSCHの数がプリセット条件に含まれる第1の条件を満たさない場合、例えば、ダウンリンクスロット1におけるPDSCHおよびダウンリンクスロット2におけるPDSCHが受信されると、ACK／NACKコードブックは、ダウンリンクスロットセット、つまりダウンリンクスロット1から8におけるPDSCHに対応するACK／NACKを含む。換言すれば、コードブックフォールバックは実行されず、通常の半永続コードブックが代わりに使用される。これは、本出願では限定されないことを理解されたい。
【０１９０】
場合により、本出願の本実施形態における技術的解決策は、1つのDCIが複数のPDSCHをスケジューリングするために使用されるシナリオに適用可能である。図5に示されるように、アップリンクスロットiでは、第1のアソシエーション関係および第2のアソシエーション関係に対応するスロットセットは同じであり得る、すなわち、スロットセットのそれぞれが、ダウンリンクスロット1から8を含む。アップリンクスロットjでは、第1のアソシエーション関係に対応するスロットセットはダウンリンクスロット1から8のままであるが、第2のアソシエーション関係に対応するスロットセットはダウンリンクスロット1および2のみを含み得る、すなわち、時間ユニットサブセットが、ダウンリンクスロット1およびダウンリンクスロット2を含む。加えて、ダウンリンクスロット1におけるPDSCHおよびダウンリンクスロット2におけるPDSCHは、1つのDCIを使用することによりスケジューリングされる。換言すれば、これは、1つのDCIが複数のPDSCHをスケジューリングするために使用されるシナリオである。
【０１９１】
第1のプリセット値はXであり、Xは1以上の正の整数であり得る。例えば、X＝1、2、3、4、5、6、7、8である。第1の時間ユニットは、複数の第1のダウンリンク情報における最後の第1のダウンリンク情報が配置されているシンボルに対応する時間ユニットであってもよいし、複数の第1のダウンリンク情報における最初の第1のダウンリンク情報が配置されているシンボルに対応する時間ユニットであってもよい。例えば、4つのPDSCHがダウンリンクスロット1からダウンリンクスロット4にある。4つのPDSCHに対応する第1の時間ユニットは、ダウンリンクスロット4であってもよいし、ダウンリンクスロット1であってもよい。
【０１９２】
例えば、本出願の本実施形態では、第1のプリセット値は4であり得る。1つのキャリアに対応する少なくとも1つのダウンリンクスロットにおいて4つのPDSCHが受信され得、4つのPDSCHが同じトランスポートブロック情報を運ぶために使用されることが仮定される。時間ユニットサブセットがプリセット条件に含まれる第1の条件を満たす場合、つまり時間ユニットサブセットにおける第1のダウンリンク情報の数が第1のプリセット値に等しい場合、4つのPDSCHが、1つのDCIを使用することによりスケジューリングされ、端末デバイスがコードブックフォールバックを実行する。
【０１９３】
例えば、ダウンリンクスロットセットは、ダウンリンクスロット1からダウンリンクスロット8を含み、アップリンクスロットに対応するダウンリンクスロットサブセットは、ダウンリンクスロット1およびダウンリンクスロット2を含み、すなわち、時間ユニットサブセットは、ダウンリンクスロット1およびダウンリンクスロット2を含む。ダウンリンクスロット2でのみ受信されるPDSCHの数が4である場合、ACK／NACKコードブックは、ダウンリンクスロット2における4つのPDSCHに対応するACK／NACKのみを含むことができ、ダウンリンクスロットセットにおけるダウンリンクスロット1から8における別のダウンリンクスロットに対応するACK／NACKを含まない。ダウンリンクスロット1において受信されたPDSCHの数が4であり、ダウンリンクスロット2において受信されたPDSCHの数が4である場合、ACK／NACKコードブックは、ダウンリンクスロットセットにおけるダウンリンクスロット1から8におけるPDSCHに対応するACK／NACKを含む。換言すれば、コードブックフォールバックは実行されず、通常の半永続コードブックが代わりに使用される。
【０１９４】
本出願の本実施形態では、時間ユニットサブセットは、プリセット条件に含まれる第1の条件を満たすことに留意されたい。すなわち、時間ユニットサブセットにおける第1のダウンリンク情報の数は、第1のプリセット値に等しい。時間ユニットサブセットにおける1つの時間ユニットのみにおける第1のダウンリンク情報の数は、第1のプリセット値に等しくなり得る、または時間ユニットサブセットにおける1つの時間ユニットのみにおける第1のダウンリンク情報の数は、第1のプリセット値未満であり得る。
【０１９５】
例えば、本出願の本実施形態では、第1のプリセット値は4であり得る。1つのキャリアに対応する少なくとも1つのダウンリンクスロットにおいて4つのPDSCHが受信され得、4つのPDSCHが同じトランスポートブロック情報を運ぶために使用されることが仮定される。4つのPDSCHは、1つのDCIを使用することによりスケジューリングされる。この場合、第1の条件が、時間ユニットサブセットにおける少なくとも1つのダウンリンクスロットにおいて受信されるPDSCHの数が4以下であることである場合、プリセット条件に含まれる第1の条件が満たされる。
【０１９６】
例えば、ダウンリンクスロット1における4つのPDSCHのみが受信される。この場合、ACK／NACKコードブックは、ダウンリンクスロット1における4つのPDSCHに対応するACK／NACKのみを含むことができ、ダウンリンクスロットセットにおけるダウンリンクスロット1から8における別のダウンリンクスロットに対応するACK／NACKを含まない。
【０１９７】
本出願の本実施形態では、時間ユニットサブセットにおける第1のダウンリンク情報の数は、第1のプリセット値未満であり得る。例えば、ダウンリンクスロット1からダウンリンクスロット3までの3つのPDSCHのみが受信され、1つのDCIを使用することにより3つのPDSCHがスケジューリングされる。この場合、ACK／NACKコードブックは、ダウンリンクスロット1からダウンリンクスロット3における3つのPDSCHに対応するACK／NACKのみを含むことができ、ダウンリンクスロットセットにおけるダウンリンクスロット1から8における別のダウンリンクスロットに対応するACK／NACKを含まない。
【０１９８】
時間ユニットサブセットにおいて受信されたPDSCHの数がプリセット条件に含まれる第1の条件を満たさない場合、ACK／NACKコードブックは、ダウンリンクスロットセットのダウンリンクスロット1から8におけるPDSCHに対応するACK／NACKを含む。換言すれば、コードブックフォールバックは実行されず、通常の半永続コードブックが代わりに使用される。
【０１９９】
例えば、時間ユニットサブセットにおける少なくとも1つのスロットにおいて5つのPDSCHが受信される場合、ACK／NACKコードブックは、ダウンリンクスロットセットのダウンリンクスロット1から8におけるPDSCHに対応するACK／NACKを含む。換言すれば、コードブックフォールバックは実行されず、通常の半永続コードブックが代わりに使用される。
【０２００】
複数のPDSCHが時間ユニットサブセットにおける少なくとも1つのスロットにおいて受信されるときに、複数のPDSCHが同じDCIを使用することによりスケジューリングされない場合、コードブックフォールバックは実行されず、通常の半永続コードブックが代わりに使用されることを理解されたい。
【０２０１】
例えば、第1のプリセット値が4であり得る場合、時間ユニットサブセットにおける少なくとも1つのスロットにおいて4つのPDSCHが受信され、2つのDCIを使用することにより4つのPDSCHがスケジューリングされる。この場合、ACK／NACKコードブックは、ダウンリンクスロットセットにおけるダウンリンクスロット1から8におけるPDSCHに対応するACK／NACKを含む。換言すれば、コードブックフォールバックは実行されず、通常の半永続コードブックが代わりに使用される。本出願の本実施形態では、4は単に説明のための例であり、本出願の本実施形態に対する限定を構成しないことを理解されたい。
【０２０２】
本出願の本実施形態では、第1のプリセット値が第3のプリセット値以下である必要があり、第3のプリセット値が、基地局からの上位層シグナリングを使用することにより構成されるダウンリンクアグリゲーションパラメータに基づいて決定され、ダウンリンクアグリゲーションパラメータが、第1のダウンリンク情報における情報の再送信の数であることに留意されたい。ダウンリンクアグリゲーションパラメータは、1つのスロットにおける、第1のダウンリンク情報における情報の再送信の数であり得る、またはダウンリンクアグリゲーションパラメータは、複数のスロットにおける、第1のダウンリンク情報における情報の再送信の数であり得る。このことは、本出願において限定されない。
【０２０３】
場合により、ダウンリンクアグリゲーションパラメータは、1つのスロットにおける、第1のダウンリンク情報における情報の再送信の数であり得る。この場合、第1の条件は、ダウンリンクスロットセットにおける1つまたは複数のダウンリンクスロットに適用され得る。
【０２０４】
例えば、第1のプリセット値は2であり得る。時間ユニットサブセットにおける1つのキャリアに対応する1つのダウンリンクスロット（ダウンリンクスロット1およびダウンリンクスロット2）でのみ2つのPDSCHが受信され得、2つのPDSCHが同じトランスポートブロック情報を運ぶために使用されることが仮定される。2つのPDSCHは、1つのDCIを使用することによりスケジューリングされる。この場合、第1の条件が、時間ユニットサブセットにおける1つのダウンリンクスロットにおいて受信されるPDSCHの数が2以下であることであり得る場合、プリセット条件に含まれる第1の条件が満たされる。例えば、ダウンリンクスロット1における2つのPDSCHのみが受信される。この場合、ACK／NACKは、ダウンリンクスロット1における2つのPDSCHに対応するACK／NACKのみを含むことができ、ダウンリンクスロットセットにおけるスロット1から8における別のダウンリンクスロットに対応するACK／NACKを含まない。
【０２０５】
時間ユニットサブセットにおいて受信されたPDSCHの数がプリセット条件に含まれる第1の条件を満たさない場合、例えば、時間ユニットサブセットにおけるスロットにおいて3つのPDSCHが受信された場合、例えば、3つのPDSCHがダウンリンクスロット2において受信された場合、PDSCHの数、つまり3は、第1のプリセット値より大きい。したがって、条件が満たされていない。この場合、ACK／NACKコードブックは、ダウンリンクスロットセットにおけるダウンリンクスロット1から8におけるPDSCHに対応するACK／NACKを含む。換言すれば、コードブックフォールバックは実行されず、通常の半永続コードブックが代わりに使用される。
【０２０６】
時間ユニットサブセットにおいて受信されるPDSCHの数とダウンリンクアグリゲーションパラメータとの間の対応は、プリセット条件に含まれる第1の条件を満たさない。例えば、1つのPDSCHがダウンリンクスロット1においてで受信され、1つのPDSCHがダウンリンクスロット2において受信される。この場合、ACK／NACKコードブックは、ダウンリンクスロットセットにおけるダウンリンクスロット1から8におけるPDSCHに対応するACK／NACKを含む。換言すれば、コードブックフォールバックは実行されず、通常の半永続コードブックが代わりに使用される。この場合、2つのPDSCHは1つのダウンリンクスロットに属さないことを理解されたい。したがって、ダウンリンクアグリゲーションパラメータが、1つのスロットにおける、第1のダウンリンク情報における情報の再送信の数であるという条件は満たされないと考えられる。本出願の本実施形態では、2は単に説明のための例であり、本出願の本実施形態に対する限定を構成しないことを理解されたい。
【０２０７】
場合により、ダウンリンクアグリゲーションパラメータは、複数のスロットにおける、第1のダウンリンク情報における情報の再送信の数であり得る。この場合、第1の条件は、ダウンリンクスロットセットにおける複数のダウンリンクスロットに適用される。
【０２０８】
例えば、第1のプリセット値は2であり得る。時間ユニットサブセットにおける1つのキャリアに対応する2つのダウンリンクスロット（ダウンリンクスロット1およびダウンリンクスロット2）で2つのPDSCHが受信され得、2つのPDSCHが同じトランスポートブロック情報を運ぶために使用されることが仮定される。2つのPDSCHは、1つのDCIを使用することによりスケジューリングされる。この場合、第1の条件が、時間ユニットサブセットにおけるダウンリンクスロットセットにおける複数のダウンリンクスロットにおいて受信されるPDSCHの数が2以下であることである場合、プリセット条件に含まれる第1の条件が満たされる。
【０２０９】
例えば、ダウンリンクスロット1およびダウンリンクスロット2のそれぞれにおいて1つのPDSCHが受信される。この場合、ACK／NACKコードブックは、ダウンリンクスロット1およびダウンリンクスロット2における2つのPDSCHに対応するACK／NACKのみを含むことができ、ダウンリンクスロットセットにおけるダウンリンクスロット1から8における別のダウンリンクスロットに対応するACK／NACKを含まない。
【０２１０】
時間ユニットサブセットにおいて受信されたPDSCHの数がプリセット条件に含まれる第1の条件を満たさない場合、例えば、2つのPDSCHがダウンリンクスロット1で受信され、1つのPDSCHがダウンリンクスロット2で受信される場合、ACK／NACKコードブックは、ダウンリンクスロットセットにおけるダウンリンクスロット1から8におけるPDSCHに対応するACK／NACKを含む。換言すれば、コードブックフォールバックは実行されず、通常の半永続コードブックが代わりに使用される。この場合、PDSCHの数、すなわち3は、第1のプリセット値より大きいことを理解されたい。したがって、条件が満たされていないと考えられる。
【０２１１】
受信されたPDSCHの数とダウンリンクアグリゲーションパラメータとの間の対応は、プリセット条件に含まれる第1の条件を満たさない。例えば、2つのPDSCHのみがダウンリンクスロット1で受信される。この場合、ACK／NACKコードブックは、ダウンリンクスロットセットにおけるダウンリンクスロット1から8におけるPDSCHに対応するACK／NACKを含む。換言すれば、コードブックフォールバックは実行されず、通常の半永続コードブックが代わりに使用される。この場合、2つのPDSCHは1つのダウンリンクスロットに属することに留意されたい。したがって、ダウンリンクアグリゲーションパラメータが、複数のスロットにおける、第1のダウンリンク情報における情報の再送信の数であるという条件は満たされないと考えられる。本出願において、2は単なる例であり、限定を構成するものではないことを理解されたい。
【０２１２】
第1のプリセット値が8である場合、8つのPDSCHが同じトランスポートブロック情報を運ぶために使用されることを理解されたい。1ビットが、受信端が8つのPDSCH上で運ばれるトランスポートブロック情報を受信した後、端末デバイスがデータを正しく復号したか否かを指示するために使用され得る。あるいは、8ビットが、受信端が8つのPDSCHのそれぞれの上で運ばれるトランスポートブロック情報を受信した後、端末デバイスがデータを正しく復号したか否かを指示するために使用され得る。このことは、本出願の本実施形態において限定されない。
【０２１３】
第1のプリセット値が第3のプリセット値以下であり、第3のプリセット値が、上位層シグナリングを使用することにより構成されるダウンリンクアグリゲーションパラメータに基づいて決定されることに留意されたい。ダウンリンクアグリゲーションパラメータは第1のダウンリンク情報における情報の再送信の数であり得ることが理解されよう。第3のプリセット値がYである場合、XはY以下である。Yは1以上の正の整数であり得る。このことは、本出願において限定されない。
【０２１４】
場合により、この場合、第1の条件は、第1のダウンリンク情報の数が第1のプリセット値以下かつ第3のプリセット値以下であることを含み、時間ユニットサブセットが時間ユニットセットのサブセットであり、時間ユニットサブセットと第2の時間ユニットとの間に第2のアソシエーション関係がある。場合により、第1の条件は、ダウンリンクアグリゲーションパラメータが1より大きいことをさらに含む。場合により、第1のプリセット値は1より大きい。
【０２１５】
場合により、この場合、第1の条件は、第1のダウンリンク情報の数が第1のプリセット値以下であることを含み、時間ユニットサブセットが時間ユニットセットのサブセットであり、時間ユニットサブセットと第2の時間ユニットとの間に第2のアソシエーション関係がある。場合により、第1の条件は、ダウンリンクアグリゲーションパラメータが1より大きいことをさらに含む。場合により、第1のプリセット値は1より大きい。
【０２１６】
場合により、第1のプリセット値は、半永続コードブック構成における周波数領域ユニットに対応する第1の時間ユニットに対応するフィードバック情報のビット数である。加えて、時間ユニットサブセットにおいて受信される動的にスケジューリングされたPDSCHの数が第1のプリセット値未満であり、これらすべてのPDSCHが周波数領域ユニットにおける第1の時間ユニットに配置されている場合、NACKがPDSCHに対応するACK／NACKビット以外の第1のコードブックにおけるビットに設定される。この解決策は、1つの周波数領域ユニットに対応する1つの第1の時間ユニットにおいて、1つの端末デバイスに対して、時間領域で重複しない複数のPDSCHがスケジューリングされ得る場合に主に適用される。例えば、1つの第1の時間ユニットは14個の時間領域シンボルを含む。第1の時間ユニットにおける時間領域位置が、1番目から7番目の時間領域シンボルおよび8番目から14番目の時間領域のシンボルを含むことが事前構成される。時間領域位置のこれらの2つのグループは時間領域で重複せず、通常の非フォールバック半永続コードブックでは、第1の時間ユニットは2ビットのACK／NACKのフィードバックに対応する。この場合、第1のプリセット値は2である。事前構成は、RRCシグナリングを使用することにより実行される。具体的には、実際にスケジューリングされる時間領域位置は、PDCCH上の時間領域リソース割当指標フィールドにより指示される。例えば、PDCCH上の1ビットが、時間領域位置の上述の2つのグループのうちの1つを特に指示するために使用され得る。
【０２１７】
上述の任意の解決策では、次の2つのケースが考えられる。
【０２１８】
ケース1：時間ユニットサブセットにおいて受信される動的にスケジューリングされたPDSCHの数が1である場合、第1のコードブックのサイズは、第1のプリセット値に等しい、つまり、半永続コードブック構成における周波数領域ユニットに対応する第1の時間ユニットに対応するフィードバック情報のビット数に等しい。第1のコードブックにおけるPDSCHに対応するACK／NACKビット以外の第1のコードブックにおけるビットにNACKが設定される。例えば、上記の例では、第1のプリセット値は2であり、第1のコードブックのサイズは2ビットであり、PDSCHが受信されない時間領域位置に対応するACK／NACK位置にNACKが設定される。
【０２１９】
ケース2：時間ユニットサブセットにおいて受信される動的にスケジューリングされたPDSCHの数が1であり、これらすべてのPDSCHが周波数領域ユニットにおける第1の時間ユニットに配置されている場合、第1のコードブックのサイズは、第1のプリセット値に等しい、つまり、半永続コードブック構成における周波数領域ユニットに対応する第1の時間ユニットに対応するフィードバック情報のビット数に等しい。例えば、上述の例では、第1のプリセット値は2である。時間ユニットサブセットにおいて受信される動的にスケジューリングされたPDSCHの数が2である場合、第1のコードブックのサイズは、時間領域位置の上述の2つのグループにおけるPDSCHのACK／NACKフィードバックにそれぞれ対応する2ビットである。
【０２２０】
場合により、本出願の本実施形態では、第2のアソシエーション関係は、動的スケジューリングのためのダウンリンク制御チャネルを介して決定されるアソシエーション関係である。
【０２２１】
例えば、第2のアソシエーション関係は、PDCCH上のタイミング指示情報に基づいて決定される。換言すれば、第2のアソシエーション関係は、PDCCH上のタイミング指示情報を使用することにより端末デバイスに指示される。PDCCHが3ビットのタイミング指示情報を含み、タイミング指示情報が、PDCCHを通じてスケジューリングされたPDSCHが配置されているスロットとACK／NACKが配置されているスロットとの間のタイミング関係を指示するために使用される。例えば、第1のアソシエーション関係が｛n−1，n−2，n−3，n−4，n−5，n−6，n−7，n−8｝である場合、PDCCH上のタイミング指示情報は第1のアソシエーション関係における8つの値のうちの1つである。
【０２２２】
場合により、本出願の本実施形態では、プリセット条件が第2の条件をさらに含み得、第2の条件が、第1のダウンリンク情報を動的にスケジューリングするためのダウンリンク制御チャネル上の指示情報の値が第2のプリセット値であることであり、ダウンリンク制御チャネルがフォールバックスケジューリングのための制御チャネルである。
【０２２３】
本出願の本実施形態では、例えば、第2のプリセット値は、プリセットDAI値であり得る。
【０２２４】
例えば、時間ユニットサブセットは、ダウンリンクスロット10およびダウンリンクスロット11を含む。第1の条件における第1のプリセット値、すなわち第1のダウンリンク情報の数は、1であり得る。
【０２２５】
第2のプリセット値は1であると仮定される。ダウンリンクスロット10におけるPDSCHをスケジューリングするためのPDCCH上に含まれるDAIの値は1であり、ダウンリンクスロット11におけるPDSCHをスケジューリングするためのPDCCH上に含まれるDAIの値は2である。端末デバイスがダウンリンクスロット11におけるPDCCHの検出を逃した場合、端末デバイスは1つのスケジューリングされたPDSCHのみを検出し、第1の条件が満たされる、すなわち、ダウンリンク制御情報の数は1である（例えば、第1のプリセット値は1である場合）。ダウンリンクスロット10に含まれる第2のプリセット値も第2の条件を満たし、1である。この場合、端末デバイスは、ダウンリンクスロット10におけるPDSCHに対応するACK／NACKを基地局に送信する。この場合、基地局および端末デバイスは、フォールバックコードブックの一貫性のある理解を有している。具体的には、基地局および端末デバイスの両方が、フォールバックコードブックにおける1ビットのACK／NACKが、DAIが1であるPDSCH（例えば、ダウンリンクスロット10におけるPDSCH）に対応すると見なす。このことは、本出願において限定されない。
【０２２６】
場合により、本出願の本実施形態では、ダウンリンク制御チャネルは、フォールバックスケジューリングのための制御チャネルであり得る。
【０２２７】
本出願の本実施形態では、例えば、フォールバックスケジューリングのためのダウンリンク制御チャネルは、以下の特徴のうちの少なくとも1つを有し得る。例えば、フォールバックスケジューリングのためのダウンリンク制御チャネルは、RRCの確立前に実行されるデータスケジューリングのために使用され得、フォールバックスケジューリングのためのダウンリンク制御チャネル上のすべてのフィールドの値は、RRC専用シグナリングを使用することにより構成されない。
【０２２８】
本出願の本実施形態では、例えば、端末デバイスは、非フォールバックスケジューリングのためのダウンリンク制御チャネルを検出するように構成され得る。非フォールバックスケジューリングのための制御チャネルは、以下の特徴のうちの少なくとも1つを有し得、例えば、ダウンリンク制御チャネルは、RRC確立後に実行されるデータスケジューリングのために使用され、制御チャネルにおける少なくとも1つのフィールドの値は、RRC専用シグナリングを使用することにより構成され得る。
【０２２９】
例えば、時間領域リソース割当フィールド、DAIフィールド、BWP指示フィールドなどは、RRC専用シグナリングを使用することにより、非フォールバックスケジューリングのためにダウンリンク制御チャネル上で構成され得る。
【０２３０】
場合により、第1のダウンリンク情報を動的にスケジューリングするためのダウンリンク制御チャネルに含まれる指示情報がDAIフィールドであり得、プリセット値が、好ましくは、DAI＝1またはDAIフィールドの状態「00」によって指示された値である。
【０２３１】
場合により、本出願の本実施形態では、プリセット条件が第3の条件をさらに含み得、第3の条件は、第1のダウンリンク情報が配置されている第1の時間ユニットが時間ユニットセットにおける特定の時間領域位置における第1の時間ユニットであることである。
【０２３２】
場合により、1つまたは複数の特定の時間領域位置が存在し得る。
【０２３３】
次のシナリオでは、端末デバイスに関し、1つのキャリアに対応する1つのスロットに複数の候補時間領域位置があり得、複数の候補時間領域位置は、RRCシグナリングを使用することにより事前構成されるか、標準に従って事前定義される。複数の候補時間領域位置は、時間領域で互いに重複し得るが、実際のスケジューリングでは時間領域で重複しない。
【０２３４】
例えば、1つのスロットは14個の時間領域シンボルを含む。1つのスロットにおける複数の事前構成された候補時間領域位置は、第1、第2、第3、および第4の候補時間領域位置を含む。候補時間領域位置は、それぞれ、1番目から4番目の時間領域シンボル、3番目から6番目の時間領域シンボル、7番目から10番目の時間領域シンボル、および9番目から14番目の時間領域シンボルであると仮定される。時間領域で重複せず、時間領域シンボルの4つのグループに含まれる候補時間領域位置の最大数は2である。したがって、通常の非フォールバック半永続コードブックでは、2つのACK／NACKビットが1つのキャリアに対応する1つのスロットでフィードバックされる。事前構成された時間領域位置の4つのグループは、RRCシグナリングを使用することにより構成される。具体的には、実際にスケジューリングされる時間領域位置は、PDCCH上の時間領域リソース割当指標フィールドにより指示される。例えば、PDCCH上の2ビットが、時間領域位置の上述の4つのグループのうちの1つを特に指示するために使用され得る。
【０２３５】
第1のプリセット値が1であると仮定すると、時間ユニットサブセットにおいて端末デバイスによって受信された1つのみのPDSCHが決定された場合にのみコードブックフォールバックが実行される、換言すれば、第1の時間ユニットにおけるPDSCHが、時間ユニットセットにおける特定の時間領域位置においてスケジューリングされたPDSCHであることが決定された場合にのみコードブックフォールバックが実行される。
【０２３６】
したがって、場合により、各候補時間領域位置が第1の時間ユニットと見なされる場合、特定の時間領域位置は、1つのスロットに含まれ、時間領域で重複しない最大数の複数の第1の時間ユニットにおける特定の第1の時間ユニットであり得る、またはそのスロットにおける時間領域で特定の第1の時間ユニットと重複する第1の時間ユニットであり得る。
【０２３７】
具体的には、スロットにあり、時間領域で重複しない最大数の複数の第1の時間ユニットは、第1および第3の候補時間領域位置であり、特定の第1の時間ユニットは、プリセット規則に従って決定される。例えば、特定の第1の時間ユニットは、複数の第1の時間ユニットにおける最も早くに開始する時間領域シンボルまたは最も遅くに開始する時間領域シンボルを有する第1の時間ユニットである。例えば、特定の第1の時間ユニットは、第1の候補時間領域位置として決定され、時間領域において第1の候補時間領域位置と重複する時間領域位置は、第3の候補時間領域位置をさらに含む。時間領域で重複する複数の候補時間領域位置がある場合、1つの候補時間領域位置のみが実際のスケジューリングの際にスケジューリングされ得る。したがって、第1および第3の候補時間領域位置に対応する第1の時間ユニットが特定の時間領域位置として使用され得る。
【０２３８】
本出願の本実施形態では、プリセット条件に含まれる第1の条件における第1のプリセット値は1であり、第3の条件は、特定の時間領域位置における第1の時間ユニットが最も早いダウンリンクスロットであることであると仮定される。
【０２３９】
例えば、アップリンクスロットiに対応するダウンリンクスロットサブセットにおいて端末デバイスによって受信された動的にスケジューリングされたPDSCHの数が、第1のプリセット値1に等しく、動的にスケジューリングされたPDSCHが配置されているダウンリンクスロットが、ダウンリンクスロットセットにおけるプリセット時間領域位置、つまり、ダウンリンクスロットセットにおける最も早いダウンリンクスロットである場合、ACK／NACKコードブックは、ダウンリンクスロット1におけるPDSCHに対応するACK／NACKのみを含み得、アップリンクスロットiに対応するダウンリンクスロットセットにおける別のダウンリンクスロットに対応するACK／NACKを含まない。
【０２４０】
場合により、本出願の本実施形態では、プリセット条件が第4の条件をさらに含むことができ、第4の条件は、第1のダウンリンク情報が少なくとも1つの周波数領域ユニットにおけるプライマリ周波数領域ユニットまたは第1のセカンダリ周波数領域ユニットにおいて運ばれることである。
【０２４１】
例えば、複数のキャリアが端末デバイスに対して構成され得、コードブックフォールバックは、PDSCHがスケジューリングされているか否かに基づき得る。この場合、所定のキャリアがPDSCHのために選択され得る。例えば、所定のキャリアは、プライマリキャリア、プライマリ帯域幅部分、プライマリセカンダリキャリア、またはプライマリセカンダリ帯域幅部分であり得る。
【０２４２】
キャリアが例として使用される。プライマリセカンダリキャリアは、二重接続モードにおけるセカンダリキャリアグループにおけるプライマリキャリアであってもよいし、プライマリセカンダリキャリアは、PUCCHを運ぶセカンダリキャリアであってもよい。
【０２４３】
本出願の本実施形態では、プリセット条件が、第1の条件に加えて、第2の条件、第3の条件、および第4の条件のうちのいずれか1つまたは複数をさらに含み得ることを理解されたい。例えば、プリセット条件は、第1の条件に加えて、第2の条件および第3の条件をさらに含む。あるいは、プリセット条件は、第1の条件に加えて、第2の条件および第4の条件をさらに含む。このことは、本出願において限定されない。
【０２４４】
場合により、指示情報の値が、時間ユニットサブセットに関連する事前定義された規則に従って設定される。
【０２４５】
換言すれば、時間ユニットサブセットに含まれる第1のダウンリンク情報に対応するダウンリンク制御チャネルに含まれる指示情報の値は、事前定義された規則に従って設定され、プリセット規則は、時間ユニットサブセット以外の時間ユニットセットにおける時間ユニットにおけるダウンリンク情報に対応するダウンリンク制御チャネルに含まれる指示情報の値に関係しない。
【０２４６】
例えば、ダウンリンクスロットセットが、ダウンリンクスロット1からダウンリンクスロット8を含み、すなわち、時間ユニットセットが、ダウンリンクスロット1から8を含む。アップリンクスロットに対応するダウンリンクスロットサブセットは、ダウンリンクスロット1およびダウンリンクスロット2を含み、すなわち、時間ユニットサブセットは、ダウンリンクスロット1およびダウンリンクスロット2を含む。指示情報の値は、ダウンリンクスロット1およびダウンリンクスロット2においてPDSCHをスケジューリングするためのダウンリンク制御チャネルに含まれる指示情報の値に関係し、ダウンリンクスロット3からダウンリンクスロット8においてPDSCHをスケジューリングするためのダウンリンク制御チャネルに含まれる指示情報の値には関係しない。
【０２４７】
本出願の本実施形態では、指示情報の値は、DAIの値であり得ることを理解されたい。
【０２４８】
場合により、本出願の本実施形態では、少なくとも1つの周波数領域ユニットのそれぞれに対応し、第1の時間ユニットサブセットにある少なくとも1つの第1の時間ユニットについて、事前定義された規則が、時間領域の順序で累計を実行する。
【０２４９】
例えば、プリセット規則は、第1の周波数領域ユニットに対応する時間ユニットサブセットにおける少なくとも1つの時間ユニットの指示情報の値が、｛1，2，3，4，1，2，3，4，．．．｝としてカウントされ得、また第2の周波数領域ユニットに対応する時間ユニットサブセットにおける少なくとも1つの時間ユニットの指示情報の値が、｛1，2，3，4，1，2，3，4，．．．｝としてカウントされ得ることであり得る。このことは、本出願において限定されない。DAIフィールドのビット数は通常2であることに留意されたい。したがって、「00」、「01」、「10」、および「11」の4つの状態のみがあり、対応する値はそれぞれ1、2、3、および4、またはそれぞれ0、1、2、および3であり得る。値が1、2、3、および4であることが例として使用される。値が4を超えた場合、循環カウントが行われ得る。例えば、上述のカウント｛1，2，3，4，1，2，3，4，．．．｝は実際のカウント｛1，2，3，4，5，6，7，8，．．．｝である。
【０２５０】
場合により、本出願の本実施形態では、少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【０２５１】
例えば、プリセット規則は、周波数領域ユニット1に対応する時間ユニット1が1として識別され、周波数領域ユニット2に対応する時間ユニット1が2として識別され、周波数領域ユニット3に対応する時間ユニット1が3として識別され、以下同様であることである。次に、周波数領域ユニット1に対応する時間ユニット2は4として識別され、周波数領域ユニット2に対応する時間ユニット2は5として識別され、周波数領域ユニット3に対応する時間ユニット2は6として識別され、以下同様である。換言すれば、プリセット規則は、まず周波数領域の順序で、次に時間領域の順序で累計を実行する。
【０２５２】
本出願の本実施形態では、コードブックフォールバックに起因して引き起こされ得る端末デバイスと基地局との間における一貫しない理解の問題が、スロットサブセットにおける独立したDAI累計によって解決される。
【０２５３】
場合により、本出願の本実施形態では、第1のアソシエーション関係が、標準に従って事前定義される、かつ／またはRRCシグナリングを使用することによりネットワークデバイスによって端末デバイスのために構成される。
【０２５４】
S440：端末デバイスは、第2の時間ユニットにおいてアップリンク制御情報を送信し、アップリンク制御情報が第1のコードブックを運ぶ。
【０２５５】
換言すれば、端末デバイスは、第2の時間ユニットにおいて第1のコードブックを送信し、第2の時間ユニットはアップリンク時間ユニットであり得る。
【０２５６】
場合により、第2の時間ユニットは、アップリンク時間ユニットまたは柔軟な時間ユニットであり得る。本出願の本実施形態では、アップリンクスロットが説明のための例として使用される。
【０２５７】
端末デバイスは、第2の時間ユニットにおいて、第1のコードブックを使用することによる復号／変調を介して取得された信号を送信し得ることに留意されたい。
【０２５８】
場合により、本出願の本実施形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【０２５９】
場合により、本出願の本実施形態では、端末デバイスが第1のコードブックを決定する前に、端末デバイスは複数の候補コードブックモードから半永続コードブックモードを決定し、複数の候補コードブックモードが半永続コードブックモードと動的コードブックモードとを含む。
【０２６０】
場合により、本出願の本実施形態では、端末デバイスが第1のコードブックに基づいて第2の時間ユニットにおいてフィードバック情報を送信する前に、端末デバイスは、アップリンク制御チャネルのターゲットリソースセットを決定し、ターゲットリソースセットからアップリンク制御チャネルのターゲットリソースを決定する。端末デバイスは、第2の時間ユニットにおけるターゲットリソース上でアップリンク制御情報を送信し、アップリンク制御情報が第1のコードブックを運ぶ。
【０２６１】
例えば、少なくとも1つのダウンリンク情報における第1のダウンリンク情報の数が第1のプリセット値（例えば、第1のプリセット値は1である）に等しい場合、または上述の他の条件が満たされた場合、つまり、この場合の第1のコードブックはフォールバックコードブックである場合、ターゲットリソースセットが第1のリソースセットであり、第1のリソースセットに対応する第1のコードブックのコードブックサイズが2以下である。
【０２６２】
換言すれば、PDSCHの数であり得る第1のダウンリンク情報の数が、プリセット条件に含まれる第1の条件を満たす場合、例えば、第1のプリセット値が1である場合、すなわち、端末デバイスが1つのスケジューリングされたPDSCHのためのPDCCHを検出すると、端末デバイスはコードブックフォールバックを実行し得る。この場合、端末デバイスは、第1のリソースセットにおける第1のターゲットリソース上でフィードバック情報の第1のコードブックを送信する。
【０２６３】
場合により、本出願の本実施形態では、少なくとも1つのダウンリンク情報における第1のダウンリンク情報の数が第1のプリセット値ではない場合、ターゲットリソースセットが第2のリソースセットであり、第2のリソースセットに対応する第1のコードブックのコードブックサイズが2より大きい。この場合、第1のコードブックは、非フォールバックコードブックまたは通常の半永続コードブックである。この場合、端末デバイスは、第2のリソースセットにおける第2のターゲットリソース上でフィードバック情報の第1のコードブックを送信する。
【０２６４】
本出願の本実施形態では、第1のダウンリンク情報は、代替的に、動的にスケジューリングされたダウンリンク情報であり得ることを理解されたい。
【０２６５】
例えば、第1のダウンリンク情報は、ダウンリンク半永続スケジューリングSPS解放指示または動的にスケジューリングされたダウンリンクデータチャネルを含み得、動的にスケジューリングされたダウンリンクデータチャネルは、ダウンリンク制御チャネルを通じて動的にスケジューリングされ得る。
【０２６６】
動的スケジューリングとは、ダウンリンクデータチャネルの各送信が、対応するダウンリンク制御チャネルを通じてスケジューリングされる必要があることを意味することに留意されたい。
【０２６７】
動的にスケジューリングされたダウンリンクデータチャネルは、半永続ダウンリンク制御チャネルを通じてスケジューリングされた半永続的にスケジューリングされたダウンリンクデータチャネルに対応する。具体的には、半永続ダウンリンク制御チャネルが一度送信された後、対応する半永続ダウンリンクデータチャネルが、半永続ダウンリンク制御チャネルを毎回送信する必要なしに、事前構成された送信サイクルに従って常に送信され得る。
【０２６８】
半永続ダウンリンクスケジューリングは、特定のダウンリンク制御チャネルを通じて解放され得る。半永続ダウンリンクスケジューリングの解放指示を実施するために使用されるダウンリンク制御チャネルは、通常、ダウンリンクデータチャネルをスケジューリングするためには使用されない。しかしながら、端末デバイスはまた、ダウンリンク制御チャネルのためのACK／NACKフィードバック情報をフィードバックする。
【０２６９】
本出願の本実施形態では、動的にスケジューリングされたダウンリンクデータチャネルが、ダウンリンク情報を説明するための例として代替的に使用され得ることを理解されたい。このことは、本出願において限定されない。
【０２７０】
場合により、本出願の本実施形態では、動的コードブックモードにおいて、端末デバイスがフィードバック情報の第2のコードブックを決定でき、第2のコードブックが、時間ユニットセットにおける実際にスケジューリングされた第1の時間ユニットに対応するフィードバック情報を含む。
【０２７１】
本出願の本実施形態では、半永続コードブックモードにおいて、フィードバック情報が送信されるスロットについて、複数のダウンリンクデータが、第1のアソシエーション関係に対応する時間ユニットセットにおける複数の時間ユニットにおいてスケジューリングされるとき、コードブックフォールバックは、スロットにおいて送信された第2のアソシエーション関係に対応するダウンリンクデータの数が第1のプリセット値（例えば、第1のプリセット値が1である）に等しい場合に実行され得る。プリセット条件における他のいくつかの条件が満たされると、フィードバック情報復調のパフォーマンスが改善される。
【０２７２】
図6は、本出願の一実施形態によるフィードバック情報フォールバックモードの概略図である。
【０２７３】
図6では、本実施形態を説明するための例として単一のキャリアが使用されていることを理解されたい。本出願の本実施形態は、複数のキャリアのケースに拡張され得る。
【０２７４】
図6では、アップリンクスロットiに対応するダウンリンクスロットセット（例えば、第1の時間ユニットセット）は、ダウンリンクスロット1から8を含む。基地局は、各ダウンリンクスロットにおいて端末デバイスのためのPDSCHを実際にスケジューリングする。アップリンクスロットjに対応するダウンリンクスロットセットは、スロット4から11を含む。基地局は、ダウンリンクスロット4から8およびダウンリンクスロット10および11において端末デバイスのためのPDSCHを実際にスケジューリングするが、端末デバイスのためにダウンリンクスロット9はスケジューリングしない。
【０２７５】
端末デバイスは、アップリンクスロットiおよびjの両方において、ACK／NACK情報を基地局にフィードバックし得る。アップリンクスロットiとダウンリンクスロット1から8との間には第1のアソシエーション関係があり、アップリンクスロットjとダウンリンクスロット4から11との間には第1のアソシエーション関係がある。第1のアソシエーション関係は、具体的には、PDSCHをスケジューリングするための候補スロットとACK／NACKのためのスロットとの間のタイミング関係である。具体的には、第1のアソシエーション関係は、標準に従って事前定義されてもよいし、RRC専用シグナリングを使用することにより基地局によって端末デバイスに通知されてもよい。
【０２７６】
アップリンクスロットiに対応するダウンリンクスロットサブセットは、ダウンリンクスロット1から8を含み、アップリンクスロットjに対応するダウンリンクスロットサブセットは、ダウンリンクスロット10および11を含む。アップリンクスロットiに対応するダウンリンクスロットサブセットは、アップリンクスロットiに対応するダウンリンクスロットセットのサブセットであり、アップリンクスロットjに対応するダウンリンクスロットサブセットは、アップリンクスロットjに対応するダウンリンクスロットセットのサブセットであることが分かる。
【０２７７】
例えば、アップリンクスロットiとダウンリンクスロット1から8との間には第2のアソシエーション関係があり、アップリンクスロットjとダウンリンクスロット10および11との間には第2のアソシエーション関係がある。第2のアソシエーション関係は、実際にスケジューリングされたPDSCHが配置されているスロットとACK／NACKのためのスロットとの間のタイミング関係である。タイミング関係は、PDSCHを実際にスケジューリングするためのPDCCH上のタイミング指示情報を使用することにより決定される。換言すれば、第2のアソシエーション関係は、PDSCHを動的にスケジューリングするためのPDCCH上のタイミング指示情報を使用することにより決定される。
【０２７８】
本出願の本実施形態では、例えば、ACK／NACKがアップリンクスロットjでフィードバックされる例が、フィードバック情報フォールバックモードを説明するために使用される。
【０２７９】
第1のプリセット値は1であると仮定される。アップリンクスロットjに対応するダウンリンクスロットサブセットにおいて端末デバイスによって受信される動的にスケジューリングされたPDSCHの数が1である場合（端末デバイスが、ダウンリンクスロットセットに含まれるスロット4からスロット11において複数の動的にスケジューリングされたPDSCHを受信する場合でさえ）、プリセット条件に含まれる第1の条件が満たされる。このことは、本出願において限定されない。
【０２８０】
例えば、ダウンリンクスロット10において動的にスケジューリングされたPDSCHが受信されるが、ダウンリンクスロット11においてPDSCHを動的にスケジューリングするためのPDCCHが検出されない場合、ACK／NACKコードブック（つまり、第1のコードブック）はダウンリンクスロット10におけるPDSCHに対応するACK／NACKのみを含み得、アップリンクスロットjに対応するダウンリンクスロットセットにおけるスロット4からスロット11における別のダウンリンクスロットに対応するACK／NACKは含まない。このことは、本出願において限定されない。
【０２８１】
例えば、ダウンリンクスロット10およびダウンリンクスロット11においてPDSCHを動的にスケジューリングするためのPDCCHが受信された場合、ダウンリンク情報の数は2である。この場合、プリセット条件に含まれる第1の条件は満たされない、すなわち、第1のプリセット値が1ではない。この場合、ACK／NACKコードブックは、ダウンリンクスロットセットにおけるダウンリンクスロット4から11におけるACK／NACKを含む。換言すれば、コードブックフォールバックは実行されず、通常の半永続コードブックが代わりに使用される。このことは、本出願において限定されない。
【０２８２】
コードブックフォールバックをサポートするために、DAIフィールドの値は、コードブックフォールバックの際の可能な誤りを回避するために、プリセット規則に従ってカウントされ得る。
【０２８３】
例えば、ダウンリンクスロット10および11に対応するPDCCH上の両方のDAIがプリセット値1となるように設定されていると仮定される。端末デバイスがダウンリンクスロット10に対応するPDCCHの検出を逃した場合、端末デバイスは、フォールバックコードブックを使用することにより、ダウンリンクスロット11に対応する1ビットのACK／NACKを送信する。あるいは、端末デバイスがダウンリンクスロット11に対応するPDCCHの検出を逃した場合、端末デバイスは、フォールバックコードブックを使用することにより、ダウンリンクスロット10に対応する1ビットのACK／NACKを送信する。しかしながら、基地局は、どのPDCCHが端末デバイスによって未検出であるかを把握していない。したがって、基地局は、フォールバックコードブックに対応するダウンリンクスロットのあいまいな理解を有する。
【０２８４】
ダウンリンクスロットサブセットにおける動的にスケジューリングされたPDSCHに対応するPDCCHに含まれるDAIの値は、プリセット規則に従って設定され得る。
【０２８５】
加えて、コードブックフォールバックは、タイミング指示情報または第2のアソシエーション関係に対応するスロットサブセットでのみ行われる。したがって、プリセット規則は、スロットサブセット以外のスロットセットにおけるスロットにおけるPDSCHに対応するPDCCHに含まれるDAIの値には関係しない。
【０２８６】
例えば、アップリンクスロットjに対応するダウンリンクスロットサブセットにおけるDAIの値の場合、規則は、プリセット値から時間順に累計を実行することである。具体的には、ダウンリンクスロット10はDAI＝1に対応し、ダウンリンクスロット11はDAI＝2に対応する。
【０２８７】
場合により、ダウンリンクスロットサブセット（例えば、時間ユニットサブセット）における少なくとも1つのキャリアのそれぞれに対応する少なくとも1つのダウンリンクスロットについて、プリセット規則は、ダウンリンクスロットの順に累計を実行することであり得る、またはダウンリンクスロットサブセットにおける少なくとも1つのキャリアに対応する少なくとも1つのダウンリンクスロットについて、プリセット規則は、まず周波数領域順で、次に時間領域順で累計を実行することであり得る。
【０２８８】
例えば、プリセット規則は、第1の周波数領域ユニットにおける時間ユニットサブセットに対応する少なくとも1つの時間ユニットの指示情報の値が、｛1，2，3，4，1，2，3，4，．．．｝としてカウントされ得、また第2の周波数領域ユニットに対応する時間ユニットサブセットにおける少なくとも1つの時間ユニットの指示情報の値が、｛1，2，3，4，1，2，3，4，．．．｝としてカウントされ得ることであり得る。このことは、本出願において限定されない。DAIフィールドのビット数は通常2であることに留意されたい。したがって、「00」、「01」、「10」、および「11」の4つの状態のみがあり、対応する値はそれぞれ1、2、3、および4、またはそれぞれ0、1、2、および3であり得る。値が1、2、3、および4であることが例として使用される。値が4を超えた場合、循環カウントが行われ得る。例えば、上述のカウント｛1，2，3，4，1，2，3，4，．．．｝は実際のカウント｛1，2，3，4，5，6，7，8，．．．｝である。
【０２８９】
別の例として、プリセット規則は、周波数領域ユニット1に対応する時間ユニット1が1として識別され、周波数領域ユニット2に対応する時間ユニット1が2として識別され、周波数領域ユニット3に対応する時間ユニット1が3として識別され、以下同様であることである。次に、周波数領域ユニット1に対応する時間ユニット2は4として識別され、周波数領域ユニット2に対応する時間ユニット2は5として識別され、周波数領域ユニット3に対応する時間ユニット2は6として識別され、以下同様である。換言すれば、プリセット規則は、まず周波数領域の順序で、次に時間領域の順序で累計を実行する。
【０２９０】
時間ユニットサブセットと第2の時間ユニットとの間に第2のアソシエーション関係があり得る。タイミング指示情報に基づいて、ダウンリンクスロットセットにおける実際にスケジューリングされたPDSCHが配置されているすべてのスロットがアップリンクスロットjに対応しているわけではない。
【０２９１】
例えば、セットにおける実際にスケジューリングされたダウンリンクスロット4から8は、タイミング指示情報に基づいてアップリンクスロットiに対応するが、セットにおけるダウンリンクスロット10および11のみが、タイミング指示情報に基づいてアップリンクスロットjに対応する。したがって、端末デバイスは、サブセットにおける動的にスケジューリングされたPDSCHの数が第1のプリセット値に等しいか否かのみに基づいて、コードブックフォールバックを実行するか否かを決定し得る。
【０２９２】
場合により、コードブックフォールバックを満たすプリセット条件は、以下の条件をさらに含み得る。
【０２９３】
場合により、プリセット条件が第2の条件をさらに含み、第2の条件が、第1のダウンリンク情報を動的にスケジューリングするためのダウンリンク制御チャネル上の指示情報の値が第2のプリセット値であることである。
【０２９４】
例えば、スロットサブセットにおける1つのPDSCHのみを動的にスケジューリングするために受信されたPDCCHに含まれるDAIの値は、第2のプリセット値である。
【０２９５】
例えば、第2のプリセット値は1である。ダウンリンクスロット10におけるPDSCHをスケジューリングするためのPDCCH上に含まれるDAIの値は1であり、ダウンリンクスロット11におけるPDSCHをスケジューリングするためのPDCCH上に含まれるDAIの値は2である。端末デバイスがダウンリンクスロット11におけるPDCCHの検出を逃した場合、端末デバイスは1つのスケジューリングされたPDSCHのみを検出し、第1の条件が満たされる、すなわち、ダウンリンク制御情報の数は1である（例えば、第1のプリセット値は1である場合）。ダウンリンクスロット10においてPDSCHをスケジューリングするためのPDCCHに含まれる第2のプリセット値も、第2の条件を満たし、1である。この場合、端末デバイスは、ダウンリンクスロット10におけるPDSCHに対応するACK／NACKを基地局に送信する。この場合、基地局は、異なるダウンリンクスロットにおけるDAI値に基づいて、送信されたフィードバック情報がダウンリンクスロット10におけるPDSCHに対応することを把握することができる。このことは、本出願において限定されない。
【０２９６】
PDSCHをスケジューリングするためのPDCCHは、DAI値を含むことを理解されたい。したがって、端末デバイスおよび基地局の両方が、任意のダウンリンクスロットに対応するDAI値を決定できる。
【０２９７】
第2の条件が使用されない場合、基地局は、端末デバイスがダウンリンクスロット10またはダウンリンクスロット11に対応するPDCCHの検出を逃したか否かを決定することができない。したがって、フォールバックコードブックに対応するダウンリンクスロットについて、基地局と端末デバイスとの間における一貫しない理解の問題が生じる。
【０２９８】
第2のプリセット値が1であり得ることも、DAI内のビットが制限される場合に基づく。例えば、2ビットのDAIの特定の状態は｛00，01，10，11｝であり得る。
【０２９９】
この場合、互いに異なる4つの値、例えば、｛1，2，3，4｝が識別され得る。4つの連続したPDCCHが検出されない確率が非常に低いことを考えると、DAIサイクルが、より多くの値を表すために使用され得る。例えば、｛00，01，10，11，00，01，10，11，．．．｝は、値｛1，2，3，4，1，2，3，4，．．．｝を表すために使用される。
【０３００】
本出願の本実施形態では、別の状態と値との間の対応は限定されないことを理解されたい。例えば、値は｛0，1，2，3，0，1，2，3，．．．｝として識別されてもよい、つまり、値は0から開始して識別されてもよい。
【０３０１】
例として図6を使用して、ダウンリンクスロット｛1，2，3，4，5，6，7，8｝が、DAIサイクルを使用することにより｛1，2，3，4，1，2，3，4｝と表され得ると仮定されることに留意されたい。
【０３０２】
基地局が5つのダウンリンクスロット｛1，2，3，4，5｝を動的にスケジューリングする場合、ダウンリンクスロット｛1，2，3，4｝は、端末デバイスによって検出されず、ダウンリンクスロット5における動的にスケジューリングされたPDSCHに対応するPDCCHのみが検出される。この場合、第1のプリセット値は1である。第2のプリセット値が1である場合、ダウンリンクスロット5における動的にスケジューリングされたPDSCHのDAI値も、第2のプリセット値に等しい。この場合、ダウンリンクスロット5におけるPDSCHは、第1のプリセット値および第2のプリセット値の両方に対応する条件を満たし、端末デバイスは、ダウンリンクスロット5において動的にスケジューリングされたPDSCHのフィードバック情報を基地局に送信する。
【０３０３】
この場合、基地局は、端末デバイスによって未検出であるダウンリンクスロットを把握することができない。したがって、基地局がフィードバック情報を受信した後、基地局は、フィードバック情報がダウンリンクスロット2またはダウンリンクスロット6における動的にスケジューリングされたPDSCHのフィードバック情報であるか否かを決定することができない。この場合、フォールバックコードブックに対応するダウンリンクスロットに関する基地局と端末デバイスとの間における一貫しない理解の問題があり得る。しかしながら、本実施形態の本実施形態では、4つの連続するPDCCHが検出されない確率は非常に低い。したがって、フォールバックコードブックに対応するダウンリンクスロットに関する基地局と端末デバイスとの間における一貫しない理解の問題はない。
【０３０４】
場合により、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【０３０５】
本実施形態の本実施形態では、複数のキャリアが端末デバイスのために構成され得、コードブックフォールバックは、PDSCHがスケジューリングされているか否かに基づいて決定され得る。この場合、PDSCHには所定のキャリアが選択され得る。
【０３０６】
例えば、所定のキャリアは、プライマリキャリア、プライマリ帯域幅部分、プライマリセカンダリキャリア、またはプライマリセカンダリ帯域幅部分であり得る。
【０３０７】
キャリアが例として使用される。プライマリセカンダリキャリアは、二重接続モードにおけるセカンダリキャリアグループにおけるプライマリキャリアであってもよいし、プライマリセカンダリキャリアは、PUCCHを運ぶセカンダリキャリアであってもよい。
【０３０８】
場合により、フォールバックコードブックは、SPS PDSCHが存在する場合に適用可能である。
【０３０９】
例えば、動的にスケジューリングされた1つのPDSCHと1つのSPS PDSCHのみがダウンリンクスロットサブセットにおいて受信され得る場合、端末デバイスはフォールバックコードブックを使用することによりACK／NACKフィードバックを依然として実行し得る。フォールバックコードブックは、動的にスケジューリングされた1つのPDSCHに対応する1つのACK／NACKビット、および1つのSPS PDSCHに対応する1つのACK／NACKビットのみを含み得る。
【０３１０】
LTEシステムでは、動的にスケジューリングされた1つのPDSCHと1つのSPS PDSCHが受信された場合、チャネル選択の特別なフィードバックモードのみが使用され得る。しかしながら、5Gシステムでは、この場合にフォールバックコードブックが使用され得る。
【０３１１】
PDSCHを動的にスケジューリングするために、PDCCH上に、ACK／NACKリソース指示情報、例えば、事前構成されたDAIがあり得る。動的にスケジューリングされたPDSCHおよびSPS PDSCHにそれぞれ対応するACK／NACKは、指示されたPUCCHリソース上で運ばれ得る。
【０３１２】
図7は、本出願の一実施形態によるフィードバック情報フォールバックモードの概略図である。
【０３１３】
図7では、本実施形態を説明するための例として単一のキャリアが使用されていることを理解されたい。本出願の本実施形態は、複数のキャリアのケースに拡張され得る。
【０３１４】
本出願の本実施形態では、例えば、アップリンクスロットiに対応するダウンリンクスロットセットは、ダウンリンクスロット1から8を含み、基地局は、ダウンリンクスロット1でのみ端末デバイスのためのPDSCHを実際にスケジューリングし、アップリンクスロットjに対応するダウンリンクスロットセットは、ダウンリンクスロット4から11を含み、基地局は、ダウンリンクスロット10のみで端末デバイスのためのPDSCHを実際にスケジューリングする。
【０３１５】
端末デバイスは、アップリンクスロットiおよびアップリンクスロットjの両方において、ACK／NACK情報を基地局にフィードバックする。アップリンクスロットiとダウンリンクスロット1から8との間には第1のアソシエーション関係があり、アップリンクスロットjとダウンリンクスロット4から11との間には第1のアソシエーション関係がある。具体的には、第1のアソシエーション関係が図3に示され得る。このことは、本出願において限定されない。
【０３１６】
図7で説明したように、アップリンクスロットiに対応するダウンリンクスロットサブセットは、ダウンリンクスロット1から8を含み、アップリンクスロットjに対応するダウンリンクスロットサブセットは、ダウンリンクスロット10および11を含む。
【０３１７】
アップリンクスロットiに対応するダウンリンクスロットサブセットは、アップリンクスロットiに対応するダウンリンクスロットセットのサブセットであり、アップリンクスロットjに対応するダウンリンクスロットサブセットは、アップリンクスロットjに対応するダウンリンクスロットセットのサブセットであることが分かる。
【０３１８】
具体的には、アップリンクスロットiとダウンリンクスロット1から8との間には、第2のアソシエーション関係がある。具体的には、第2のアソシエーション関係が図3に示され得る。このことは、本出願において限定されない。
【０３１９】
場合により、本出願の本実施形態では、プリセット条件が第3の条件をさらに含み、第3の条件は、第1のダウンリンク情報が配置されている第1の時間ユニットが時間ユニットセットにおける特定の時間領域位置における第1の時間ユニットであることである。
【０３２０】
第3の条件に基づいて、DAI値への依存が必要とされない場合があるため、図6に示される実施形態と同じ方式でダウンリンク制御チャネルに制限を課す必要はない。
【０３２１】
換言すれば、第1のダウンリンク情報を動的にスケジューリングするためのダウンリンク制御チャネルは、フォールバックスケジューリングのためのダウンリンク制御チャネル、または非フォールバックスケジューリングのためのダウンリンク制御チャネルであり得る。
【０３２２】
特定の時間領域位置における第1の時間ユニットについて、時間ユニットセットが決定されると、特定の時間領域位置は時間ユニットセットにおける絶対時間領域位置であることが理解されよう。
【０３２３】
例えば、第1の時間ユニットは、時間ユニットセットにおける最も早い時間ユニットまたは最も遅い時間ユニットであるようにプリセットされ得る。このことは、本出願において限定されない。
【０３２４】
例えば、アップリンクスロットiにおいてフィードバックされたACK／NACKが説明のための例として使用される。
【０３２５】
プリセット条件に含まれる第1の条件における第1のプリセット値が1であると仮定すると、第1のダウンリンク情報の数が1である場合、コードブックフォールバックが行われる。
【０３２６】
アップリンクスロットiに対応するダウンリンクスロットサブセットにおいて端末デバイスによって受信された動的にスケジューリングされたPDSCHの数が、第1のプリセット値であり、例えば、第1のプリセット値が1であり、動的にスケジューリングされたPDSCHが配置されているダウンリンクスロット1が、ダウンリンクスロットセットにおけるプリセット時間領域位置である（例えば、第3の条件は、特定の時間領域位置における第1の時間ユニットが最も早いダウンリンクスロットであることである）場合、ACK／NACKコードブックは、ダウンリンクスロット1におけるPDSCHに対応するACK／NACKのみを含み得、アップリンクスロットiに対応するダウンリンクスロットセットにおける別のダウンリンクスロットに対応するACK／NACKを含まない。
【０３２７】
スロットiに対応するダウンリンクスロットサブセットにおいて端末デバイスによって受信された動的にスケジューリングされたPDSCHの数が、第1のプリセット値であり、例えば、第1のプリセット値が1であり、動的にスケジューリングされたPDSCHが配置されているダウンリンクスロット1が、ダウンリンクスロットセットにおけるプリセット時間領域位置ではない、すなわち、プリセット条件に含まれる第3の条件が満たされない場合、ACK／NACKコードブックは、ダウンリンクスロット1からダウンリンクスロット8におけるすべてのPDSCHに対応するACK／NACKを含む。
【０３２８】
例えば、アップリンクスロットiにおいてフィードバックされたACK／NACKが説明のための例として使用される。
【０３２９】
プリセット条件に含まれる第1の条件における第1のプリセット値が1であると仮定すると、第1のダウンリンク情報の数が1である場合、コードブックフォールバックが行われる。
【０３３０】
アップリンクスロットjに対応するダウンリンクスロットセットにおいて端末デバイスによって受信された動的にスケジューリングされたPDSCHの数が、第1のプリセット値であり、例えば、ダウンリンクスロット10において動的にスケジューリングされたPDSCHが受信されるが、動的にスケジューリングされたPDSCHが配置されているダウンリンクスロット10が、ダウンリンクスロットセットにおけるプリセット時間領域位置ではない（例えば、第3の条件は、特定の時間領域位置における第1の時間ユニットが最も早いダウンリンクスロット4であることである）場合、ACK／NACKコードブックは、通常の半永続コードブックである、つまり、ACK／NACKコードブックは、ダウンリンクスロットセットによってすべてのダウンリンクスロット4から11に対応するACK／NACKを含む必要がある。
【０３３１】
場合により、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【０３３２】
本実施形態の本実施形態では、複数のキャリアが端末デバイスのために構成され得、コードブックフォールバックは、PDSCHがスケジューリングされているか否かに基づいて決定され得る。この場合、PDSCHには所定のキャリアが選択され得る。
【０３３３】
例えば、所定のキャリアは、プライマリキャリア、プライマリ帯域幅部分、プライマリセカンダリキャリア、またはプライマリセカンダリ帯域幅部分であり得る。
【０３３４】
キャリアが例として使用される。プライマリセカンダリキャリアは、二重接続モードにおけるセカンダリキャリアグループにおけるプライマリキャリアであってもよいし、プライマリセカンダリキャリアは、PUCCHを運ぶセカンダリキャリアであってもよい。
【０３３５】
場合により、本出願の本実施形態では、プリセット条件は、代替的に、第2の条件と第3の条件との両方を含み得る。換言すれば、第1のダウンリンク情報を動的にスケジューリングするためのダウンリンク制御チャネル上の指示情報の値は、第2のプリセット値であり、第1のダウンリンク情報が配置されている第1の時間ユニットは、時間ユニットセットにおける特定の時間領域位置における第1の時間ユニットである。この場合、第2のプリセット値と特定の時間領域位置における第1の時間ユニットとに基づいて、コードブックフォールバック中の端末デバイスと基地局との間のダウンリンクスロット理解の一貫性が改善される。
【０３３６】
例えば、プリセット条件に含まれる第1の条件における第1のプリセット値は1であり、第2の条件が第2のプリセット値が1であることであり、第3の条件は、特定の時間領域位置における第1の時間ユニットが最も早いダウンリンクスロット（例えば、ダウンリンクスロット4）であることが仮定される。
【０３３７】
アップリンクスロットiにおいてフィードバックされたACK／NACKが説明のための例として使用される。
【０３３８】
端末デバイスが、スロットjに対応するダウンリンクスロットサブセットにおけるダウンリンクスロット10において動的にスケジューリングされたPDSCHを受信し、ダウンリンクスロット11において動的にスケジューリングされたPDSCHに対応するPDCCHの検出を逃した場合、ダウンリンクスロット10におけるPDCCH上のDAI値は1であり、ダウンリンクスロット11におけるPDCCH上のDAI値は2である。端末デバイスがダウンリンクスロット11におけるPDCCHの検出を逃すため、端末デバイスは、ダウンリンクスロット11においてDAI値が2であるPDCCHを受信できない。この場合、ダウンリンクスロット10におけるスケジューリングされたPDSCHは、第1の条件および第2の条件を満たしているが、時間領域位置における第1の時間ユニットが最も早いダウンリンクスロットであるという第3の条件を満たしていない。したがって、ACK／NACKコードブックは、通常の半永続コードブックであり、すなわち、ACK／NACKコードブックは、ダウンリンクスロットセットにおけるすべてのダウンリンクスロット4から11に対応するACK／NACKを含む必要がある。
【０３３９】
場合により、フォールバックコードブックは、SPS PDSCHが存在する場合に適用可能である。
【０３４０】
例えば、動的にスケジューリングされた1つのPDSCHと1つのSPS PDSCHのみがダウンリンクスロットサブセットにおいて受信され得る場合、端末デバイスはフォールバックコードブックを使用することによりACK／NACKフィードバックを依然として実行し得る。フォールバックコードブックは、動的にスケジューリングされた1つのPDSCHに対応する1つのACK／NACKビット、および1つのSPS PDSCHに対応する1つのACK／NACKビットのみを含み得る。
【０３４１】
LTEシステムでは、動的にスケジューリングされた1つのPDSCHと1つのSPS PDSCHが受信された場合、チャネル選択の特別なフィードバックモードのみが使用され得る。しかしながら、5Gシステムでは、この場合にフォールバックコードブックが使用され得る。
【０３４２】
PDSCHを動的にスケジューリングするために、PDCCH上に、ACK／NACKリソース指示情報、例えば、事前構成されたDAIがあり得る。動的にスケジューリングされたPDSCHおよびSPS PDSCHにそれぞれ対応するACK／NACKは、指示されたPUCCHリソース上で運ばれ得る。
【０３４３】
本出願の様々な実施形態において上記のプロセスのシーケンス番号は、実行する順番を意味するものではないことを理解されたい。プロセスを実行する順番は、プロセスの機能および内部ロジックに従って決定されるべきであるが、本出願の各実施形態の実装プロセスに対するいかなる限定とも解釈されるべきではない。
【０３４４】
以上、本出願の実施形態によるフィードバック情報送信方法について詳細に説明した。本出願では、半永続コードブックモードに基づいて、端末デバイスが、フィードバック情報を送信するために少なくとも1つの時間ユニットにおいて複数のダウンリンク情報をスケジューリングする場合に、具体的には、第1のアソシエーション関係に対応する時間ユニットセットにおける複数の時間ユニットにおいて複数のダウンリンク情報をスケジューリングする場合に、第2のアソシエーション関係に対応するダウンリンク情報の数が第1の条件を満たすとき、コードブックフォールバックが実行され得、それにより、システムによる、フィードバック情報を運ぶアップリンク制御チャネルのリソースを利用する効率を改善する。本出願の実施形態における端末デバイスおよびネットワークデバイスは、本出願の上述の実施形態における方法を実行し得ることを理解されたい。したがって、以下の製品の特定の作業プロセスについては、上述の方法の実施形態における対応するプロセスに参照が行われ得る。
【０３４５】
図8は、本出願の一実施形態による通信デバイス700の概略構成図である。通信デバイス700は、図1に示されるシステムに適用される端末デバイスであり得る。図8に示されるように、通信デバイス700は、送受信機ユニット710と処理ユニット720とを備える。
【０３４６】
送受信機ユニット710と処理ユニット720とは、制御信号および／またはデータ信号を転送するために内部接続チャネルを介して互いに通信する。可能な設計では、送受信機ユニット710および処理ユニット720は、本出願の本実施形態における端末デバイスの対応する機能を実装するために、チップを使用することによって実装され得る。
【０３４７】
本出願の本実施形態では、送受信機ユニット710は、
時間ユニットセットにおける少なくとも1つの第1の時間ユニットにおいて少なくとも1つのダウンリンク情報を受信し、時間ユニットセットが、端末デバイスのために構成された少なくとも1つの周波数領域ユニットに対応する少なくとも1つの第1の時間ユニットのセットである、
ように構成される。
【０３４８】
処理ユニット720は、
第2の時間ユニットを決定し、第2の時間ユニットが、少なくとも1つのダウンリンク情報に対応するフィードバック情報を運ぶために使用され、時間ユニットセットと第2の時間ユニットとの間に第1のアソシエーション関係があり、第1のコードブックを決定し、時間ユニットサブセットにおける第1のダウンリンク情報がプリセット条件を満たす場合、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある、
ように構成される。
【０３４９】
送受信機ユニット710は、
第2の時間ユニットにおいてアップリンク制御情報を送信し、アップリンク制御情報が第1のコードブックを運ぶ、
ように構成される。
【０３５０】
場合により、処理ユニット720が、
複数の候補コードブックモードから半永続コードブックモードを決定し、複数の候補コードブックモードが、半永続コードブックモードと動的コードブックモードとを含む、
ようにさらに構成される。
【０３５１】
場合により、プリセット条件が第2の条件をさらに含み、第2の条件が、第1のダウンリンク情報を動的にスケジューリングするためのダウンリンク制御チャネル上の指示情報の値が第2のプリセット値であることである。
【０３５２】
場合により、プリセット条件が第3の条件をさらに含み、第3の条件は、第1のダウンリンク情報が配置されている第1の時間ユニットが時間ユニットセットにおける特定の時間領域位置における第1の時間ユニットであることである。
【０３５３】
場合により、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【０３５４】
場合により、本出願の本実施形態では、プリセット条件は、代替的に、第2の条件と第3の条件との両方を含み得る。換言すれば、第1のダウンリンク情報を動的にスケジューリングするためのダウンリンク制御チャネル上の指示情報の値は、第2のプリセット値であり、第1のダウンリンク情報が配置されている第1の時間ユニットは、時間ユニットセットにおける特定の時間領域位置における第1の時間ユニットである。この場合、第2のプリセット値と特定の時間領域位置における第1の時間ユニットとに基づいて、コードブックフォールバック中の端末デバイスと基地局との間のダウンリンクスロット理解の一貫性が改善される。
【０３５５】
本出願の本実施形態では、プリセット条件が、第1の条件に加えて、第2の条件、第3の条件、および第4の条件のうちのいずれか1つまたは複数をさらに含み得ることを理解されたい。例えば、プリセット条件は、第1の条件に加えて、第2の条件および第3の条件をさらに含む、またはプリセット条件は、第1の条件に加えて、第2の条件および第4の条件をさらに含む。このことは、本出願において限定されない。
【０３５６】
場合により、時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【０３５７】
場合により、指示情報の値が、時間ユニットサブセットに関連する事前定義された規則に従って設定される。
【０３５８】
場合により、少なくとも1つの周波数領域ユニットのそれぞれに対応し、第1の時間ユニットサブセットにある少なくとも1つの第1の時間ユニットについて、事前定義された規則が時間ユニットの順序で累計を実行する、または
少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【０３５９】
例えば、プリセット規則は、第1の周波数領域ユニットに対応する時間ユニットサブセットにおける少なくとも1つの時間ユニットの指示情報の値が、｛1，2，3，4，1，2，3，4，．．．｝としてカウントされ得、また第2の周波数領域ユニットに対応する時間ユニットサブセットにおける少なくとも1つの時間ユニットの指示情報の値が、｛1，2，3，4，1，2，3，4，．．．｝としてカウントされ得ることであり得る。このことは、本出願において限定されない。DAIフィールドのビット数は通常2であることに留意されたい。したがって、「00」、「01」、「10」、および「11」の4つの状態のみがあり、対応する値はそれぞれ1、2、3、および4、またはそれぞれ0、1、2、および3であり得る。値が1、2、3、および4であることが例として使用される。値が4を超えた場合、循環カウントが行われ得る。例えば、上述のカウント｛1，2，3，4，1，2，3，4，．．．｝は実際のカウント｛1，2，3，4，5，6，7，8，．．．｝である。
【０３６０】
別の例として、プリセット規則は、周波数領域ユニット1に対応する時間ユニット1が1として識別され、周波数領域ユニット2に対応する時間ユニット1が2として識別され、周波数領域ユニット3に対応する時間ユニット1が3として識別され、以下同様であることである。次に、周波数領域ユニット1に対応する時間ユニット2は4として識別され、周波数領域ユニット2に対応する時間ユニット2は5として識別され、周波数領域ユニット3に対応する時間ユニット2は6として識別され、以下同様である。換言すれば、プリセット規則は、まず周波数領域の順序で、次に時間領域の順序で累計を実行する。
【０３６１】
場合により、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【０３６２】
場合により、第1のアソシエーション関係が、標準に従って事前定義される、かつ／または無線リソース制御RRCシグナリングを使用することによりネットワークデバイスによって端末デバイスのために構成される。
【０３６３】
場合により、第2のアソシエーション関係が、動的スケジューリングのためのダウンリンク制御チャネルに基づいて決定される。
【０３６４】
場合により、時間ユニットが、スロット、ミニスロット、およびサブフレームのうちの少なくとも1つであり得る。
【０３６５】
場合により、周波数領域ユニットが、キャリアまたはキャリア帯域幅部分（bandwidth part、BWP）であり得る。
【０３６６】
場合により、第2の時間ユニットは、アップリンク時間ユニットまたは柔軟な時間ユニットであり得る。
【０３６７】
場合により、第1のアソシエーション関係は、事前構成されてもよいし、RRC専用シグナリングを使用することにより端末デバイスに通知されてもよい。一般に、フォールバックPDCCHスケジューリングの場合、第1のアソシエーション関係が事前構成され得る。非フォールバックPDCCHスケジューリングの場合、第1のアソシエーション関係は、RRC専用シグナリングを使用することにより端末デバイスに通知され得る。
【０３６８】
場合により、本出願の本実施形態では、ダウンリンク制御チャネルは、フォールバックスケジューリングのための制御チャネルであり得る。
【０３６９】
場合により、第1のダウンリンク情報を動的にスケジューリングするためのダウンリンク制御チャネルに含まれる指示情報がDAIフィールドであり得、プリセット値が、好ましくは、DAI＝1またはDAIフィールドの状態「00」によって指示された値である。
【０３７０】
場合により、本出願の本実施形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【０３７１】
場合により、本出願の本実施形態では、端末デバイスが第1のコードブックを決定する前に、端末デバイスは複数の候補コードブックモードから半永続コードブックモードを決定し、複数の候補コードブックモードが半永続コードブックモードと動的コードブックモードとを含む。
【０３７２】
場合により、本出願の本実施形態では、端末デバイスが第1のコードブックに基づいて第2の時間ユニットにおいてフィードバック情報を送信する前に、端末デバイスは、アップリンク制御チャネルのターゲットリソースセットを決定し、ターゲットリソースセットからアップリンク制御チャネルのターゲットリソースを決定する。端末デバイスは、第2の時間ユニットにおけるターゲットリソース上でアップリンク制御情報を送信し、アップリンク制御情報が第1のコードブックを運ぶ。
【０３７３】
例えば、少なくとも1つのダウンリンク情報における第1のダウンリンク情報の数が第1のプリセット値（例えば、第1のプリセット値は1である）に等しい場合、または上述の他の条件が満たされた場合、つまり、この場合の第1のコードブックはフォールバックコードブックである場合、ターゲットリソースセットが第1のリソースセットであり、第1のリソースセットに対応する第1のコードブックのコードブックサイズが2以下である。
【０３７４】
換言すれば、PDSCHの数であり得る第1のダウンリンク情報の数が、プリセット条件に含まれる第1の条件を満たす場合、例えば、第1のプリセット値が1である場合、すなわち、端末デバイスが1つのスケジューリングされたPDSCHのためのPDCCHを検出すると、端末デバイスはコードブックフォールバックを実行し得る。この場合、端末デバイスは、第1のリソースセットにおける第1のターゲットリソース上でフィードバック情報の第1のコードブックを送信する。
【０３７５】
場合により、本出願の本実施形態では、少なくとも1つのダウンリンク情報における第1のダウンリンク情報の数が第1のプリセット値ではない場合、ターゲットリソースセットが第2のリソースセットであり、第2のリソースセットに対応する第1のコードブックのコードブックサイズが2より大きい。この場合、第1のコードブックは、非フォールバックコードブックまたは通常の半永続コードブックである。この場合、端末デバイスは、第2のリソースセットにおける第2のターゲットリソース上でフィードバック情報の第1のコードブックを送信する。
【０３７６】
本出願の本実施形態では、第1のダウンリンク情報は、代替的に、動的にスケジューリングされたダウンリンク情報であり得ることを理解されたい。
【０３７７】
例えば、第1のダウンリンク情報は、ダウンリンク半永続スケジューリングSPS解放指示または動的にスケジューリングされたダウンリンクデータチャネルを含み得、動的にスケジューリングされたダウンリンクデータチャネルは、ダウンリンク制御チャネルを通じて動的にスケジューリングされ得る。
【０３７８】
動的スケジューリングとは、ダウンリンクデータチャネルの各送信が、対応するダウンリンク制御チャネルを通じてスケジューリングされる必要があることを意味することに留意されたい。
【０３７９】
動的にスケジューリングされたダウンリンクデータチャネルは、半永続ダウンリンク制御チャネルを通じてスケジューリングされた半永続的にスケジューリングされたダウンリンクデータチャネルに対応する。具体的には、半永続ダウンリンク制御チャネルが一度送信された後、対応する半永続ダウンリンクデータチャネルが、半永続ダウンリンク制御チャネルを毎回送信する必要なしに、事前構成された送信サイクルに従って常に送信され得る。
【０３８０】
半永続ダウンリンクスケジューリングは、特定のダウンリンク制御チャネルを通じて解放され得る。半永続ダウンリンクスケジューリングの解放指示を実施するために使用されるダウンリンク制御チャネルは、通常、ダウンリンクデータチャネルをスケジューリングするためには使用されない。しかしながら、端末デバイスはまた、ダウンリンク制御チャネルのためにACK／NACKフィードバック情報をフィードバックする必要がある。
【０３８１】
本出願の本実施形態では、動的にスケジューリングされたダウンリンクデータチャネルが、ダウンリンク情報を説明するための例として代替的に使用され得ることを理解されたい。このことは、本出願において限定されない。
【０３８２】
場合により、本出願の本実施形態では、動的コードブックモードにおいて、端末デバイスがフィードバック情報の第2のコードブックを決定でき、第2のコードブックが、時間ユニットセットにおける実際にスケジューリングされた第1の時間ユニットに対応するフィードバック情報を含む。
【０３８３】
図示されていないが、通信デバイス700は、入力ユニットおよび出力ユニットなどの別のユニットをさらに備え得ることを理解されたい。
【０３８４】
図9は、本出願の一実施形態による通信デバイス800の構成ブロック図である。通信デバイス800は、図1に示されるシステムに適用されるネットワークデバイスであり得る。図9に示される通信デバイス800は、送受信機ユニット810と処理ユニット820とを備える。
【０３８５】
送受信機ユニット810と処理ユニット820とは、制御信号および／またはデータ信号を転送するために内部接続チャネルを介して互いに通信する。可能な設計では、送受信機ユニット810および処理ユニット820は、本出願の本実施形態におけるネットワークデバイスの対応する機能を実装するために、チップを使用することによって実装され得る。
【０３８６】
本出願の本実施形態では、送受信機ユニット810は、
時間ユニットセットにおける少なくとも1つの第1の時間ユニットにおいて少なくとも1つのダウンリンク情報を端末デバイスに送信し、時間ユニットセットが、端末デバイスのために構成された少なくとも1つの周波数領域ユニットに対応する少なくとも1つの第1の時間ユニットのセットである、
ように構成される。
【０３８７】
処理ユニット820は、
第2の時間ユニットを決定し、第2の時間ユニットが、少なくとも1つのダウンリンク情報に対応するフィードバック情報を運ぶために使用され、時間ユニットセットと第2の時間ユニットとの間に第1のアソシエーション関係がある、
ように構成される。
【０３８８】
送受信機ユニット810は、
第2の時間ユニットにおいて、端末デバイスによって送信されたアップリンク制御情報を受信し、アップリンク制御情報が第1のコードブックを運び、第1のコードブックが、時間ユニットサブセットにおける第1のダウンリンク情報がプリセット条件を満たす場合の第1のコードブックであり、第1のコードブックが第1のダウンリンク情報に対応するフィードバック情報を含み、第1のコードブックが、時間ユニットサブセットにおける特定の時間ユニットに対応するフィードバック情報を含まず、特定の時間ユニットが、第1のダウンリンク情報が配置されている第1の時間ユニット以外の時間ユニットセットにおける少なくとも1つの第1の時間ユニットであり、プリセット条件が第1の条件を含み、第1の条件は、第1のダウンリンク情報の数が第1のプリセット値に等しいことであり、時間ユニットサブセットが時間ユニットセットのサブセットであり、時間ユニットサブセットと第2の時間ユニットとの間に第2のアソシエーション関係がある、
ように構成される。
【０３８９】
場合により、処理ユニット820は、
複数の候補コードブックモードから半永続コードブックモードを決定し、複数の候補コードブックモードが、半永続コードブックモードと動的コードブックモードとを含む、
ようにさらに構成される。
【０３９０】
送受信機ユニット810は、
シグナリングを使用することにより端末デバイスのために半永続コードブックモードを構成する
ようにさらに構成される。
【０３９１】
場合により、プリセット条件が第2の条件をさらに含み、第2の条件が、第1のダウンリンク情報を動的にスケジューリングするためのダウンリンク制御チャネル上の指示情報の値が第2のプリセット値であることである。
【０３９２】
場合により、プリセット条件が第3の条件をさらに含み、第3の条件は、第1のダウンリンク情報が配置されている第1の時間ユニットが時間ユニットセットにおける特定の時間領域位置における第1の時間ユニットであることである。
【０３９３】
場合により、プリセット条件が第4の条件をさらに含み、第4の条件は、第1のダウンリンク情報が少なくとも1つの周波数領域ユニットにおけるプライマリ周波数領域ユニットまたは第1のセカンダリ周波数領域ユニットにおいて運ばれることである。
【０３９４】
場合により、本出願の本実施形態では、プリセット条件は、代替的に、第2の条件と第3の条件との両方を含み得る。換言すれば、第1のダウンリンク情報を動的にスケジューリングするためのダウンリンク制御チャネル上の指示情報の値は、第2のプリセット値であり、第1のダウンリンク情報が配置されている第1の時間ユニットは、時間ユニットセットにおける特定の時間領域位置における第1の時間ユニットである。この場合、第2のプリセット値と特定の時間領域位置における第1の時間ユニットとに基づいて、コードブックフォールバック中の端末デバイスと基地局との間のダウンリンクスロット理解の一貫性が改善される。
【０３９５】
本出願の本実施形態では、プリセット条件が、第1の条件に加えて、第2の条件、第3の条件、および第4の条件のうちのいずれか1つまたは複数をさらに含み得ることを理解されたい。例えば、プリセット条件は、第1の条件に加えて、第2の条件および第3の条件をさらに含む。あるいは、プリセット条件は、第1の条件に加えて、第2の条件および第4の条件をさらに含む。このことは、本出願において限定されない。
【０３９６】
場合により、時間ユニットサブセットにおける第1のダウンリンク情報の数が第1の条件を満たさない場合、第1のコードブックが、時間ユニットセットにおけるすべての第1の時間ユニットに対応するフィードバック情報を含む。
【０３９７】
場合により、指示情報の値が、時間ユニットサブセットに関連する事前定義された規則に従って設定される。
【０３９８】
場合により、少なくとも1つの周波数領域ユニットのそれぞれに対応し、第1の時間ユニットサブセットにある少なくとも1つの第1の時間ユニットについて、事前定義された規則が時間ユニットの順序で累計を実行する、または
少なくとも1つの周波数領域ユニットに対応し、第1の時間ユニットサブセットにある少なくとも1つの第1の時間ユニットについて、事前定義された規則が、まず周波数領域の順序で、次に時間領域の順序で累計を実行する。
【０３９９】
例えば、プリセット規則は、第1の周波数領域ユニットに対応する時間ユニットサブセットにおける少なくとも1つの時間ユニットの指示情報の値が、｛1，2，3，4，1，2，3，4，．．．｝としてカウントされ得、また第2の周波数領域ユニットに対応する時間ユニットサブセットにおける少なくとも1つの時間ユニットの指示情報の値が、｛1，2，3，4，1，2，3，4，．．．｝としてカウントされ得ることであり得る。このことは、本出願において限定されない。DAIフィールドのビット数は通常2であることに留意されたい。したがって、「00」、「01」、「10」、および「11」の4つの状態のみがあり、対応する値はそれぞれ1、2、3、および4、またはそれぞれ0、1、2、および3であり得る。値が1、2、3、および4であることが例として使用される。値が4を超えた場合、循環カウントが行われ得る。例えば、上述のカウント｛1，2，3，4，1，2，3，4，．．．｝は実際のカウント｛1，2，3，4，5，6，7，8，．．．｝である。
【０４００】
別の例として、プリセット規則は、周波数領域ユニット1に対応する時間ユニット1が1として識別され、周波数領域ユニット2に対応する時間ユニット1が2として識別され、周波数領域ユニット3に対応する時間ユニット1が3として識別され、以下同様であることである。次に、周波数領域ユニット1に対応する時間ユニット2は4として識別され、周波数領域ユニット2に対応する時間ユニット2は5として識別され、周波数領域ユニット3に対応する時間ユニット2は6として識別され、以下同様である。換言すれば、プリセット規則は、まず周波数領域の順序で、次に時間領域の順序で累計を実行する。
【０４０１】
場合により、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【０４０２】
場合により、第1のアソシエーション関係が、標準に従って事前定義される、かつ／または無線リソース制御RRCシグナリングを使用することによりネットワークデバイスによって端末デバイスのために構成される。
【０４０３】
場合により、第2のアソシエーション関係が、第1のダウンリンク情報を動的にスケジューリングするためのダウンリンク制御チャネルによって指示される。
【０４０４】
場合により、時間ユニットが、スロット、ミニスロット、およびサブフレームのうちの少なくとも1つであり得る。
【０４０５】
場合により、周波数領域ユニットが、キャリアまたはキャリア帯域幅部分（bandwidth part、BWP）であり得る。
【０４０６】
場合により、第2の時間ユニットは、アップリンク時間ユニットまたは柔軟な時間ユニットであり得る。
【０４０７】
場合により、第1のアソシエーション関係は、事前構成されてもよいし、RRC専用シグナリングを使用することにより端末デバイスに通知されてもよい。一般に、フォールバックPDCCHスケジューリングの場合、第1のアソシエーション関係が事前構成され得る。非フォールバックPDCCHスケジューリングの場合、第1のアソシエーション関係は、RRC専用シグナリングを使用することにより端末デバイスに通知され得る。
【０４０８】
場合により、本出願の本実施形態では、ダウンリンク制御チャネルは、フォールバックスケジューリングのための制御チャネルであり得る。
【０４０９】
場合により、第1のダウンリンク情報を動的にスケジューリングするためのダウンリンク制御チャネルに含まれる指示情報がDAIフィールドであり得、プリセット値が、好ましくは、DAI＝1またはDAIフィールドの状態「00」によって指示された値である。
【０４１０】
場合により、本出願の本実施形態では、少なくとも1つのダウンリンク情報が第2のダウンリンク情報をさらに含み、第2のダウンリンク情報をスケジューリングするためのダウンリンク制御チャネルが、半永続スケジューリングのためのダウンリンク制御チャネルであり、第1のコードブックが、第2のダウンリンク情報に対応するフィードバック情報をさらに含む。
【０４１１】
本出願の本実施形態では、第1のダウンリンク情報は、代替的に、動的にスケジューリングされたダウンリンク情報であり得ることを理解されたい。
【０４１２】
例えば、第1のダウンリンク情報は、ダウンリンク半永続スケジューリングSPS解放指示または動的にスケジューリングされたダウンリンクデータチャネルを含み得、動的にスケジューリングされたダウンリンクデータチャネルは、ダウンリンク制御チャネルを通じて動的にスケジューリングされ得る。
【０４１３】
動的スケジューリングとは、ダウンリンクデータチャネルの各送信が、対応するダウンリンク制御チャネルを通じてスケジューリングされる必要があることを意味することに留意されたい。
【０４１４】
動的にスケジューリングされたダウンリンクデータチャネルは、半永続ダウンリンク制御チャネルを通じてスケジューリングされた半永続的にスケジューリングされたダウンリンクデータチャネルに対応する。具体的には、半永続ダウンリンク制御チャネルが一度送信された後、対応する半永続ダウンリンクデータチャネルが、半永続ダウンリンク制御チャネルを毎回送信する必要なしに、事前構成された送信サイクルに従って常に送信され得る。
【０４１５】
半永続ダウンリンクスケジューリングは、特定のダウンリンク制御チャネルを通じて解放され得る。半永続ダウンリンクスケジューリングの解放指示を実施するために使用されるダウンリンク制御チャネルは、通常、ダウンリンクデータチャネルをスケジューリングするためには使用されない。しかしながら、端末デバイスはまた、ダウンリンク制御チャネルのためにACK／NACKフィードバック情報をフィードバックする必要がある。
【０４１６】
本出願の本実施形態では、動的にスケジューリングされたダウンリンクデータチャネルが、ダウンリンク情報を説明するための例として代替的に使用され得ることを理解されたい。このことは、本出願において限定されない。
【０４１７】
場合により、本出願の本実施形態では、動的コードブックモードにおいて、端末デバイスがフィードバック情報の第2のコードブックを決定でき、第2のコードブックが、時間ユニットセットにおける実際にスケジューリングされた第1の時間ユニットに対応するフィードバック情報を含む。
【０４１８】
図示されていないが、通信デバイス800は、入力ユニットおよび出力ユニットなどの別のユニットをさらに備え得ることを理解されたい。
【０４１９】
図10は、本出願の別の実施形態による通信デバイス900の概略ブロック図である。図10に示されるように、通信デバイス900は、端末デバイスであり得る、またはチップまたは回路、例えば、端末デバイスに配置され得るチップまたは回路であり得る。端末デバイスは、上述の方法における端末デバイスに対応し得る。
【０４２０】
通信デバイス900は、プロセッサ11（処理ユニット720であり得る）とメモリ12とを備え得る。メモリ12は、命令を格納するように構成され、プロセッサ11は、メモリ12に格納された命令を実行するように構成され、それにより、通信デバイス900は、図4に対応する方法において端末デバイスによって実行されるステップを実施する。
【０４２１】
通信デバイス900は、入力ポート13（送受信機ユニット710であり得る）と出力ポート14（送受信機ユニット710であり得る）とをさらに備え得る。さらに、プロセッサ11、メモリ12、入力ポート13、および出力ポート14は、制御信号および／またはデータ信号を転送するために内部接続経路を介して互いに通信し得る。メモリ12は、コンピュータプログラムを格納するように構成され、プロセッサ11は、メモリ12内のコンピュータプログラムを呼び出して実行するように構成され得る。メモリ12は、プロセッサ11に一体化されてもよいし、プロセッサ11とは別に配置されてもよい。
【０４２２】
場合により、通信デバイス900が端末デバイスである場合、入力ポート13は受信機であり、出力ポート14は送信機である。受信機および送信機は、1つの物理エンティティまたは異なる物理エンティティであり得る。1つの物理エンティティであるとき、受信機および送信機は、送受信機と総称され得る。
【０４２３】
場合により、通信デバイス900がチップまたは回路である場合、入力ポート13は入力インターフェースであり、出力ポート14は出力インターフェースである。
【０４２４】
一実装形態では、入力ポート13および出力ポート14の機能は、送受信機回路または専用送受信機チップを使用することにより実装され得る。プロセッサ11は、専用の処理チップ、処理回路、プロセッサ、または汎用のチップを使用することにより実装され得る。
【０４２５】
別の実装形態では、本出願の本実施形態で提供される端末デバイスは、汎用コンピュータを使用することにより実装され得る。具体的には、プロセッサ11、入力ポート13、および出力ポート14の機能を実装するためのプログラムコードがメモリ12に格納され、汎用プロセッサが、プロセッサ11、入力ポート13、および出力ポート14の機能を実装するためにメモリ12内のコードを実行する。
【０４２６】
プロセッサは、通信プロトコルおよび通信データを処理し、端末デバイス全体を制御し、ソフトウェアプログラムを実行し、ソフトウェアプログラムのデータを処理するように主に構成され、例えば、時間ユニットサブセットにおける第1のダウンリンク情報がプリセット条件を満たす場合に第1のコードブックのためにコードブックフォールバックを実行するように構成される。メモリは、ソフトウェアプログラムおよびデータを格納するように主に構成され、例えば、上述の実施形態で説明された第1のコードブックを格納する。
【０４２７】
当業者であれば、説明を容易にするために、図10は1つのメモリおよび1つのプロセッサのみを示していることを理解されよう。実際の端末デバイスでは、複数のプロセッサおよび複数のメモリが存在し得る。メモリはまた、記憶媒体、記憶デバイスなどと呼ばれる場合もある。このことは、本出願の本実施形態において限定されない。
【０４２８】
任意の実装形態では、プロセッサは、ベースバンドプロセッサと中央処理ユニットとを備え得る。ベースバンドプロセッサは通信プロトコルおよび通信データを処理するように主に構成され、中央処理ユニットは端末デバイス全体を制御し、ソフトウェアプログラムを実行し、ソフトウェアプログラムのデータを処理するように主に構成される。
【０４２９】
ベースバンドプロセッサおよび中央処理ユニットの機能は、図10のプロセッサに統合されている。当業者であれば、ベースバンドプロセッサおよび中央処理ユニットが、代替的に、バスなどの技術を使用することにより互いに接続された独立したプロセッサであり得ることを理解されよう。
【０４３０】
当業者であれば、端末デバイスが、異なるネットワーク標準に適応するために複数のベースバンドプロセッサを備えることができ、端末デバイスが、端末デバイスの処理能力を強化するために複数の中央処理ユニットを備えることができ、端末デバイスのコンポーネントが、様々なバスを使用することにより相互に接続され得ることを理解されよう。あるいは、ベースバンドプロセッサは、ベースバンド処理回路またはベースバンド処理チップとして現され得る。あるいは、中央処理ユニットは、中央処理回路または中央処理チップとして現され得る。通信プロトコルおよび通信データを処理する機能は、プロセッサに組み込まれていてもよいし、ソフトウェアプログラムの形で記憶ユニットに格納されていてもよい。プロセッサは、ベースバンド処理機能を実装するためにソフトウェアプログラムを実行する。
【０４３１】
例えば、本出願の本実施形態では、送信機能および受信機能を有するアンテナならびに制御回路は、通信デバイス700の送受信機ユニット710と見なされ得、処理機能を有するプロセッサは、通信デバイス700の処理ユニット720と見なされ得る。図8に示されるように、通信デバイス700は、送受信機ユニット710と処理ユニット720とを備える。あるいは、送受信機ユニットは、送受信機、送受信機通信デバイスなどと呼ばれ得る。場合により、送受信機ユニット710において受信機能を実装するように構成されたコンポーネントは受信ユニットと見なされ、送受信機ユニット710において送信機能を実装するように構成されたコンポーネントは送信ユニットと見なされ得る。換言すれば、送受信機ユニット710は、受信ユニットと送信ユニットとを備える。例えば、受信ユニットは、受信機、受信機回路などとも呼ばれ得、送信ユニットは、送信機、送信回路などとも呼ばれ得る。
【０４３２】
図11は、本出願の別の実施形態による通信デバイス1000の概略ブロック図である。図11に示されるように、通信デバイス1000は、ネットワークデバイスであり得る、またはチップまたは回路、例えば、ネットワークデバイスに配置され得るチップまたは回路であり得る。ネットワークデバイスは、上述の方法におけるネットワークデバイスに対応する。
【０４３３】
通信デバイス1000は、プロセッサ31（処理ユニット820であり得る）とメモリ32とを備え得る。メモリ32は、命令を格納するように構成され、プロセッサ31は、メモリ32に格納された命令を実行するように構成され、それにより、通信デバイス1000は、図4に対応する方法においてネットワークデバイスによって実行されるステップを実施する。
【０４３４】
通信デバイス1000は、入力ポート33（送受信機ユニット810であり得る）と出力ポート33（送受信機ユニット810であり得る）とをさらに備え得る。またさらに、プロセッサ31、メモリ32、入力ポート33、および出力ポート34は、制御信号および／またはデータ信号を転送するために内部接続経路を介して互いに通信し得る。メモリ32は、コンピュータプログラムを格納するように構成され、プロセッサ31は、図4の方法においてネットワークデバイスによって実行されるステップを完了するために、信号を受信するように入力ポート33を制御し、また信号を送信するように出力ポート34を制御するように、メモリ32内のコンピュータプログラムを呼び出して実行するように構成され得る。メモリ32は、プロセッサ31に一体化されてもよいし、プロセッサ31とは別に配置されてもよい。
【０４３５】
プロセッサ31は、上述の方法においてネットワークデバイスによって実行されるステップを完了するために、信号を受信するように入力ポート33を制御し、また信号を送信するように出力ポート34を制御する。メモリ32は、プロセッサ31に一体化されてもよいし、プロセッサ31とは別に配置されてもよい。
【０４３６】
場合により、通信デバイス1000がネットワークデバイスである場合、入力ポート33は受信機であり、出力ポート34は送信機である。受信機および送信機は、1つの物理エンティティまたは異なる物理エンティティであり得る。1つの物理エンティティであるとき、受信機および送信機は、送受信機と総称され得る。
【０４３７】
場合により、通信デバイス1000がチップまたは回路である場合、入力ポート33は入力インターフェースであり、出力ポート34は出力インターフェースである。
【０４３８】
場合により、通信デバイス1000がチップまたは回路である場合、代替的に、通信デバイス1000はメモリ32を備えなくてもよく、プロセッサ31は、図4に対応する上述の方法におけるネットワークデバイスの機能を実装するためにチップの外部のメモリから命令（プログラムまたはコード）を読み取ることができる。
【０４３９】
一実装形態では、入力ポート33および出力ポート34の機能は、送受信機回路または専用送受信機チップを使用することにより実装され得る。プロセッサ31は、専用の処理チップ、処理回路、プロセッサ、または汎用のチップを使用することにより実装され得る。
【０４４０】
別の実装形態では、本出願の本実施形態で提供されるデバイスは、汎用コンピュータを使用することにより実装され得る。具体的には、プロセッサ31、入力ポート33、および出力ポート34の機能を実装するためのプログラムコードがメモリ32に格納され、汎用プロセッサが、プロセッサ31、入力ポート33、および出力ポート34の機能を実装するためにメモリ内のコードを実行する。
【０４４１】
本出願の本実施形態では、図11は、上述の方法におけるネットワークデバイスの機能を実装するように構成され得るネットワークデバイスの概略構成図であり得る。プロセッサ31は、通信デバイス800における処理ユニット820の機能を実装することができ、入力ポート33および出力ポート34は、通信デバイス800における送受信機ユニット810の機能を実装することができる。このことは、本出願において限定されない。
【０４４２】
本出願の上述の実施形態におけるフィードバック情報送信方法は、プロセッサに適用されてもよいし、プロセッサによって実装されてもよい。プロセッサは、集積回路チップであってよく、信号処理能力を有し得る。実施プロセスにおいて、上述の方法のステップは、プロセッサのハードウェア集積ロジック回路を使用して、またはソフトウェアの形態の命令を使用することにより実施され得る。プロセッサは、汎用プロセッサ、デジタルシグナルプロセッサ（Digital Signal Processor、DSP）、特定用途向け集積回路（Application−Specific Integrated Circuit、ASIC）、フィールドプログラマブルゲートアレイ（Field Programmable Gate Array、FPGA）もしくは別のプログラマブルロジックデバイス、ディスクリートゲートもしくはトランジスタロジックデバイス、ディスクリートハードウェアコンポーネント、システムオンチップ（System On Chip、SoC）、中央処理ユニット（Central Processing Unit、CPU）、ネットワークプロセッサ（Network Processor、NP）、デジタル信号処理回路（Digital Signal Processor、DSP）、マイクロコントローラユニット（Micro Controller Unit、MCU）、プログラマブルロジックデバイス（Programmable Logic Device、PLD）、または別の集積チップであり得る。プロセッサは、本出願の実施形態で開示される方法、ステップ、および論理ブロック図を実装または実行することができる。汎用プロセッサは、マイクロプロセッサであってもよいし、プロセッサは、任意の従来のプロセッサなどであってもよい。本出願の各実施形態に関連して開示された方法のステップは、ハードウェア復号プロセッサを使用して直接実行され、達成されるのであってもよいし、復号プロセッサのハードウェアとソフトウェアモジュールとの組み合わせを使用して実行され、達成されるのであってもよい。ソフトウェアモジュールは、当技術分野において成熟した記憶媒体、例えば、ランダムアクセスメモリ（Random Access Memory、RAM）、フラッシュメモリ、読み出し専用メモリ、プログラマブル読み出し専用メモリ（Read−Only Memory、ROM）、エレクトリカリー・イレーサブル・プログラマブル・メモリ、レジスタなどに配置され得る。記憶媒体はメモリに配置されてもよく、プロセッサは、メモリの命令を読み出し、プロセッサのハードウェアと併せて、上記の方法のステップを完了する。
【０４４３】
本出願の実施形態がネットワークデバイスにおけるチップに適用される場合、ネットワークデバイスにおけるチップは、上述の方法の実施形態におけるネットワークデバイスの機能を実装することが理解されよう。ネットワークデバイスにおけるチップは、ネットワークデバイスにおける別のモジュール（例えば、無線周波数モジュールまたはアンテナ）からアップリンク共有チャネルおよびアップリンクデータを受信する。アップリンク共有チャネルおよびアップリンクデータは、端末デバイスによって基地局に送信される。
【０４４４】
本出願の実施形態が端末デバイスにおけるチップに適用される場合、端末デバイスにおけるチップは、上述の方法の実施形態における端末デバイスの機能を実装する。端末デバイスにおけるチップは、端末デバイスにおける別のモジュール（例えば、無線周波数モジュールまたはアンテナ）からアップリンク制御情報を送信し、アップリンク制御情報が第1のコードブックを運ぶ。
【０４４５】
上記の実施形態のすべてまたは一部は、ソフトウェア、ハードウェア、ファームウェア、またはそれらの任意の組み合わせで実施されてもよい。ソフトウェアが実施形態を実施するために使用される場合、上述の実施形態は、コンピュータプログラム製品の形態で完全にまたは部分的に実施されてもよい。コンピュータプログラム製品は、1つまたは複数のコンピュータ命令またはコンピュータプログラムを含む。プログラム命令またはコンピュータプログラムがコンピュータにロードされて実行されると、本出願の実施形態による手順または機能がすべてまたは部分的に生成される。コンピュータは、汎用コンピュータ、専用コンピュータ、コンピュータネットワーク、または別のプログラマブル通信デバイスであり得る。コンピュータ命令は、コンピュータ可読記憶媒体に格納されてもよいし、あるコンピュータ可読記憶媒体から別のコンピュータ可読記憶媒体に送信されてもよい。例えば、コンピュータ命令は、あるウェブサイト、コンピュータ、サーバ、またはデータセンタから別のウェブサイト、コンピュータ、サーバ、またはデータセンタに、有線方式で、または赤外線、電波、またはマイクロ波方式で送信され得る。コンピュータ可読記憶媒体は、コンピュータによってアクセス可能な任意の使用可能な媒体であってもよく、または1つまたは複数の使用可能な媒体を一体化するサーバまたはデータセンタなどのデータ記憶デバイスであってもよい。使用可能な媒体は、磁気媒体（例えば、フロッピーディスク、ハードディスクまたは磁気テープ）、光学媒体（例えばDVD）、半導体媒体などであってもよい。半導体媒体は、ソリッドステートドライブであり得る。
【０４４６】
本明細書における「および／または」という用語は、関連するオブジェクトを記述するためのアソシエーション関係のみを記述し、3つの関係が存在し得ることを表していることを理解されたい。例えば、Aおよび／またはBは、以下の3つの場合、すなわち、Aのみが存在する場合、AとBとの両方が存在する場合、およびBのみが存在する場合を表すことができる。加えて、本明細書中の文字「／」は、関連するオブジェクト間の「論理和」関係を一般に示す。
【０４４７】
本出願の様々な実施形態において上記のプロセスのシーケンス番号は、実行する順番を意味するものではないことを理解されたい。プロセスを実行する順番は、プロセスの機能および内部ロジックに従って決定されるべきであるが、本出願の各実施形態の実装プロセスに対するいかなる限定とも解釈されるべきではない。
【０４４８】
当業者であれば、本明細書で開示した各実施形態に関連して説明した例におけるユニットおよびアルゴリズムステップは、電子的ハードウェアまたはコンピュータソフトウェアと電子的ハードウェアとの組み合わせによって実施してよいことを承知しているはずである。機能がハードウェアで行われるかソフトウェアで行われるかは、技術的解決策の具体的なアプリケーションと設計制約とによって決まる。当業者は、それぞれの具体的な応用形態に対して説明された機能を実施するために、異なる方法を使用することができるが、こうした実施が、本出願の範囲を超えるものであると見なされるべきではない。
【０４４９】
当業者であれば、説明を簡便にするために、上記のシステム、通信デバイス、またはユニットの詳細な動作プロセスについては、上記方法実施形態における対応するプロセスを参照できることを明確に理解するはずであり、ここではこれ以上細部を繰り返し説明しない。
【０４５０】
本出願において提供されるいくつかの実施形態においては、本開示のシステム、通信デバイス、および方法を他のやり方で実装することもできることを理解されたい。例えば、説明された通信デバイスの実施形態は、単なる例である。例えば、ユニットの分割は単なる論理的機能分割に過ぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示または議論される相互結合または直接結合または通信接続は、なんらかのインターフェース、通信デバイス、またはユニットを介した間接結合または通信接続であり得、電気的、機械的、または他の形態で実装され得る。
【０４５１】
別個の部品として記載されたユニットは、物理的に分離していてもいなくてもよい。ユニットとして表示された部品は、物理的ユニットである場合もそうでない場合もあり、一箇所に配置されている場合もあり、複数のネットワークユニット内に分散される場合もある。ユニットの一部またはすべてを、各実施形態の解決策の目的を達成するための実際の要件に基づいて選択することもできる。
【０４５２】
加えて、本出願の実施形態における機能ユニットは、1つの処理ユニットに統合されてもよいし、ユニットのそれぞれが物理的に単独で存在してもよいし、2つ以上のユニットが1つのユニットに統合されてもよい。
【０４５３】
機能がソフトウェア機能ユニットの形態で実現され、独立した製品として販売または使用される場合、機能は、コンピュータ可読記憶媒体に格納され得る。そうした理解に基づき、本出願の技術的解決策を本質的に、または従来技術に寄与する部分を、または技術的な解決策の一部を、ソフトウェア製品の形態で実現することができる。ソフトウェア製品は記憶媒体に格納されており、（パーソナルコンピュータ、サーバ、または装置とすることができる）コンピュータデバイスに、本出願の各実施形態で記述されている方法のステップの全部または一部を実行するよう命令するためのいくつかの命令を含む。上記記憶媒体は、USBフラッシュドライブ、取り外し可能ハードディスク、読み出し専用メモリ（Read−Only Memory、ROM）、ランダムアクセスメモリ（Random Access Memory、RAM）、磁気ディスク、または光ディスクなどの、プログラムコードを格納することができる任意の媒体を含む。
【０４５４】
上記の説明は、単に本出願の具体的な実装形態に過ぎず、本出願の保護範囲を限定することを意図するものではない。本出願において開示された技術的範囲内にあり、当業者によって容易に想到される、あらゆる変形や置き換えは、本出願の保護範囲内に含まれるものとする。したがって、本出願の保護範囲は、特許請求の範囲の保護範囲に従うものとする。
【符号の説明】
【０４５５】
11  プロセッサ
12  メモリ
13  入力ポート
14  出力ポート
31  プロセッサ
32  メモリ
33  入力ポート
34  出力ポート
100  システム
102  ネットワークデバイス
104  アンテナ
106  アンテナ
108  アンテナ
110  アンテナ
112  アンテナ
116  端末デバイス
118  フォワードリンク
120  リバースリンク
122  端末デバイス
124  フォワードリンク
126  リバースリンク
700  通信デバイス
710  送受信機ユニット
720  処理ユニット
800  通信デバイス
810  送受信機ユニット
820  処理ユニット
900  通信デバイス
1000  通信デバイス
【図１】
2021513820.tif 000004
【図２】
2021513820.tif 000005
【図３】
2021513820.tif 000006
【図４】
2021513820.tif 000007
【図５】
2021513820.tif 000008
【図６】
2021513820.tif 000009
【図７】
2021513820.tif 000010
【図８】
2021513820.tif 000011
【図９】
2021513820.tif 000012
【図１０】
2021513820.tif 000013
【図１１】
2021513820.tif 000014
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
端末デバイスによって、時間ユニットセットにおける少なくとも1つの第1の時間ユニットにおいて少なくとも1つのダウンリンク情報を受信するステップであって、前記時間ユニットセットが、前記端末デバイスのために構成された少なくとも1つの周波数領域ユニットに対応する少なくとも1つの第1の時間ユニットを有する、ステップと、
前記端末デバイスによって、第2の時間ユニットを決定するステップであって、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ステップと、
前記端末デバイスによって、第1のコードブックを決定することであって、時間ユニットサブセットにおける第1のダウンリンク情報がプリセット条件を満たす場合、前記第1のコードブックが前記第1のダウンリンク情報に対応するフィードバック情報を含み、前記第1のコードブックが、前記第1のダウンリンク情報が配置されている第1の時間ユニット以外の前記時間ユニットセットにおける別の第1の時間ユニットに対応するフィードバック情報を含まず、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ステップと、
前記端末デバイスによって、前記第2の時間ユニットにおいてアップリンク制御情報を送信するステップであって、前記アップリンク制御情報が前記第1のコードブックを運ぶ、ステップと
を含む、フィードバック情報送信方法。
【請求項２】
前記プリセット条件が第2の条件をさらに含み、前記第2の条件は、前記第1のダウンリンク情報を動的にスケジューリングするためのダウンリンク割当指標（DAI）の値が1であることである、請求項1に記載の方法。
【請求項３】
前記プリセット条件が第3の条件をさらに含み、前記第3の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項1または2に記載の方法。
【請求項４】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項1に記載の方法。
【請求項５】
前記第1のアソシエーション関係が、標準に従って事前定義される、または無線リソース制御RRCシグナリングを経てネットワークデバイスによって前記端末デバイスのために構成される、請求項1から4のいずれか一項に記載の方法。
【請求項６】
前記第2のアソシエーション関係が、前記第1のダウンリンク情報を動的にスケジューリングするための前記ダウンリンク制御チャネルで運ばれるタイミング指示情報によって示される、請求項1から5のいずれか一項に記載の方法。
【請求項７】
前記端末デバイスによって第1のコードブックを決定する、前記ステップの前に、前記方法は、
前記端末デバイスによって、複数の候補コードブックモードから半永続コードブックモードを決定するステップであって、前記複数の候補コードブックモードが、半永続コードブックモードと動的コードブックモードとを含む、ステップ
をさらに含む、請求項1から6のいずれか一項に記載の方法。
【請求項８】
前記第1のプリセット値が1以上であり、前記第1のプリセット値が1より大きい場合、数が前記第1のプリセット値に等しい第1のダウンリンク情報が同じトランスポートブロック情報を運ぶ、請求項1から7のいずれか一項に記載の方法。
【請求項９】
数が前記第1のプリセット値に等しい前記第1のダウンリンク情報が、1つのダウンリンク制御チャネルによってスケジューリングされる、請求項8に記載の方法。
【請求項１０】
前記第1のプリセット値が第3のプリセット値以下であり、前記第3のプリセット値が、上位層シグナリングを経て構成されるダウンリンクアグリゲーションパラメータに基づいて決定される、請求項8に記載の方法。
【請求項１１】
ネットワークデバイスによって、時間ユニットセットにおける少なくとも1つの第1の時間ユニットにおいて少なくとも1つのダウンリンク情報を端末デバイスに送信するステップであって、前記時間ユニットセットが、前記端末デバイスのために構成された少なくとも1つの周波数領域ユニットに対応する少なくとも1つの第1の時間ユニットを有する、ステップと、
前記ネットワークデバイスによって、第2の時間ユニットを決定するステップであって、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ステップと、
前記ネットワークデバイスによって、前記第2の時間ユニットにおいて、前記端末デバイスからのアップリンク制御情報を受信するステップであって、前記アップリンク制御情報が第1のコードブックを運び、前記第1のコードブックが、時間ユニットサブセットにおける第1のダウンリンク情報がプリセット条件を満たす場合の第1のコードブックであり、前記第1のコードブックが前記第1のダウンリンク情報に対応するフィードバック情報を含み、前記第1のコードブックが、前記第1のダウンリンク情報が配置されている第1の時間ユニット以外の前記時間ユニットセットにおける他の時間ユニットに対応するフィードバック情報を含まず、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ステップと
を含む、フィードバック情報送信方法。
【請求項１２】
前記プリセット条件が第2の条件をさらに含み、前記第2の条件が、前記第1のダウンリンク情報を動的にスケジューリングするためのダウンリンク割当指標（DAI）の値が1であることである、請求項11に記載の方法。
【請求項１３】
前記プリセット条件が第3の条件をさらに含み、前記第3の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項11または12に記載の方法。
【請求項１４】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項11に記載の方法。
【請求項１５】
前記ネットワークデバイスによって、前記第2の時間ユニットにおいて、前記端末デバイスによって送信されたアップリンク制御情報を受信する、前記ステップの前に、前記方法は、
前記ネットワークデバイスによって、複数の候補コードブックモードから半永続コードブックモードを決定するステップであって、前記複数の候補コードブックモードが、半永続コードブックモードと動的コードブックモードとを含む、ステップと、
前記ネットワークデバイスによって、シグナリングを経て前記端末デバイスのために前記半永続コードブックモードを構成するステップと
をさらに含む、請求項11から14のいずれか一項に記載の方法。
【請求項１６】
前記第1のプリセット値が1以上であり、前記第1のプリセット値が1より大きい場合、数が前記第1のプリセット値に等しい第1のダウンリンク情報が同じトランスポートブロック情報を運ぶ、請求項11から15のいずれか一項に記載の方法。
【請求項１７】
数が前記第1のプリセット値に等しい前記第1のダウンリンク情報が、1つのダウンリンク制御チャネルによってスケジューリングされる、請求項16に記載の方法。
【請求項１８】
前記第1のプリセット値が第3のプリセット値以下であり、前記第3のプリセット値が、上位層シグナリングを経て構成されるダウンリンクアグリゲーションパラメータに基づいて決定される、請求項16に記載の方法。
【請求項１９】
通信装置であって、
時間ユニットセットにおける少なくとも1つの第1の時間ユニットにおいて少なくとも1つのダウンリンク情報を受信し、前記時間ユニットセットが、端末デバイスのために構成された少なくとも1つの周波数領域ユニットに対応する少なくとも1つの第1の時間ユニットを有する、ように構成された送受信機ユニットと、
第2の時間ユニットを決定し、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ように構成され、第1のコードブックを決定し、時間ユニットサブセットにおける第1のダウンリンク情報がプリセット条件を満たす場合、前記第1のコードブックが前記第1のダウンリンク情報に対応するフィードバック情報を含み、前記第1のコードブックが、前記第1のダウンリンク情報が配置されている第1の時間ユニット以外の前記時間ユニットセットにおける他の第1の時間ユニットに対応するフィードバック情報を含まず、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ように構成された処理ユニットと
を備え、
前記送受信機ユニットが、前記第2の時間ユニットにおいてアップリンク制御情報を送信し、前記アップリンク制御情報が前記第1のコードブックを運ぶ、ように構成される、通信装置。
【請求項２０】
前記プリセット条件が第2の条件をさらに含み、前記第2の条件が、前記第1のダウンリンク情報を動的にスケジューリングするためのダウンリンク割当指標（DAI）の値が1であることである、請求項19に記載の通信装置。
【請求項２１】
前記プリセット条件が第3の条件をさらに含み、前記第3の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項19または20に記載の通信装置。
【請求項２２】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項19に記載の通信装置。
【請求項２３】
前記第1のアソシエーション関係が、標準に従って事前定義される、または無線リソース制御（RRC）シグナリングを経てネットワークデバイスによって前記端末デバイスのために構成される、請求項19から22のいずれか一項に記載の通信装置。
【請求項２４】
前記第2のアソシエーション関係が、前記第1のダウンリンク情報を動的にスケジューリングするための前記ダウンリンク制御チャネルで運ばれるタイミング指示情報によって示される、請求項19から23のいずれか一項に記載の通信装置。
【請求項２５】
前記処理ユニットが、複数の候補コードブックモードから半永続コードブックモードを決定し、前記複数の候補コードブックモードが、半永続コードブックモードと動的コードブックモードとを含む、ようにさらに構成される、請求項19から24のいずれか一項に記載の通信装置。
【請求項２６】
前記第1のプリセット値が1以上であり、前記第1のプリセット値が1より大きい場合、数が前記第1のプリセット値に等しい第1のダウンリンク情報が同じトランスポートブロック情報を運ぶ、請求項19から25のいずれか一項に記載の通信装置。
【請求項２７】
数が前記第1のプリセット値に等しい前記第1のダウンリンク情報が、1つのダウンリンク制御チャネルによってスケジューリングされる、請求項26に記載の通信装置。
【請求項２８】
前記第1のプリセット値が第3のプリセット値以下であり、前記第3のプリセット値が、上位層シグナリングを経て構成されるダウンリンクアグリゲーションパラメータに基づいて決定される、請求項27に記載の通信装置。
【請求項２９】
通信装置であって、
時間ユニットセットにおける少なくとも1つの第1の時間ユニットにお少なくとも1つのダウンリンク情報を端末デバイスに送信し、前記時間ユニットセットが、前記端末デバイスのために構成された少なくとも1つの周波数領域ユニットに対応する少なくとも1つの第1の時間ユニットを有する、ように構成された送受信機ユニットと、
第2の時間ユニットを決定し、前記第2の時間ユニットが、前記少なくとも1つのダウンリンク情報に対応するフィードバック情報を運ぶために使用され、前記時間ユニットセットと前記第2の時間ユニットとの間に第1のアソシエーション関係がある、ように構成された処理ユニットと
を備え、
前記送受信機ユニットが、前記第2の時間ユニットにおいて、前記端末デバイスから第1のコードブックを受信し、前記第1のコードブックが、時間ユニットサブセットにおける第1のダウンリンク情報がプリセット条件を満たす場合の第1のコードブックであり、前記第1のコードブックが前記第1のダウンリンク情報に対応するフィードバック情報を含み、前記第1のコードブックが、前記第1のダウンリンク情報が配置されている第1の時間ユニット以外の前記時間ユニットセットにおける他の第1の時間ユニットに対応するフィードバック情報を含まず、前記プリセット条件が第1の条件を含み、前記第1の条件は、第1のダウンリンク情報の数が第1のプリセット値に等しいことであり、前記時間ユニットサブセットが前記時間ユニットセットのサブセットであり、前記時間ユニットサブセットと前記第2の時間ユニットとの間に第2のアソシエーション関係がある、ように構成される、通信装置。
【請求項３０】
前記プリセット条件が第2の条件をさらに含み、前記第2の条件が、前記第1のダウンリンク情報を動的にスケジューリングするためのダウンリンク割当指標、DAI、の値が1であることである、請求項29に記載の通信装置。
【請求項３１】
前記プリセット条件が第3の条件をさらに含み、前記第3の条件は、前記第1のダウンリンク情報が前記少なくとも1つの周波数領域ユニットにおけるプライマリ周波数領域ユニットまたは第1のセカンダリ周波数領域ユニットにおいて運ばれることである、請求項29または30に記載の通信装置。
【請求項３２】
前記時間ユニットサブセットにおける前記第1のダウンリンク情報の数が前記第1の条件を満たさない場合、前記第1のコードブックが、前記時間ユニットセットにおけるすべての第1の時間ユニットに対応するフィードバック情報を含む、請求項29に記載の通信装置。
【請求項３３】
前記処理ユニットが、
複数の候補コードブックモードから半永続コードブックモードを決定し、前記複数の候補コードブックモードが、半永続コードブックモードと動的コードブックモードとを含む、
ようにさらに構成され、
前記送受信機ユニットが、シグナリングを経て前記端末デバイスのための前記半永続コードブックモードを指示するように構成される、請求項29から32のいずれか一項に記載の通信装置。
【請求項３４】
前記第1のプリセット値が1以上であり、前記第1のプリセット値が1より大きい場合、数が前記第1のプリセット値に等しい第1のダウンリンク情報が同じトランスポートブロック情報を運ぶ、請求項29から33のいずれか一項に記載の通信装置。
【請求項３５】
数が前記第1のプリセット値に等しい前記第1のダウンリンク情報が、1つのダウンリンク制御チャネルによってスケジューリングされる、請求項34に記載の通信装置。
【請求項３６】
前記第1のプリセット値が第3のプリセット値以下であり、前記第3のプリセット値が、上位層シグナリングを経て構成されるダウンリンクアグリゲーションパラメータに基づいて決定される、請求項34に記載の通信装置。
【請求項３７】
コンピュータプログラムを含み、前記コンピュータプログラムが通信装置によって実行されるとき、前記通信装置が、請求項1から18のいずれか一項に記載の方法を実行できる、コンピュータ可読記憶媒体。
【請求項３８】
通信装置であって、
コンピュータプログラムを格納するように構成されたメモリと、
前記メモリに格納された前記コンピュータプログラムを実行して、前記通信装置が請求項1から10のいずれか一項に記載の方法を行うことができる、ように構成されたプロセッサと
を備える、通信装置。
【請求項３９】
通信装置であって、
コンピュータプログラムを格納するように構成されたメモリと、
前記メモリに格納された前記コンピュータプログラムを実行して、前記通信装置が請求項11から18のいずれか一項に記載の方法を行うことができる、ように構成されたプロセッサと
を備える、通信装置。
【国際調査報告】
2021513820.tif 000015
2021513820.tif 000016
2021513820.tif 000017
2021513820.tif 000018